(57)【要約】  本発明は、リソース割り当て方法、UE、及び基地局を提供して、従来技術の1つの問題を解決し、その従来技術の問題は、サービスタイプに関する転送優先順位にしたがってリソースを割り当てることが不可能であるということに起因して、相対的に高い転送優先順位を持つサービスタイプに対応するデータが、低い効率で転送されるということである。その方法は、UEによって、第1のサービスの第1の転送優先順位を決定するステップと、そのサービスの第1の転送優先順位にしたがって、対応する第1の論理チャネルグループを決定するステップと、第1の論理チャネルグループを示す第1の論理チャネルグループ識別子を搬送するリソース要求メッセージを基地局に送信するステップと、を含む。基地局は、リソース要求メッセージの中で搬送される第1の論理チャネルグループ識別子にしたがって、そのUEに関する転送優先順位を決定して、UEにリソースを割り当てる。この手法により、UEは、論理チャネルグループを使用することによって、あるサービスの転送優先順位を基地局に通知してもよく、それによって、基地局は、その転送優先順位にしたがってそのUEにリソースを割り当てることが可能であり、リソースが、高い転送優先順位を持つサービスに優先的に割り当てられるということを保証する。このことは、データ転送効率を改善する。
2018518917.tif 000002
【特許請求の範囲】
【請求項１】
リソース割り当て方法であって、
第1のサービスの転送優先順位が第1の転送優先順位であるということをユーザ機器UEによって決定するステップと、
転送優先順位と論理チャネルグループとの間の対応関係にしたがって、前記第1の転送優先順位に対応する論理チャネルグループが第1の論理チャネルグループであるということを前記UEによって決定するステップと、
第1の論理チャネルグループ識別子を搬送するリソース要求メッセージを前記UEによって基地局に送信するステップであって、前記第1の論理チャネルグループ識別子は、前記第1の論理チャネルグループを示すのに使用される、ステップと、
前記基地局が送信した通知メッセージを前記UEによって受信するステップであって、前記通知メッセージは、前記基地局が前記UEに割り当てたリソースに関する情報を搬送する、ステップと、
前記UEによって、前記リソースを使用することによって前記第1のサービスを転送するステップと、を含む、
方法。
【請求項２】
第1のサービスの転送優先順位が第1の転送優先順位であるということをUEによって決定するステップは、
前記UEによって、前記第1のサービスのサービス優先順位を決定するステップと、
前記UEによって、サービス優先順位と転送優先順位との間の対応関係にしたがって、前記第1のサービスの前記サービス優先順位に対応する転送優先順位を決定するステップと、
前記第1の転送優先順位として前記第1のサービスの前記サービス優先順位に対応する前記転送優先順位を使用するステップと、を含む、請求項１に記載の方法。
【請求項３】
前記第1のサービスの前記サービス優先順位に対応する転送優先順位を決定するステップの前に、当該方法は、
近接サービス機能エンティティ又はアプリケーションサーバが送信するサービス優先順位と転送優先順位との間の前記対応関係を前記UEによって受信するステップをさらに含む、請求項２に記載の方法。
【請求項４】
転送優先順位と論理チャネルグループとの間の前記対応関係が、ネットワーク側によって送信されるか、又は、
転送優先順位と論理チャネルグループとの間の前記対応関係が、前記UEによって決定されるか、又は、
転送優先順位と論理チャネルグループとの間の前記対応関係が、前記UEによってあらかじめ設定される、請求項１乃至３のうちのいずれか１項に記載の方法。
【請求項５】
前記第1の転送優先順位に対応する論理チャネルグループが第1の論理チャネルグループであるということを決定するステップの前に、当該方法は、
無線リソース制御RRCシグナリングを使用することによって前記基地局が送信する転送優先順位と論理チャネルグループとの間の前記対応関係を前記UEによって受信するステップ、又は、
前記近接サービス機能エンティティ又は前記アプリケーションサーバが送信する転送優先順位と論理チャネルグループとの間の前記対応関係を前記UEによって受信するステップ、をさらに含む、請求項１乃至４のうちのいずれか１項に記載の方法。
【請求項６】
前記UEがグループ通信を実行する場合に、第1の論理チャネルグループ識別子を搬送するリソース要求メッセージを前記UEによって基地局に送信するステップの前に、当該方法は、
前記ネットワーク側が送信したグループ識別子を前記UEによって受信するステップをさらに含み、前記グループ識別子は、前記UEが、前記グループ識別子に対応するグループの中で通信を実行するように構成されるということを示すのに使用される、請求項１乃至５のうちのいずれか１項に記載の方法。
【請求項７】
前記ネットワーク側が送信したグループ識別子を前記UEによって受信するステップは、
RRCシグナリングを使用することによって前記基地局が送信するグループ識別子を受信するステップ、又は、
前記近接サービス機能エンティティ又は前記アプリケーションサーバが送信するグループ識別子を受信するステップ、を含む、請求項６に記載の方法。
【請求項８】
第1の論理チャネルグループ識別子を搬送するリソース要求メッセージを前記UEによって基地局に送信するステップは、
前記第1の論理チャネルグループ識別子及び前記グループ識別子を搬送する前記リソース要求メッセージを前記UEによって前記基地局に送信するステップを含む、請求項６又は７に記載の方法。
【請求項９】
リソース割り当て方法であって、
ユーザ機器UEによって送信されて論理チャネルグループ識別子を搬送するリソース要求メッセージを基地局によって受信するステップと、
前記基地局によって、前記論理チャネルグループ識別子にしたがって前記UEに関する転送優先順位を決定するステップと、
前記基地局によって、前記UEに関する前記転送優先順位にしたがって前記UEにリソースを割り当て、前記割り当てられたリソースを前記UEに通知するステップと、を含む、
方法。
【請求項１０】
前記基地局によって、前記論理チャネルグループ識別子にしたがって前記UEに関する転送優先順位を決定するステップは、
前記基地局によって、前記UEに関する前記転送優先順位と論理チャネルグループとの間の対応関係にしたがって、前記論理チャネルグループ識別子によって示される論理チャネルグループに対応する転送優先順位を決定するステップを含む、請求項９に記載の方法。
【請求項１１】
前記UEに関する前記転送優先順位と論理チャネルグループとの間の前記対応関係が、前記基地局によって決定されるか、又は、
前記UEに関する前記転送優先順位と論理チャネルグループとの間の前記対応関係が、前記基地局によってあらかじめ設定されるか、又は、
前記UEに関する前記転送優先順位と論理チャネルグループとの間の前記対応関係が、無線リソース制御RRCシグナリングを使用することによって、前記UEによって送信されるか、又は、
前記UEに関する前記転送優先順位と論理チャネルグループとの間の前記対応関係が、近接サービス機能エンティティ又はアプリケーションサーバによって送信される、請求項１０に記載の方法。
【請求項１２】
前記基地局によって、前記論理チャネルグループ識別子にしたがって前記UEに関する転送優先順位を決定するステップの前に、当該方法は、
前記基地局によって、前記UEに関する前記転送優先順位と論理チャネルグループとの間の前記対応関係を決定するステップをさらに含む、請求項９又は１０に記載の方法。
【請求項１３】
前記基地局によって、前記UEに関する前記転送優先順位と論理チャネルグループとの間の前記対応関係を決定するステップは、
前記UEがサポートするとともに近接サービス機能エンティティ又はアプリケーションサーバが送信する転送優先順位を前記基地局によって受信するステップと、
前記UEがサポートする前記転送優先順位にしたがって、前記UEに関する前記転送優先順位と論理チャネルグループとの間の前記対応関係を前記基地局によって決定するステップと、を含む、請求項１２に記載の方法。
【請求項１４】
前記リソース要求メッセージは、さらに、前記UEのグループ識別子を搬送する、請求項９乃至１３のうちのいずれか１項に記載の方法。
【請求項１５】
前記基地局によって、前記割り当てられたリソースを前記UEに通知するステップは、
前記UEの前記グループ識別子にしたがって、前記割り当てられたリソースを前記UEに通知するステップを含む、請求項１４に記載の方法。
【請求項１６】
前記基地局によって、前記UEに関する前記転送優先順位にしたがって前記UEにリソースを割り当てるステップは、
前記基地局によって、転送優先順位の高い順に前記UEに前記リソースを割り当てるステップを含む、請求項９乃至１５のうちのいずれか１項に記載の方法。
【請求項１７】
リソース割り当て方法であって、
ユーザ機器UEによって送信されて論理チャネルグループ識別子を搬送するリソース要求メッセージを基地局によって受信するステップと、
前記基地局によって、前記論理チャネルグループ識別子にしたがって前記UEに関する転送優先順位を決定するステップと、
前記UEに関する前記転送優先順位が前記UEに関する最も高い転送優先順位よりも低い場合に、前記基地局によって、前記UEに関する前記転送優先順位にしたがって前記UEにリソースを割り当て、前記割り当てられたリソースを前記UEに通知するステップと、を含む、
方法。
【請求項１８】
当該方法は、
ホームサブスクライバーサーバHSSが送信する前記UEに関する前記最も高い転送優先順位を前記基地局によって受信するステップ、又は、
近接サービス機能エンティティ又はアプリケーションサーバが送信する前記UEに関する前記最も高い転送優先順位を前記基地局によって受信するステップ、をさらに含む、請求項１７に記載の方法。
【請求項１９】
前記基地局によって、前記UEに関する前記転送優先順位にしたがって前記UEにリソースを割り当てるステップは、
前記基地局によって、転送優先順位の高い順に前記UEに前記リソースを割り当てるステップを含む、請求項１７又は１８に記載の方法。
【請求項２０】
前記基地局によって、前記論理チャネルグループ識別子にしたがって前記UEに関する転送優先順位を決定するステップは、
前記基地局によって、前記UEに関する前記転送優先順位と論理チャネルグループとの間の対応関係にしたがって、前記論理チャネルグループ識別子によって示される論理チャネルグループに対応する転送優先順位を決定するステップを含む、請求項１７乃至１９のうちのいずれか１項に記載の方法。
【請求項２１】
前記UEに関する前記転送優先順位と論理チャネルグループとの間の前記対応関係が、前記基地局によって決定されるか、又は、
前記UEに関する前記転送優先順位と論理チャネルグループとの間の前記対応関係が、前記基地局によってあらかじめ設定されるか、又は、
前記UEに関する前記転送優先順位と論理チャネルグループとの間の前記対応関係が、無線リソース制御RRCシグナリングを使用することによって、前記UEによって送信されるか、又は、
前記UEに関する前記転送優先順位と論理チャネルグループとの間の前記対応関係が、前記近接サービス機能エンティティ又は前記アプリケーションサーバによって送信される、請求項２０に記載の方法。
【請求項２２】
前記基地局によって、前記論理チャネルグループ識別子にしたがって前記UEに関する転送優先順位を決定するステップの前に、当該方法は、
前記基地局によって、前記UEに関する前記転送優先順位と論理チャネルグループとの間の前記対応関係を決定するステップをさらに含む、請求項１７乃至２０のうちのいずれか１項に記載の方法。
【請求項２３】
前記基地局によって、前記UEに関する前記転送優先順位と論理チャネルグループとの間の前記対応関係を決定するステップは、
前記UEがサポートするとともに前記近接サービス機能エンティティ又は前記アプリケーションサーバが送信する転送優先順位を前記基地局によって受信するステップと、
前記UEがサポートする前記転送優先順位にしたがって、前記UEに関する前記転送優先順位と論理チャネルグループとの間の前記対応関係を前記基地局によって決定するステップと、を含む、請求項２２に記載の方法。
【請求項２４】
前記リソース要求メッセージは、さらに、前記UEのグループ識別子を搬送する、請求項１７乃至２３のうちのいずれか１項に記載の方法。
【請求項２５】
前記基地局によって、前記割り当てられたリソースを前記UEに通知するステップは、
前記UEの前記グループ識別子にしたがって、前記割り当てられたリソースを前記UEに通知するステップを含む、請求項２４に記載の方法。
【請求項２６】
UEであって、
第1のサービスの転送優先順位が第1の転送優先順位であるということを決定するように構成される第1の決定ユニットと、
転送優先順位と論理チャネルグループとの間の対応関係にしたがって、前記第1の転送優先順位に対応する論理チャネルグループが第1の論理チャネルグループであるということを決定するように構成される第2の決定ユニットと、
第1の論理チャネルグループ識別子を搬送するリソース要求メッセージを基地局に送信するように構成され、前記第1の論理チャネルグループ識別子は、前記第1の論理チャネルグループを示すのに使用され、前記基地局が送信する通知メッセージを受信するように構成され、前記通知メッセージは、前記基地局が前記UEに割り当てたリソースに関する情報を搬送し、そして、前記リソースを使用することによって前記第1のサービスを転送するように構成される通信ユニットと、を含む、
UE。
【請求項２７】
前記第1の決定ユニットは、
前記第1のサービスのサービス優先順位を決定し、
サービス優先順位と転送優先順位との間の対応関係にしたがって、前記第1のサービスの前記サービス優先順位に対応する転送優先順位を決定し、そして、
前記第1の転送優先順位として、前記第1のサービスの前記サービス優先順位に対応する前記転送優先順位を使用する、ように構成される、請求項２６に記載の方法。
【請求項２８】
前記通信ユニットは、さらに、
前記第1の決定ユニットが、前記第1のサービスの前記サービス優先順位に対応する前記転送優先順位を決定する前に、近接サービス機能エンティティ又はアプリケーションサーバが送信するサービス優先順位と転送優先順位との間の前記対応関係を受信するように構成される、請求項２７に記載の方法。
【請求項２９】
転送優先順位と論理チャネルグループとの間の前記対応関係が、ネットワーク側によって送信されるか、又は、
転送優先順位と論理チャネルグループとの間の前記対応関係が、前記UEによって決定されるか、又は、
転送優先順位と論理チャネルグループとの間の前記対応関係が、前記UEによってあらかじめ設定される、請求項２６乃至２８のうちのいずれか１項に記載の方法。
【請求項３０】
前記通信ユニットは、さらに、
前記第2の決定ユニットが、前記第1の転送優先順位に対応する論理チャネルグループが前記第1の論理チャネルグループであるということを決定する前に、無線リソース制御RRCシグナリングを使用することによって前記基地局が送信する転送優先順位と論理チャネルグループとの間の前記対応関係を受信するか、又は、
前記近接サービス機能エンティティ又は前記アプリケーションサーバが送信する転送優先順位と論理チャネルグループとの間の前記対応関係を受信する、ように構成される、請求項２６乃至２９のうちのいずれか１項に記載の方法。
【請求項３１】
前記通信ユニットは、さらに、
前記UEがグループ通信を実行する場合に、前記第1の論理チャネルグループ識別子を搬送する前記リソース要求メッセージを前記基地局に送信する前に、前記ネットワーク側が送信したグループ識別子を受信するように構成され、前記グループ識別子は、前記グループ識別子に対応するグループの中で通信を実行するように前記UEに指示するのに使用される、請求項２６乃至３０のうちのいずれか１項に記載の方法。
【請求項３２】
前記ネットワーク側が送信したグループ識別子を受信することは、
RRCシグナリングを使用することによって前記基地局が送信するグループ識別子を受信すること、又は、
前記近接サービス機能エンティティ又は前記アプリケーションサーバが送信するグループ識別子を受信すること、を含む、請求項３１に記載の方法。
【請求項３３】
前記通信ユニットは、
前記第1の論理チャネルグループ識別子及び前記グループ識別子を搬送する前記リソース要求メッセージを前記基地局に送信するように構成される、請求項３１又は３２に記載の方法。
【請求項３４】
基地局であって、
ユーザ機器UEによって送信されて論理チャネルグループ識別子を搬送するリソース要求メッセージを受信するように構成される受信ユニットと、
前記論理チャネルグループ識別子にしたがって前記UEに関する転送優先順位を決定するように構成される決定ユニットと、
前記UEに関する前記転送優先順位にしたがって前記UEにリソースを割り当て、前記割り当てられたリソースを前記UEに通知するように構成される処理ユニットと、を含む、
基地局。
【請求項３５】
前記決定ユニットは、
前記UEに関する前記転送優先順位と論理チャネルグループとの間の対応関係にしたがって、前記論理チャネルグループ識別子によって示される論理チャネルグループに対応する転送優先順位を決定するように構成される、請求項３４に記載の方法。
【請求項３６】
前記UEに関する前記転送優先順位と論理チャネルグループとの間の前記対応関係が、前記基地局によって決定されるか、又は、
前記UEに関する前記転送優先順位と論理チャネルグループとの間の前記対応関係が、前記基地局によってあらかじめ設定されるか、又は、
前記UEに関する前記転送優先順位と論理チャネルグループとの間の前記対応関係が、無線リソース制御RRCシグナリングを使用することによって、前記UEによって送信されるか、又は、
前記UEに関する前記転送優先順位と論理チャネルグループとの間の前記対応関係が、近接サービス機能エンティティ又はアプリケーションサーバによって送信される、請求項３５に記載の方法。
【請求項３７】
前記決定ユニットは、さらに、
前記論理チャネルグループ識別子にしたがって前記UEに関する前記転送優先順位を決定する前に、前記UEに関する前記転送優先順位と論理チャネルグループとの間の前記対応関係を決定するように構成される、請求項３４又は３５に記載の方法。
【請求項３８】
前記UEに関する前記転送優先順位と論理チャネルグループとの間の前記対応関係を決定する場合に、前記決定ユニットは、
前記UEがサポートするとともに近接サービス機能エンティティ又はアプリケーションサーバが送信する転送優先順位を受信し、そして、
前記UEがサポートする前記転送優先順位にしたがって、前記UEに関する前記転送優先順位と論理チャネルグループとの間の前記対応関係を決定する、ように構成される、請求項３７に記載の方法。
【請求項３９】
前記リソース要求メッセージは、さらに、前記UEのグループ識別子を搬送する、請求項３４乃至３８のうちのいずれか１項に記載の方法。
【請求項４０】
前記割り当てられたリソースを前記UEに通知する場合に、前記処理ユニットは、
前記UEの前記グループ識別子にしたがって、前記割り当てられたリソースを前記UEに通知するように構成される、請求項３９に記載の方法。
【請求項４１】
前記UEに関する前記転送優先順位にしたがって前記UEにリソースを割り当てる場合に、前記処理ユニットは、
転送優先順位の高い順に前記UEに前記リソースを割り当てるように構成される、請求項３４乃至４０のうちのいずれか１項に記載の方法。
【請求項４２】
基地局であって、
ユーザ機器UEによって送信されて論理チャネルグループ識別子を搬送するリソース要求メッセージを受信するように構成される受信ユニットと、
前記論理チャネルグループ識別子にしたがって前記UEに関する転送優先順位を決定するように構成される決定ユニットと、
前記UEに関する前記転送優先順位が前記UEに関する最も高い転送優先順位よりも低い場合に、前記UEに関する前記転送優先順位にしたがって前記UEにリソースを割り当て、前記割り当てられたリソースを前記UEに通知するように構成される処理ユニットと、を含む、
基地局。
【請求項４３】
前記受信ユニットは、さらに、
ホームサブスクライバーサーバHSSが送信する前記UEに関する前記最も高い転送優先順位を受信するか、又は、
近接サービス機能エンティティ又はアプリケーションサーバが送信する前記UEに関する前記最も高い転送優先順位を受信する、ように構成される、請求項４２に記載の方法。
【請求項４４】
前記UEに関する前記転送優先順位にしたがって前記UEに前記リソースを割り当てる場合に、前記処理ユニットは、
転送優先順位の高い順に前記UEに前記リソースを割り当てるように構成される、請求項４２又は４３に記載の方法。
【請求項４５】
前記決定ユニットは、
前記UEに関する前記転送優先順位と論理チャネルグループとの間の対応関係にしたがって、前記論理チャネルグループ識別子によって示される論理チャネルグループに対応する転送優先順位を決定するように構成される、請求項４２乃至４４のうちのいずれか１項に記載の方法。
【請求項４６】
前記UEに関する前記転送優先順位と論理チャネルグループとの間の前記対応関係が、前記基地局によって決定されるか、又は、
前記UEに関する前記転送優先順位と論理チャネルグループとの間の前記対応関係が、前記基地局によってあらかじめ設定されるか、又は、
前記UEに関する前記転送優先順位と論理チャネルグループとの間の前記対応関係が、無線リソース制御RRCシグナリングを使用することによって、前記UEによって送信されるか、又は、
前記UEに関する前記転送優先順位と論理チャネルグループとの間の前記対応関係が、前記近接サービス機能エンティティ又は前記アプリケーションサーバによって送信される、請求項４５に記載の方法。
【請求項４７】
前記決定ユニットは、さらに、
前記論理チャネルグループ識別子にしたがって前記UEに関する前記転送優先順位を決定する前に、前記UEに関する前記転送優先順位と論理チャネルグループとの間の前記対応関係を決定するように構成される、請求項４２乃至４５のうちのいずれか１項に記載の方法。
【請求項４８】
前記UEに関する前記転送優先順位と論理チャネルグループとの間の前記対応関係を決定する場合に、前記決定ユニットは、
前記UEがサポートするとともに前記近接サービス機能エンティティ又は前記アプリケーションサーバが送信する転送優先順位を受信し、そして、
前記UEがサポートする前記転送優先順位にしたがって、前記UEに関する前記転送優先順位と論理チャネルグループとの間の前記対応関係を決定する、ように構成される、請求項４７に記載の方法。
【請求項４９】
前記リソース要求メッセージは、さらに、前記UEのグループ識別子を搬送する、請求項４２乃至４８のうちのいずれか１項に記載の方法。
【請求項５０】
前記割り当てられたリソースを前記UEに通知する場合に、前記処理ユニットは、
前記UEの前記グループ識別子にしたがって、前記割り当てられたリソースを前記UEに通知するように構成される、請求項４９に記載の方法。
【発明の詳細な説明】
【技術分野】
【０００１】
本発明は、通信技術の分野に関し、特に、リソース割り当て方法、UE、及び基地局に関する。
【背景技術】
【０００２】
近接サービス(Proximity  Service,  ProSe)通信又はデバイス・トゥ・デバイス(Device  to  Device,  D2D)通信は、複数のユーザ機器(User  Equipment,  UE)が、互いに直接的に通信する1つの技術である。2つのUEの間のデータ転送及びシグナリング・インターラクションは、ネットワークを使用することなく、それらの2つのUEの間のインターフェイスによって直接的に行われてもよい。第3世代パートナーシッププロジェクト(3rd  Generation  Partnership  Project,  3GPP)におけるサービス及びシステム態様2(Service  and  System  Aspect,  SA2)は、図1に示されているProSeネットワークアーキテクチャを規定している。近接サービス機能(ProSe  Function)エンティティ及びアプリケーションサーバ(ProSe  Application  Service)は、ProSeサービスのための定義されるネットワークエンティティであり、サービス認証、パラメータ設定等に使用される。UE  A及びUE  Bが、ProSe通信を実行する場合に、基地局(eNodeB,  eNB)は、UE  A及びUE  Bにリソースを割り当てる必要がある。リソースを割り当てた後に、UE  A及びUE  Bは、直接的にデータを転送することが可能である。
【０００３】
UEは、ProSe通信によって複数の異なるサービスタイプのデータを転送し、これらのサービスタイプは、例えば、通常のデータ、音声、動画、及びメッセージを含む。複数の異なるサービスタイプは、複数の異なる転送優先順位を有している。例えば、音声又はリアルタイムで転送される必要がある動画等のサービスタイプの転送優先順位は、通常のデータ等のサービスタイプの転送優先順位よりも高い。従来技術においては、サービスタイプの転送優先順位にしたがってリソースを割り当てることが不可能であるため、相対的に高い転送優先順位を有するサービスタイプに対応するデータが低い効率で転送され、ユーザイクスペアリアンスが損なわれている。
【発明の概要】
【０００４】
本発明の複数の実施形態は、リソース割り当て方法、UE、及び基地局を提供して、サービスタイプの転送優先順位にしたがってリソースを割り当てることが不可能であるということに起因して、相対的に高い転送優先順位を有するサービスタイプに対応するデータが低い効率で転送され、ユーザイクスペアリアンスが損なわれているという従来技術の問題を解決する。
【０００５】
第1の態様によれば、リソース割り当て方法であって、
第1のサービスの転送優先順位が第1の転送優先順位であるということをユーザ機器UEによって決定するステップと、
転送優先順位と論理チャネルグループとの間の対応関係にしたがって、前記第1の転送優先順位に対応する論理チャネルグループが第1の論理チャネルグループであるということを前記UEによって決定するステップと、
第1の論理チャネルグループ識別子を搬送するリソース要求メッセージを前記UEによって基地局に送信するステップであって、前記第1の論理チャネルグループ識別子は、前記第1の論理チャネルグループを示すのに使用される、ステップと、
前記基地局が送信した通知メッセージを前記UEによって受信するステップであって、前記通知メッセージは、前記基地局が前記UEに割り当てたリソースに関する情報を搬送する、ステップと、
前記UEによって、前記リソースを使用することによって前記第1のサービスを転送するステップと、を含むリソース割り当て方法を提供する。
【０００６】
第1の態様に関して、第1の可能な実装において、第1のサービスの転送優先順位が第1の転送優先順位であるということをUEによって決定するステップは、
前記UEによって、前記第1のサービスのサービス優先順位を決定するステップと、
前記UEによって、サービス優先順位と転送優先順位との間の対応関係にしたがって、前記第1のサービスの前記サービス優先順位に対応する転送優先順位を決定するステップと、
前記第1の転送優先順位として前記第1のサービスの前記サービス優先順位に対応する前記転送優先順位を使用するステップと、を含む。
【０００７】
第1の態様の第1の可能な実装に関して、第2の可能な実装において、前記第1のサービスの前記サービス優先順位に対応する転送優先順位を決定するステップの前に、当該方法は、
近接サービス機能エンティティ又はアプリケーションサーバが送信するサービス優先順位と転送優先順位との間の対応関係を前記UEによって受信するステップをさらに含む。
【０００８】
第1の態様、又は第1の態様の第1又は第2の可能な実装のうちのいずれか1つに関して、第3の可能な実装において、転送優先順位と論理チャネルグループとの間の前記対応関係が、ネットワーク側によって送信されるか、又は、
転送優先順位と論理チャネルグループとの間の前記対応関係が、前記UEによって決定されるか、又は、
転送優先順位と論理チャネルグループとの間の前記対応関係が、前記UEによってあらかじめ設定される。
【０００９】
第1の態様、又は第1の態様の第1乃至第3の可能な実装のうちのいずれか1つに関して、第4の可能な実装において、前記第1の転送優先順位に対応する論理チャネルグループが第1の論理チャネルグループであるということを決定するステップの前に、当該方法は、
無線リソース制御RRCシグナリングを使用することによって前記基地局が送信する転送優先順位と論理チャネルグループとの間の前記対応関係を前記UEによって受信するステップ、又は、
前記近接サービス機能エンティティ又は前記アプリケーションサーバが送信する転送優先順位と論理チャネルグループとの間の前記対応関係を前記UEによって受信するステップ、をさらに含む。
【００１０】
第1の態様、又は第1の態様の第1乃至第4の可能な実装のうちのいずれか1つに関して、第5の可能な実装において、前記UEがグループ通信を実行する場合に、第1の論理チャネルグループ識別子を搬送するリソース要求メッセージを前記UEによって基地局に送信するステップの前に、当該方法は、
前記ネットワーク側が送信したグループ識別子を前記UEによって受信するステップをさらに含み、前記グループ識別子は、前記UEが、前記グループ識別子に対応するグループの中で通信を実行するように構成されるということを示すのに使用される。
【００１１】
第1の態様の第5の可能な実装に関して、第6の可能な実装において、前記ネットワーク側が送信したグループ識別子を前記UEによって受信するステップは、
RRCシグナリングを使用することによって前記基地局が送信するグループ識別子を受信するステップ、又は、
前記近接サービス機能エンティティ又は前記アプリケーションサーバが送信するグループ識別子を受信するステップ、を含む。
【００１２】
第1の態様の第5又は第6の可能な実装に関して、第7の可能な実装において、第1の論理チャネルグループ識別子を搬送するリソース要求メッセージを前記UEによって基地局に送信するステップは、
前記第1の論理チャネルグループ識別子及び前記グループ識別子を搬送する前記リソース要求メッセージを前記UEによって前記基地局に送信するステップを含む。
【００１３】
第2の態様によれば、リソース割り当て方法であって、
ユーザ機器UEによって送信されて論理チャネルグループ識別子を搬送するリソース要求メッセージを基地局によって受信するステップと、
前記基地局によって、前記論理チャネルグループ識別子にしたがって前記UEに関する転送優先順位を決定するステップと、
前記基地局によって、前記UEに関する前記転送優先順位にしたがって前記UEにリソースを割り当て、前記割り当てられたリソースを前記UEに通知するステップと、を含むソース割り当て方法を提供する。
【００１４】
第2の態様に関して、第1の可能な実装において、前記基地局によって、前記論理チャネルグループ識別子にしたがって前記UEに関する転送優先順位を決定するステップは、
前記基地局によって、前記UEに関する前記転送優先順位と論理チャネルグループとの間の対応関係にしたがって、前記論理チャネルグループ識別子によって示される論理チャネルグループに対応する転送優先順位を決定するステップを含む。
【００１５】
第2の態様の第1の可能な実装に関して、第2の可能な実装において、前記UEに関する前記転送優先順位と論理チャネルグループとの間の前記対応関係が、前記基地局によって決定されるか、又は、
前記UEに関する前記転送優先順位と論理チャネルグループとの間の前記対応関係が、前記基地局によってあらかじめ設定されるか、又は、
前記UEに関する前記転送優先順位と論理チャネルグループとの間の前記対応関係が、無線リソース制御RRCシグナリングを使用することによって、前記UEによって送信されるか、又は、
前記UEに関する前記転送優先順位と論理チャネルグループとの間の前記対応関係が、近接サービス機能エンティティ又はアプリケーションサーバによって送信される。
【００１６】
第2の態様又は第2の態様の第1の可能な実装に関して、第3の可能な実装において、前記基地局によって、前記論理チャネルグループ識別子にしたがって前記UEに関する転送優先順位を決定するステップの前に、当該方法は、
前記基地局によって、前記UEに関する前記転送優先順位と論理チャネルグループとの間の前記対応関係を決定するステップをさらに含む。
【００１７】
第2の態様の第3の可能な実装に関して、第4の可能な実装において、前記基地局によって、前記UEに関する前記転送優先順位と論理チャネルグループとの間の前記対応関係を決定するステップは、
前記UEがサポートするとともに近接サービス機能エンティティ又はアプリケーションサーバが送信する転送優先順位を前記基地局によって受信するステップと、
前記UEがサポートする前記転送優先順位にしたがって、前記UEに関する前記転送優先順位と論理チャネルグループとの間の前記対応関係を前記基地局によって決定するステップと、を含む。
【００１８】
第2の態様又は第2の態様の第1乃至第4の可能な実装のうちのいずれか1つに関して、第5の可能な実装において、前記リソース要求メッセージは、さらに、前記UEのグループ識別子を搬送する。
【００１９】
第2の態様の第5の可能な実装に関して、第6の可能な実装において、前記基地局によって、前記割り当てられたリソースを前記UEに通知するステップは、
前記UEの前記グループ識別子にしたがって前記割り当てられたリソースを前記UEに通知するステップを含む。
【００２０】
第2の態様又は第2の態様の第1乃至第6の可能な実装のうちのいずれか1つに関して、第7の可能な実装において、前記基地局によって、前記UEに関する前記転送優先順位にしたがって前記UEにリソースを割り当てるステップは、
前記基地局によって、転送優先順位の高い順に前記UEに前記リソースを割り当てるステップを含む。
【００２１】
第3の態様によれば、リソース割り当て方法であって、
ユーザ機器UEによって送信されて論理チャネルグループ識別子を搬送するリソース要求メッセージを基地局によって受信するステップと、
前記基地局によって、前記論理チャネルグループ識別子にしたがって前記UEに関する転送優先順位を決定するステップと、
前記UEに関する前記転送優先順位が前記UEに関する最も高い転送優先順位よりも低い場合に、前記基地局によって、前記UEに関する前記転送優先順位にしたがって前記UEにリソースを割り当て、前記割り当てられたリソースを前記UEに通知するステップと、を含むリソース割り当て方法を提供する。
【００２２】
第3の態様に関して、第1の可能な実装において、当該方法は、
ホームサブスクライバーサーバHSSが送信する前記UEに関する前記最も高い転送優先順位を前記基地局によって受信するステップ、又は、
近接サービス機能エンティティ又はアプリケーションサーバが送信する前記UEに関する前記最も高い転送優先順位を基地局によって受信するステップ、をさらに含む。
【００２３】
第3の態様又は第3の態様の第1の可能な実装に関して、第2の可能な実装において、前記基地局によって、前記UEに関する前記転送優先順位にしたがって前記UEにリソースを割り当てるステップは、
前記基地局によって、転送優先順位の高い順に前記UEに前記リソースを割り当てるステップを含む。
【００２４】
第3の態様、又は第3の態様の第1及び第2の可能な実装のうちのいずれか1つに関して、第3の可能な実装において、前記基地局によって、前記論理チャネルグループ識別子にしたがって前記UEに関する転送優先順位を決定するステップは、
前記基地局によって、前記UEに関する前記転送優先順位と論理チャネルグループとの間の対応関係にしたがって、前記論理チャネルグループ識別子によって示される論理チャネルグループに対応する転送優先順位を決定するステップを含む。
【００２５】
第3の態様の第3の可能な実装に関して、第4の可能な実装において、前記UEに関する前記転送優先順位と論理チャネルグループとの間の前記対応関係が、前記基地局によって決定されるか、又は、
前記UEに関する前記転送優先順位と論理チャネルグループとの間の前記対応関係が、前記基地局によってあらかじめ設定されるか、又は、
前記UEに関する前記転送優先順位と論理チャネルグループとの間の前記対応関係が、無線リソース制御RRCシグナリングを使用することによって、前記UEによって送信されるか、又は、
前記UEに関する前記転送優先順位と論理チャネルグループとの間の前記対応関係が、前記近接サービス機能エンティティ又は前記アプリケーションサーバによって送信される。
【００２６】
第3の態様又は第3の態様の第1乃至第3の可能な実装のうちのいずれか1つに関して、第5の可能な実装において、前記基地局によって、前記論理チャネルグループ識別子にしたがって前記UEに関する転送優先順位を決定するステップの前に、当該方法は、
前記基地局によって、前記UEに関する前記転送優先順位と論理チャネルグループとの間の前記対応関係を決定するステップをさらに含む。
【００２７】
第3の態様の第5の可能な実装に関して、第6の可能な実装において、前記基地局によって、前記UEに関する前記転送優先順位と論理チャネルグループとの間の前記対応関係を決定するステップは、
前記UEがサポートするとともに前記近接サービス機能エンティティ又は前記アプリケーションサーバが送信する転送優先順位を前記基地局によって受信するステップと、
前記UEがサポートする前記転送優先順位にしたがって、前記UEに関する前記転送優先順位と論理チャネルグループとの間の前記対応関係を前記基地局によって決定するステップと、を含む。
【００２８】
第3の態様又は第3の態様の第1乃至第6の可能な実装のうちのいずれか1つに関して、第7の可能な実装において、前記リソース要求メッセージは、さらに、前記UEのグループ識別子を搬送する。
【００２９】
第3の態様の第7の可能な実装に関して、第8の可能な実装において、前記基地局によって、前記割り当てられたリソースを前記UEに通知するステップは、
前記UEの前記グループ識別子にしたがって前記割り当てられたリソースを前記UEに通知するステップを含む。
【００３０】
第4の態様によれば、UEであって、
第1のサービスの転送優先順位が第1の転送優先順位であるということを決定するように構成される第1の決定ユニットと、
転送優先順位と論理チャネルグループとの間の対応関係にしたがって、前記第1の転送優先順位に対応する論理チャネルグループが第1の論理チャネルグループであるということを決定するように構成される第2の決定ユニットと、
第1の論理チャネルグループ識別子を搬送するリソース要求メッセージを基地局に送信するように構成され、前記第1の論理チャネルグループ識別子は、前記第1の論理チャネルグループを示すのに使用され、前記基地局が送信する通知メッセージを受信するように構成され、前記通知メッセージは、前記基地局が前記UEに割り当てたリソースに関する情報を搬送し、そして、前記リソースを使用することによって前記第1のサービスを転送するように構成される通信ユニットと、を含むUEが提供される。
【００３１】
第4の態様に関して、第1の可能な実装において、前記第1の決定ユニットは、
前記第1のサービスのサービス優先順位を決定し、
サービス優先順位と転送優先順位との間の対応関係にしたがって、前記第1のサービスの前記サービス優先順位に対応する転送優先順位を決定し、そして、
前記第1の転送優先順位として前記第1のサービスの前記サービス優先順位に対応する前記転送優先順位を使用する、ように構成される。
【００３２】
第4の態様の第1の可能な実装に関して、第2の可能な実装において、前記通信ユニットは、さらに、
前記第1の決定ユニットが、前記第1のサービスの前記サービス優先順位に対応する前記転送優先順位を決定する前に、近接サービス機能エンティティ又はアプリケーションサーバが送信するサービス優先順位と転送優先順位との間の前記対応関係を受信するように構成される。
【００３３】
第4の態様又は第4の態様の第1及び第2の可能な実装のうちのいずれか1つに関して、第3の可能な実装において、転送優先順位と論理チャネルグループとの間の前記対応関係が、ネットワーク側によって送信されるか、又は、
転送優先順位と論理チャネルグループとの間の前記対応関係が、前記UEによって決定されるか、又は、
転送優先順位と論理チャネルグループとの間の前記対応関係が、前記UEによってあらかじめ設定される。
【００３４】
第4の態様又は第4の態様の第1乃至第3の可能な実装のうちのいずれか1つに関して、第4の可能な実装において、前記通信ユニットは、さらに、
前記第2の決定ユニットが、前記第1の転送優先順位に対応する論理チャネルグループが前記第1の論理チャネルグループであるということを決定する前に、無線リソース制御RRCシグナリングを使用することによって前記基地局が送信する転送優先順位と論理チャネルグループとの間の前記対応関係を受信するか、又は、
前記近接サービス機能エンティティ又は前記アプリケーションサーバが送信する転送優先順位と論理チャネルグループとの間の前記対応関係を受信する、ように構成される。
【００３５】
第4の態様又は第4の態様の第1乃至第4の可能な実装のうちのいずれか1つに関して、第5の可能な実装において、前記通信ユニットは、さらに、
前記UEがグループ通信を実行する場合に、前記第1の論理チャネルグループ識別子を搬送する前記リソース要求メッセージを前記基地局に送信する前に、前記ネットワーク側が送信したグループ識別子を受信するように構成され、前記グループ識別子は、前記UEが、前記グループ識別子に対応するグループの中で通信を実行するように構成されるということを示すのに使用される。
【００３６】
第4の態様の第5の可能な実装に関して、第6の可能な実装において、前記通信ユニットが、前記ネットワーク側が送信したグループ識別子を受信することは、
RRCシグナリングを使用することによって前記基地局が送信するグループ識別子を受信すること、又は、
前記近接サービス機能エンティティ又は前記アプリケーションサーバが送信するグループ識別子を受信すること、を含む。
【００３７】
第4の態様の第5又は第6の可能な実装に関して、第7の可能な実装において、前記通信ユニットは、
前記第1の論理チャネルグループ識別子及び前記グループ識別子を搬送する前記リソース要求メッセージを前記基地局に送信するように構成される。
【００３８】
第5の態様によれば、基地局であって、
ユーザ機器UEによって送信されて論理チャネルグループ識別子を搬送するリソース要求メッセージを受信するように構成される受信ユニットと、
前記論理チャネルグループ識別子にしたがって前記UEに関する転送優先順位を決定するように構成される決定ユニットと、
前記UEに関する前記転送優先順位にしたがって前記UEにリソースを割り当て、前記割り当てられたリソースを前記UEに通知するように構成される処理ユニットと、を含む基地局が提供される。
【００３９】
第5の態様に関して、第1の可能な実装において、前記決定ユニットは、
前記UEに関する前記転送優先順位と論理チャネルグループとの間の対応関係にしたがって、前記論理チャネルグループ識別子によって示される論理チャネルグループに対応する転送優先順位を決定するように構成される。
【００４０】
第5の態様の第1の可能な実装に関して、第2の可能な実装において、前記UEに関する前記転送優先順位と論理チャネルグループとの間の前記対応関係が、前記基地局によって決定されるか、又は、
前記UEに関する前記転送優先順位と論理チャネルグループとの間の前記対応関係が、前記基地局によってあらかじめ設定されるか、又は、
前記UEに関する前記転送優先順位と論理チャネルグループとの間の前記対応関係が、無線リソース制御RRCシグナリングを使用することによって、前記UEによって送信されるか、又は、
前記UEに関する前記転送優先順位と論理チャネルグループとの間の前記対応関係が、近接サービス機能エンティティ又はアプリケーションサーバによって送信される。
【００４１】
第5の態様又は第5の態様の第1の可能な実装に関して、第3の可能な実装において、前記決定ユニットは、さらに、
前記論理チャネルグループ識別子にしたがって前記UEに関する前記転送優先順位を決定する前に、前記UEに関する前記転送優先順位と論理チャネルグループとの間の前記対応関係を決定するように構成される。
【００４２】
第5の態様の第3の可能な実装に関して、第4の可能な実装において、前記UEに関する前記転送優先順位と論理チャネルグループとの間の前記対応関係を決定する場合に、前記決定ユニットは、
前記UEがサポートするとともに近接サービス機能エンティティ又はアプリケーションサーバが送信する転送優先順位を受信し、そして、
前記UEがサポートする前記転送優先順位にしたがって、前記UEに関する前記転送優先順位と論理チャネルグループとの間の前記対応関係を決定する、ように構成される。
【００４３】
第5の態様又は第5の態様の第1乃至第4の可能な実装のうちのいずれか1つに関して、第5の可能な実装において、前記リソース要求メッセージは、さらに、前記UEのグループ識別子を搬送する。
【００４４】
第5の態様の第5の可能な実装に関して、第6の可能な実装において、前記割り当てられたリソースを前記UEに通知する場合に、前記処理ユニットは、
前記UEの前記グループ識別子にしたがって前記割り当てられたリソースを前記UEに通知するように構成される。
【００４５】
第5の態様又は第5の態様の第1乃至第6の可能な実装のうちのいずれか1つに関して、第7の可能な実装において、前記UEに関する前記転送優先順位にしたがって前記UEにリソースを割り当てる場合に、前記処理ユニットは、
転送優先順位の高い順に前記UEに前記リソースを割り当てるように構成される。
【００４６】
第6の態様によれば、基地局であって、
ユーザ機器UEによって送信されて論理チャネルグループ識別子を搬送するリソース要求メッセージを受信するように構成される受信ユニットと、
前記論理チャネルグループ識別子にしたがって前記UEに関する転送優先順位を決定するように構成される決定ユニットと、
前記UEに関する前記転送優先順位が前記UEに関する最も高い転送優先順位よりも低い場合に、前記UEに関する前記転送優先順位にしたがって前記UEにリソースを割り当て、前記割り当てられたリソースを前記UEに通知するように構成される処理ユニットと、を含む基地局が提供される。
【００４７】
第6の態様に関して、第1の可能な実装において、前記受信ユニットは、さらに、
ホームサブスクライバーサーバHSSが送信する前記UEに関する前記最も高い転送優先順位を受信するか、又は、
近接サービス機能エンティティ又はアプリケーションサーバが送信する前記UEに関する前記最も高い転送優先順位を受信する、ように構成される。
【００４８】
第6の態様又は第6の態様の第1の可能な実装に関して、第2の可能な実装において、前記UEに関する前記転送優先順位にしたがって前記UEに前記リソースを割り当てる場合に、前記処理ユニットは、
転送優先順位の高い順に前記UEに前記リソースを割り当てるように構成される。
【００４９】
第6の態様又は第6の態様の第1及び第2の可能な実装のうちのいずれか1つに関して、第3の可能な実装において、前記決定ユニットは、
前記UEに関する前記転送優先順位と論理チャネルグループとの間の対応関係にしたがって、前記論理チャネルグループ識別子によって示される論理チャネルグループに対応する転送優先順位を決定するように構成される。
【００５０】
第6の態様の第3の可能な実装に関して、第4の可能な実装において、前記UEに関する前記転送優先順位と論理チャネルグループとの間の前記対応関係が、前記基地局によって決定されるか、又は、
前記UEに関する前記転送優先順位と論理チャネルグループとの間の前記対応関係が、前記基地局によってあらかじめ設定されるか、又は、
前記UEに関する前記転送優先順位と論理チャネルグループとの間の前記対応関係が、無線リソース制御RRCシグナリングを使用することによって、前記UEによって送信されるか、又は、
前記UEに関する前記転送優先順位と論理チャネルグループとの間の前記対応関係が、前記近接サービス機能エンティティ又は前記アプリケーションサーバによって送信される。
【００５１】
第6の態様又は第6の態様の第1乃至第3の可能な実装のうちのいずれか1つに関して、第5の可能な実装において、前記決定ユニットは、さらに、
前記論理チャネルグループ識別子にしたがって前記UEに関する前記転送優先順位を決定する前に、前記UEに関する前記転送優先順位と論理チャネルグループとの間の前記対応関係を決定するように構成される。
【００５２】
第3の態様の第5の可能な実装に関して、第6の可能な実装において、前記UEに関する前記転送優先順位と論理チャネルグループとの間の前記対応関係を決定する場合に、前記決定ユニットは、
前記UEがサポートするとともに前記近接サービス機能エンティティ又は前記アプリケーションサーバが送信する転送優先順位を受信し、そして、
前記UEがサポートする前記転送優先順位にしたがって、前記UEに関する前記転送優先順位と論理チャネルグループとの間の前記対応関係を決定する、ように構成される。
【００５３】
第6の態様又は第6の態様の第1乃至第6の可能な実装のうちのいずれか1つに関して、第7の可能な実装において、前記リソース要求メッセージは、さらに、前記UEのグループ識別子を搬送する。
【００５４】
第6の態様の第7の可能な実装に関して、第8の可能な実装において、前記割り当てられたリソースを前記UEに通知する場合に、前記処理ユニットは、
前記UEの前記グループ識別子にしたがって前記割り当てられたリソースを前記UEに通知するように構成される。
【００５５】
本発明の複数の実施形態において、UEは、第1のサービスの転送優先順位が第1の転送優先順位であるということを決定し、そのサービスの第1の転送優先順位にしたがって、対応する第1の論理チャネルグループを決定し、そして、その第1の論理チャネルグループを示す第1の論理チャネルグループ識別子を搬送するリソース要求メッセージを基地局に送信する。基地局は、リソース要求メッセージの中で搬送される第1の論理チャネルグループ識別子にしたがって、そのUEに関する転送優先順位を決定して、そのUEにリソースを割り当ててもよい。この手法により、UEは、論理チャネルグループを使用することによって、あるサービスの転送優先順位を基地局に通知してもよく、基地局は、その論理チャネルグループを使用することによって、そのUEに関する転送優先順位を知ることが可能であり、それによって、その転送優先順位にしたがってそのUEにリソースを割り当てる。リソースは、転送優先順位にしたがって割り当てられて、リソースが、高い転送優先順位を持つサービスに優先的に割り当てられるということを保証する。このことは、データ転送効率を改善するとともに、ユーザイクスペアリアンスを改善する。
【図面の簡単な説明】
【００５６】
【図１】従来技術にしたがったProSeネットワークアーキテクチャの概略的な図である。
【図２】本発明の1つの実施形態にしたがった第1のリソース割り当て方法のフローチャートである。
【図３】本発明の1つの実施形態にしたがった第2のリソース割り当て方法のフローチャートである。
【図４】本発明の1つの実施形態にしたがった第2のリソース割り当て方法のフローチャートである。
【図５】本発明の1つの実施形態にしたがった第1のリソース割り当て方法の1つの特定のフローチャートである。
【図６】本発明の1つの実施形態にしたがった第2のリソース割り当て方法の1つの特定のフローチャートである。
【図７】本発明の1つの実施形態にしたがった第3のリソース割り当て方法の1つの特定のフローチャートである。
【図８】本発明の1つの実施形態にしたがった第4のリソース割り当て方法の1つの特定のフローチャートである。
【図９】本発明の1つの実施形態にしたがった第5のリソース割り当て方法の1つの特定のフローチャートである。
【図１０】本発明の1つの実施形態にしたがった第6のリソース割り当て方法の1つの特定のフローチャートである。
【図１１】本発明の1つの実施形態にしたがった第7のリソース割り当て方法の1つの特定のフローチャートである。
【図１２】本発明の1つの実施形態にしたがってUEの最も高い優先順位を取得する1つの特定のフローチャートである。
【図１３】本発明の1つの実施形態にしたがったUEの概略的な構成図である。
【図１４】本発明の1つの実施形態にしたがった基地局の概略的な構成図である。
【図１５】本発明の1つの実施形態にしたがった基地局の概略的な構成図である。
【図１６】本発明の1つの実施形態にしたがったUEの構成図である。
【図１７】本発明の1つの実施形態にしたがった基地局の構成図である。
【図１８】本発明の1つの実施形態にしたがった基地局の構成図である。
【発明を実施するための形態】
【００５７】
本発明の目的、技術的解決方法、及び利点をより明確にするために、以下の記載は、複数の添付の図面を参照して、本発明をさらに詳細に説明する。明らかなことではあるが、それらの説明される複数の実施形態は、本発明の複数の実施形態のすべてではなく、むしろそれらの一部にすぎない。創造的な努力を行うことなく本発明の複数の実施形態に基づいて当業者が得ることができるすべての他の実施形態は、本発明の保護範囲に属するものとする。
【００５８】
本発明の複数の実施形態は、リソース割り当て方法、UE、及び基地局を提供して、従来技術の1つの問題を解決し、その従来技術の問題は、サービスタイプに関する転送優先順位にしたがってリソースを割り当てることが不可能であるということに起因して、相対的に高い転送優先順位を持つサービスタイプに対応するデータが、低い効率で転送され、ユーザイクスペアリアンスが損なわれるということである。方法の実施形態及び装置の実施形態は、同じ独創的な概念に基づいている。上記の問題を解決する方法の実施形態及び装置の実施形態の原理は同様であるので、装置の実施形態及び方法の実施形態の実装を相互に参照してもよい。いずれの説明も反復しては行われない。
【００５９】
本発明の複数の技術的解決方法によれば、UEは、第1のサービスの転送優先順位が第1の転送優先順位であるということを決定し、第1の転送優先順位に対応する第1の論理チャネルグループを決定し、そして、その第1の論理チャネルグループを示す第1の論理チャネルグループ識別子を搬送するリソース要求メッセージを基地局に送信する。基地局は、リソース要求メッセージの中で搬送される第1の論理チャネルグループ識別子にしたがって、そのUEに関する転送優先順位を決定して、そのUEにリソースを割り当ててもよい。この手法により、UEは、論理チャネルグループ識別子を使用することによって、あるサービスの転送優先順位を基地局に通知してもよく、基地局は、その論理チャネルグループ識別子を使用することによって、そのUEに関する転送優先順位を知ることが可能であり、それによって、その転送優先順位にしたがってそのUEにリソースを割り当てる。リソースは、転送優先順位にしたがって割り当てられて、リソースが、高い転送優先順位を持つサービスに優先的に割り当てられるということを保証する。このことは、データ転送効率を改善するとともに、ユーザイクスペアリアンスを改善する。
【００６０】
本発明の複数の実施形態は、リソース割り当て方法、UE、及び基地局を提供し、それらのリソース割り当て方法、UE、及び基地局は、ProSeネットワークアーキテクチャに適用可能であり、ProSeネットワークアーキテクチャにおいては、ProSeサービスを実装することが可能である。以下の記載は、複数の添付の図面を参照して、本発明の複数の好ましい実施形態を詳細に説明する。
【００６１】
本発明の1つの実施形態は、リソース割り当て方法を提供し、その方法は、UE側に適用可能である。図2を参照すると、その方法の1つの特定の手順は、以下のステップを含む。
【００６２】
ステップ201:  UEは、第1のサービスの転送優先順位が第1の転送優先順位であるということを決定する。
【００６３】
選択的に、第1のサービスは、そのUEによって起動されるサービスであり、そのUEは、他のUEとの間で通信する必要がある。
【００６４】
選択的に、UEが、第1のサービスの転送優先順位が第1の転送優先順位であるということを決定することは、
UEによって、第1のサービスのサービス優先順位を決定することと、
UEによって、サービス優先順位と転送優先順位との間の対応関係にしたがって、第1のサービスのサービス優先順位に対応する転送優先順位を決定することと、
第1の転送優先順位として第1のサービスのサービス優先順位に対応する決定された転送優先順位を使用することと、を含む。
【００６５】
UEは、第1のサービスのサービスタイプ、第1のサービスのサービス情報、又はサービスとサービス優先順位との間の対応関係にしたがって、第1のサービスのサービス優先順位を決定してもよい。このことは、本発明においては限定されない。例えば、サービスapp[1]のサービス優先順位は、service  priority[0]として決定され、サービスapp[2]のサービス優先順位は、service  priority[0]として決定され、サービスapp[3]のサービス優先順位は、service  priority[1]として決定される。
【００６６】
選択的に、サービス優先順位と転送優先順位との間の対応関係は、ネットワーク側によって送信されるか、又は、
サービス優先順位と転送優先順位との間の対応関係は、UEによってあらかじめ設定される。
【００６７】
選択的に、サービス優先順位と転送優先順位との間の対応関係がネットワーク側によって送信される場合には、ステップ201が実行される前に、上記の方法は、ネットワーク側が送信するサービス優先順位と転送優先順位との間の対応関係をUEによって受信するステップをさらに含み、そのステップは、特に、
近接サービス機能エンティティ又はアプリケーションサーバが送信するサービス優先順位と転送優先順位との間の対応関係をUEによって受信するステップをさらに含む。
【００６８】
ステップ202:  UEは、転送優先順位と論理チャネルグループとの間の対応関係にしたがって、第1の転送優先順位に対応する論理チャネルグループが第1の論理チャネルグループであるということを決定する。
【００６９】
選択的に、転送優先順位と論理チャネルグループとの間の対応関係は、ネットワーク側によって送信されるか、又は、
転送優先順位と論理チャネルグループとの間の対応関係は、UEによって決定されるか、又は、
転送優先順位と論理チャネルグループとの間の対応関係は、UEによってあらかじめ設定される。
【００７０】
選択的に、ステップ202が実行される前に、上記の方法は、ネットワーク側が送信する転送優先順位と論理チャネルグループとの間の対応関係をUEによって受信するステップをさらに含み、そのステップは、
無線リソース制御(Radio  Resource  Control,  RRC)シグナリングを使用することによって基地局が送信する転送優先順位と論理チャネルグループとの間の対応関係をUEによって受信するステップ、又は、
近接サービス機能エンティティ又はアプリケーションサーバが送信する転送優先順位と論理チャネルグループとの間の対応関係をUEによって受信するステップ、を含む。
【００７１】
選択的に、転送優先順位と論理チャネルグループ識別子との間の対応関係が、UEによって決定される場合に、ステップ202が実行される前に、上記の方法は、転送優先順位と論理チャネルグループ識別子との間の対応関係をUEによって決定するステップをさらに含み、そのステップは、
例えば、transfer  priority[0]、transfer  priority[1]、transfer  priority[2]、又はtransfer  priority[3]等の、UEがサポートするとともに近接サービス機能エンティティ又はアプリケーションサーバが送信する転送優先順位をUEによって受信するステップと、
UEがサポートする転送優先順位にしたがって、転送優先順位と論理チャネルグループとの間の対応関係をUEによって決定するステップと、を含む。UEは、あらかじめ設定された規則にしたがって、UEがサポートする転送優先順位を論理チャネルグループにマッピングしてもよく、転送優先順位と論理チャネルグループとの間の対応関係を決定してもよい。例えば、UEは、transfer  priority[0]又はtransfer  priority[1]とLCG[0]との間の対応関係を確立し、そして、transfer  priority[2]又はtransfer  priority[3]とLCG[1]との間の対応関係を確立する。
【００７２】
UEがグループ通信を実行する場合に、ステップ203が実行される前に、上記の方法は、
ネットワーク側が送信したグループ識別子をUEによって受信するステップをさらに含み、グループ識別子は、UEが、グループ識別子に対応するグループの中で通信を実行するように構成されるということを示すのに使用される。
【００７３】
選択的に、ネットワーク側が送信したグループ識別子をUEによって受信するステップは、
RRCシグナリングを使用することによって基地局が送信するグループ識別子を受信するステップ、又は、
近接サービス機能エンティティ又はアプリケーションサーバが送信するグループ識別子を受信するステップ、を含む。
【００７４】
現在に仕様においては、4つの論理チャネルグループが定義され、論理チャネルグループ識別子は、LCG[0]、LCG[1]、LCG[2]、及びLCG[3]である。論理チャネルグループの各々に対応する転送優先順位は、特に、複数の異なる実際のシナリオにしたがって設定されてもよい。このことは、本発明においては限定されない。
【００７５】
ステップ203:  UEは、第1の論理チャネルグループ識別子を搬送するリソース要求メッセージを基地局に送信し、第1の論理チャネルグループ識別子は、第1の論理チャネルグループを示すのに使用される。
【００７６】
ステップ203を実行することによって、UEは、第1の論理チャネルグループ識別子を搬送するリソース要求メッセージを基地局に送信して、その第1の論理チャネルグループ識別子にしたがってそのUEにリソースを割り当てることをその基地局に要求する。
【００７７】
UEが、ネットワーク側が送信したグループ識別子を受信した後に、UEが、第1の論理チャネルグループ識別子を搬送するリソース要求メッセージを基地局に送信することは、
第1の論理チャネルグループ識別子及びグループ識別子を搬送するリソース要求メッセージをUEによって基地局に送信して、第1の論理チャネルグループ識別子及びグループ識別子に基づいて、UEにリソースを割り当てることを基地局に要求することを含む。
【００７８】
ステップ204:  UEは、基地局が送信した通知メッセージを受信し、通知メッセージは、基地局がUEに割り当てたリソースに関する情報を搬送し、UEは、そのリソースを使用することによって第1のサービスを転送する。
【００７９】
基地局が、第1の論理チャネルグループ識別子に基づいて、UEにリソースを割り当てた後に、基地局は、そのUEに通知メッセージを送信し、それによって、UEは、その通知メッセージを使用することによって、UEがUEに割り当てたリソースを決定する。
【００８０】
本発明の上記の実施形態にしたがったリソース割り当て方法によれば、UEは、第1のサービスの第1の転送優先順位を決定し、第1の転送優先順位に対応する第1の論理チャネルグループ識別子を決定し、そして、第1の論理チャネルグループ識別子を搬送するリソース要求メッセージを基地局に送信する。基地局は、リソース要求メッセージの中で搬送される第1の論理チャネルグループ識別子にしたがって、そのUEに関する転送優先順位を決定して、そのUEにリソースを割り当ててもよい。この手法により、UEは、論理チャネルグループ識別子を使用することによって、あるサービスの転送優先順位を基地局に通知してもよく、基地局は、その論理チャネルグループ識別子を使用することによって、そのUEに関する転送優先順位を知ることが可能であり、それによって、その転送優先順位にしたがってそのUEにリソースを割り当てる。リソースは、転送優先順位にしたがって割り当てられて、リソースが、高い転送優先順位を持つサービスに優先的に割り当てられるということを保証する。このことは、データ転送効率を改善するとともに、ユーザイクスペアリアンスを改善する。
【００８１】
本発明の1つの実施形態は、リソース割り当て方法を提供し、その方法は、基地局側に適用することが可能である。図3を参照すると、その方法の1つの特定の手順は、以下のステップを含む。
【００８２】
ステップ301:  基地局は、UEによって送信されて論理チャネルグループ識別子を搬送するリソース要求メッセージを受信する。
【００８３】
論理チャネルグループ識別子は、リソース要求メッセージを報告するUEが第1のサービスのために決定した論理チャネルグループを示すのに使用される。特に、UEが第1のサービスの論理チャネルグループを決定する1つの特定の手順は、上記の実施形態におけるステップ201及びステップ202である。
【００８４】
ステップ302:  基地局は、論理チャネルグループ識別子にしたがってUEに関する転送優先順位を決定する。
【００８５】
選択的に、ステップ302が実行される場合に、上記の方法は、
基地局によって、UEに関する転送優先順位と論理チャネルグループとの間の対応関係にしたがって、論理チャネルグループ識別子によって示される論理チャネルグループに対応する転送優先順位を決定するステップを含む。
【００８６】
UEに関する転送優先順位と論理チャネルグループとの間の対応関係が、基地局によって決定されるか、又は、
UEに関する転送優先順位と論理チャネルグループとの間の対応関係が、基地局によってあらかじめ設定されるか、又は、
UEに関する転送優先順位と論理チャネルグループとの間の対応関係が、無線リソース制御RRCシグナリングを使用することによって、UEによって送信されるか、又は、
UEに関する転送優先順位と論理チャネルグループとの間の対応関係が、近接サービス機能エンティティ又はアプリケーションサーバによって送信される。
【００８７】
基地局によって、UEに関する転送優先順位と論理チャネルグループ識別子との間の対応関係を決定する場合には、ステップ302が実行される前に、上記の方法は、
基地局によって、UEに関する転送優先順位と論理チャネルグループとの間の対応関係を決定するステップをさらに含み、そのステップは、特に、
例えば、transfer  priority[0]、transfer  priority[1]、transfer  priority[2]、又はtransfer  priority[3]等の、UEがサポートするとともに近接サービス機能エンティティ又はアプリケーションサーバが送信する転送優先順位を基地局によって受信するステップと、
UEがサポートする転送優先順位にしたがって、UEに関する転送優先順位と論理チャネルグループとの間の対応関係を基地局によって決定するステップと、を含む。基地局は、あらかじめ設定された規則にしたがって、UEがサポートする転送優先順位を論理チャネルグループにマッピングしてもよく、転送優先順位と論理チャネルグループとの間の対応関係を決定してもよい。例えば、基地局は、transfer  priority[0]又はtransfer  priority[1]とLCG[0]との間の対応関係を確立し、そして、transfer  priority[2]又はtransfer  priority[3]とLCG[1]との間の対応関係を確立する。
【００８８】
ステップ303:  基地局は、UEに関する転送優先順位にしたがってUEにリソースを割り当て、割り当てられたリソースをUEに通知する。
【００８９】
基地局は、通常、複数のUEが送信するリソース要求メッセージを受信して、それらの複数のUEに関する複数の転送優先順位を決定する。したがって、ステップ303が実行される場合には、基地局は、転送優先順位の高い順にそれらの複数のUEの各々にリソースを割り当てる。
【００９０】
例えば、第1のUEに関する転送優先順位は、第1のUEが送信した論理チャネルグループ識別子にしたがって、transfer  priority[2]として決定され、第2のUEの転送優先順位は、第2のUEが送信した論理チャネルグループ識別子にしたがって、transfer  priority[1]として決定され、transfer  priority[1]は、transfer  priority[2]よりも高い。この場合には、リソースは、第2のUEに優先的に割り当てられ、その次に、リソースは、第1のUEに割り当てられる。
【００９１】
選択的に、そのUEに関する複数の転送優先順位が存在してもよい。そのUEに関する複数の転送優先順位が存在する場合には、そのUEに関するそれらの複数の転送優先順位から最も高い転送優先順位又は最も低い転送優先順位を選択してもよく、その後、リソースは、そのUEに関する選択されたもっとも高い転送優先順位又は選択されたもっとも低い転送優先順位に基づいて、転送優先順位の高い順にUEに割り当てられる。このことは、本発明においては限定されない。
【００９２】
選択的に、ステップ301において、基地局が受信するリソース要求メッセージは、さらに、グループ識別子を搬送する。
【００９３】
基地局が、割り当てられたリソースをUEに通知することは、
そのUEのグループ識別子にしたがって割り当てられたリソースをそのUEに通知することを含む。
【００９４】
特に、基地局は、割り当てられたリソースを、UEのグループ識別子に対応するグループの中のすべてのUEに通知する。そのUEは、そのグループ識別子に対応するグループの中に存在するため、そのUEは、基地局が送信するとともに割り当てられたリソースに関する通知を受信してもよい。
【００９５】
本発明の上記の実施形態にしたがったリソース割り当て方法によれば、基地局は、UEによって報告されるとともに論理チャネルグループ識別子を搬送するリソース要求メッセージを受信し、その論理チャネルグループ識別子にしたがってそのUEに関する転送優先順位を決定し、そのUEに関する転送優先順位にしたがってそのUEにリソースを割り当て、そして、割り当てられたリソースをそのUEに通知する。この手法により、基地局は、そのUEが報告した論理チャネルグループ識別子を使用することによって、そのUEに関する転送優先順位を知ることが可能であり、その転送優先順位にしたがってそのUEにリソースを割り当てる。リソースは、転送優先順位にしたがって割り当てられて、リソースが、高い転送優先順位を持つサービスに優先的に割り当てられるということを保証する。このことは、データ転送効率を改善するとともに、ユーザイクスペアリアンスを改善する。
【００９６】
本発明の1つの実施形態は、リソース割り当て方法を提供し、その方法は、基地局側に適用可能である。図4を参照すると、その方法の1つの特定の手順は、以下のステップを含む。
【００９７】
ステップ401:  基地局は、UEによって報告されて論理チャネルグループ識別子を搬送するリソース要求メッセージを受信する。
【００９８】
論理チャネルグループ識別子は、リソース要求メッセージを報告するUEが第1のサービスのために決定した論理チャネルグループを示すのに使用される。特に、UEが第1のサービスの論理チャネルグループを決定する1つの特定の手順は、上記の実施形態におけるステップ201及びステップ202である。
【００９９】
ステップ402:  基地局は、論理チャネルグループ識別子にしたがってUEに関する転送優先順位を決定する。
【０１００】
選択的に、ステップ402が実行される場合に、上記の方法は、
基地局によって、UEに関する転送優先順位と論理チャネルグループとの間の対応関係にしたがって、論理チャネルグループ識別子によって示される論理チャネルグループに対応する転送優先順位を決定するステップを含む。
【０１０１】
選択的に、UEに関する転送優先順位と論理チャネルグループとの間の対応関係が、基地局によって決定されるか、又は、
UEに関する転送優先順位と論理チャネルグループとの間の対応関係が、基地局によってあらかじめ設定されるか、又は、
UEに関する転送優先順位と論理チャネルグループとの間の対応関係が、無線リソース制御RRCシグナリングを使用することによって、UEによって送信されるか、又は、
UEに関する転送優先順位と論理チャネルグループとの間の対応関係が、近接サービス機能エンティティ又はアプリケーションサーバによって送信される。
【０１０２】
UEに関する転送優先順位と論理チャネルグループとの間の対応関係が、基地局によって決定される場合には、ステップ402が実行される前に、上記の方法は、
基地局によって、UEに関する転送優先順位と論理チャネルグループとの間の対応関係を決定するステップをさらに含み、そのステップは、特に、
UEがサポートするとともに近接サービス機能エンティティ又はアプリケーションサーバが送信する転送優先順位を基地局によって受信するステップと、
UEがサポートする転送優先順位にしたがって、UEに関する転送優先順位と論理チャネルグループとの間の対応関係を基地局によって決定するステップと、を含む。
【０１０３】
ステップ403:  UEに関する転送優先順位がUEに関する最も高い転送優先順位よりも低い場合に、基地局は、UEに関する転送優先順位にしたがってUEにリソースを割り当て、割り当てられたリソースをUEに通知する。
【０１０４】
選択的に、ステップ403が実行される前に、上記の方法は、基地局によって、UEに関する最も高い転送優先順位を決定するステップをさらに含み、そのステップは、
ホームサブスクライバーサーバ(Home  Subscriber  Server,  HSS)が送信するUEに関する最も高い転送優先順位を基地局によって受信するステップ、又は、
近接サービス機能エンティティ又はアプリケーションサーバが送信するUEに関する最も高い転送優先順位を基地局によって受信するステップ、を含む。
【０１０５】
HSSが送信する各々のUEに関する最も高い転送優先順位を受信する場合に、選択的に、その最も高い転送優先順位は、最初に、MMEに送信され、次に、MMEによって基地局に送信される。
【０１０６】
選択的に、ステップ403が実行される場合に、上記の方法は、
そのUEに関する転送優先順位とそのUEに関する最も高い転送優先順位とを比較し、そのUEに関する転送優先順位がそのUEに関する最も高い転送優先順位よりも低いということを決定する場合に、そのUEにリソースを割り当てるステップを含む。
【０１０７】
選択的に、そのUEに関する複数の転送優先順位が存在してもよい。そのUEに関する複数の決定された転送優先順位が存在する場合には、そのUEに関するそれらの複数の転送優先順位の各々が、そのUEに関する最も高い転送優先順位よりも低いときに、リソースは、そのUEに割り当てられてもよい。
【０１０８】
選択的に、基地局が、UEに関する転送優先順位にしたがってUEにリソースを割り当てることは、
基地局によって、転送優先順位の高い順にUEにリソースを割り当てることを含む。
【０１０９】
基地局は、通常、複数のUEが送信するリソース要求メッセージを受信して、それらの複数のUEに関する複数の転送優先順位を決定する。したがって、ステップ403が実行される場合には、基地局は、転送優先順位の高い順にそれらの複数のUEの各々にリソースを割り当てる。
【０１１０】
選択的に、そのUEに関する複数の転送優先順位が存在してもよい。そのUEに関する複数の転送優先順位が存在する場合には、そのUEに関するそれらの複数の転送優先順位から最も高い転送優先順位又は最も低い転送優先順位を選択してもよく、その後、リソースは、そのUEに関する選択されたもっとも高い転送優先順位又は選択されたもっとも低い転送優先順位に基づいて、転送優先順位の高い順にそのUEに割り当てられる。このことは、本発明においては限定されない。
【０１１１】
選択的に、ステップ401において、基地局が受信するリソース要求メッセージは、さらに、グループ識別子を搬送する。
【０１１２】
基地局が、割り当てられたリソースをUEに通知することは、
そのUEのグループ識別子にしたがって、割り当てられたリソースをそのUEに通知することを含む。特に、基地局は、割り当てられたリソースを、そのUEのグループ識別子に対応するグループの中のすべてのUEに通知する。そのUEは、そのグループ識別子に対応するグループの中に存在するため、そのUEは、基地局が送信するとともに割り当てられたリソースに関する通知を受信してもよい。
【０１１３】
本発明の上記の実施形態にしたがったリソース割り当て方法によれば、基地局は、UEによって報告されるとともに論理チャネルグループ識別子を搬送するリソース要求メッセージを受信し、その論理チャネルグループ識別子にしたがってそのUEに関する転送優先順位を決定し、そのUEに関する転送優先順位が、そのUEに関する最も高い転送優先順位よりも低い場合に、そのUEに関する転送優先順位にしたがってそのUEにリソースを割り当て、そして、割り当てられたリソースをそのUEに通知する。この手法により、基地局は、そのUEが報告した論理チャネルグループ識別子を使用することによって、そのUEに関する転送優先順位を知ることが可能であり、そのUEにリソースを割り当てるべきであるか否かを、そのUEに関する最も高い転送優先順位に基づいて決定する。リソースは、転送優先順位にしたがって割り当てられて、リソースが、高い転送優先順位を持つサービスに優先的に割り当てられるということを保証する。このことは、データ転送効率を改善するとともに、ユーザイクスペアリアンスを改善する。
【０１１４】
上記の実施形態に基づいて、本発明は、ProSeネットワークアーキテクチャに適用可能なリソース割り当て方法を提供し、ProSeネットワークアーキテクチャにおいては、ProSeサービスを実装することが可能である。図5を参照すると、上記の方法の1つの特定の手順は、以下のステップを含む。
【０１１５】
ステップ501a:  アプリケーションサーバは、UEにサービス優先順位と転送優先順位との間の対応関係を送信する。代替的に、ステップ501b:  近接サービス機能エンティティは、UEにサービス優先順位と転送優先順位との間の対応関係を送信する。
【０１１６】
例えば、サービス優先順位と転送優先順位との間の対応関係は、表1に示されている。
【０１１７】
【表１】
2018518917.tif 000003
【０１１８】
各々のサービス優先順位は、サービス優先順位と転送優先順位との間の対応関係にしたがって、1つの転送優先順位に一意に対応しているということを、表1から理解することが可能である。
【０１１９】
ステップ502:  UEは、転送優先順位と論理チャネルグループとの間の対応関係を決定する。
【０１２０】
UEは、複数の異なる転送優先順位を複数の異なる論理チャネルグループにマッピングしてもよい。現在の仕様においては、4つの論理チャネルグループが定義されている。
【０１２１】
転送優先順位と論理チャネルグループとの間の対応関係は、表2に示され、UEによってあらかじめ設定されるか、又は、あらかじめ設定された規則に従って決定されてもよい。このことは、本発明においては限定されない。
【０１２２】
【表２】
2018518917.tif 000004
【０１２３】
各々の転送優先順位は、転送優先順位と論理チャネルグループとの間の対応関係にしたがって、1つの論理チャネルグループに一意に対応しているということを、表2から理解することが可能である。
【０１２４】
ステップ503:  UEは、サービスのために基地局からリソースを要求し、基地局がUEにリソースを割り当てた後に、UEは、そのサービスを転送する。
【０１２５】
特に、あるサービスについて、UEは、そのサービスのサービス優先順位を最初に決定し、サービス優先順位と転送優先順位との間の対応関係にしたがって、そのサービスのサービス優先順位に対応する転送優先順位が第1の転送優先順位であるということを決定し、転送優先順位と論理チャネルグループとの間の対応関係にしたがって、第1の転送優先順位に対応する論理チャネルグループが第1の論理チャネルグループであるということを決定し、第1の論理チャネルグループを示す第1の論理チャネルグループ識別子を搬送するリソース要求メッセージを基地局に送信する。その第1の論理チャネルグループ識別子に基づいて、そのUEにリソースを割り当てた後に、基地局は、割り当てられたリソースをそのUEに通知する。そのUEは、割り当てられたリソースに基づいて、そのサービスを転送する、すなわち、図2、図3、又は図4に対応するリソース割り当て方法を使用することによって、ステップ503を実行する。
【０１２６】
上記の実施形態に基づいて、本発明の1つの実施形態は、さらに、ProSeネットワークアーキテクチャに適用可能なリソース割り当て方法を提供し、ProSeネットワークアーキテクチャにおいては、ProSeサービスを実装することが可能である。図6を参照すると、上記の方法の1つの特定の手順は、以下のステップを含む。
【０１２７】
ステップ601a:  アプリケーションサーバは、基地局に、各々のUEが使用する転送優先順位を送信する。代替的に、ステップ601b:  近接サービス機能エンティティは、基地局に、各々のUEが使用する転送優先順位を送信する。
【０１２８】
選択的に、近接サービス機能エンティティが、基地局に、各々のUEが使用する転送優先順位を送信する場合に、その転送優先順位は、HSS及び移動性管理エンティティ(Mobile  Management  Entity,  MME)による転送が成功した後に、基地局に到達してもよく、又は、MMEを使用することによって基地局に到達してもよい。
【０１２９】
ステップ602:  基地局は、転送優先順位と論理チャネルグループとの間の対応関係を決定する。
【０１３０】
基地局は、各々のUEが使用する複数の異なる転送優先順位を各々のUEについての複数の異なる論理チャネルグループにマッピングしてもよい。現在の仕様においては、4つの論理チャネルグループが定義されている。
【０１３１】
転送優先順位と論理チャネルグループとの間の対応関係は、表2に示され、UEによってあらかじめ設定されるか、又は、あらかじめ設定された規則に従って決定されてもよい。このことは、本発明においては限定されない。
【０１３２】
各々の転送優先順位は、転送優先順位と論理チャネルグループとの間の対応関係にしたがって、1つの論理チャネルグループに一意に対応しているということを、表2から理解することが可能である。
【０１３３】
ステップ603:  基地局は、RRCシグナリングを使用することによって、各々のUEに、転送優先順位と論理チャネルグループとの間の各々のUEに特有の対応関係を送信する。
【０１３４】
ステップ604:  UEは、サービスのために基地局からリソースを要求し、基地局がそのUEにリソースを割り当てた後に、そのUEは、そのサービスを転送する。
【０１３５】
特に、あるサービスについて、UEは、そのサービスのサービス優先順位を最初に決定し、サービス優先順位と転送優先順位との間の表1に示されている対応関係にしたがって、そのサービスのサービス優先順位に対応する転送優先順位が第1の転送優先順位であるということを決定し、転送優先順位と論理チャネルグループとの間の取得した対応関係にしたがって、第1の転送優先順位に対応する論理チャネルグループが第1の論理チャネルグループであるということを決定し、第1の論理チャネルグループを示す第1の論理チャネルグループ識別子を搬送するリソース要求メッセージを基地局に送信する。その第1の論理チャネルグループ識別子に基づいて、そのUEにリソースを割り当てた後に、基地局は、割り当てられたリソースをそのUEに通知する。そのUEは、割り当てられたリソースに基づいて、そのサービスを転送する、すなわち、図2、図3、又は図4に対応するリソース割り当て方法を使用することによって、ステップ604を実行する。
【０１３６】
上記の実施形態に基づいて、本発明の1つの実施形態は、さらに、ProSeネットワークアーキテクチャに適用可能なリソース割り当て方法を提供し、ProSeネットワークアーキテクチャにおいては、ProSeサービスを実装することが可能である。図7を参照すると、上記の方法の1つの特定の手順は、以下のステップを含む。
【０１３７】
ステップ701a:  アプリケーションサーバは、基地局に、各々のUEが使用する転送優先順位及び各々のUEのグループ識別子を送信する。代替的に、ステップ701b:  近接サービス機能エンティティは、基地局に、各々のUEが使用する転送優先順位及び各々のUEのグループ識別子を送信する。
【０１３８】
選択的に、近接サービス機能エンティティが、基地局に、グループ識別子及び各々のUEが使用する転送優先順位を送信する場合に、その転送優先順位及びそのグループ識別子は、HSS及びMMEによる転送が成功した後に、基地局に到達してもよく、又は、MMEを使用することによって基地局に到達してもよい。
【０１３９】
ステップ702:  基地局は、転送優先順位と論理チャネルグループとの間の対応関係を決定する。
【０１４０】
基地局は、各々のUEが使用する複数の異なる転送優先順位を各々のUEについての複数の異なる論理チャネルグループにマッピングしてもよい。現在の仕様においては、4つの論理チャネルグループが定義されている。
【０１４１】
転送優先順位と論理チャネルグループとの間の対応関係は、表2に示され、UEによってあらかじめ設定されるか、又は、あらかじめ設定された規則に従って決定されてもよい。このことは、本発明においては限定されない。
【０１４２】
各々の転送優先順位は、転送優先順位と論理チャネルグループとの間の対応関係にしたがって、1つの論理チャネルグループに一意に対応しているということを、表2から理解することが可能である。
【０１４３】
ステップ703:  基地局は、RRCシグナリングを使用することによって、各々のUEに、転送優先順位と論理チャネルグループとの間の各々のUEに特有の対応関係及びグループ識別子を送信する。
【０１４４】
ステップ704:  UEは、サービスのために基地局からリソースを要求し、基地局がそのUEにリソースを割り当てた後に、そのUEは、そのサービスを転送する。
【０１４５】
特に、あるサービスについて、UEは、そのサービスのサービス優先順位を最初に決定し、サービス優先順位と転送優先順位との間の表1に示されている対応関係にしたがって、そのサービスのサービス優先順位に対応する転送優先順位が第1の転送優先順位であるということを決定し、転送優先順位と論理チャネルグループとの間の取得した対応関係にしたがって、第1の転送優先順位に対応する論理チャネルグループが第1の論理チャネルグループであるということを決定し、第1の論理チャネルグループを示す第1の論理チャネルグループ識別子及びそのUEのグループ識別子を搬送するリソース要求メッセージを基地局に送信する。その第1の論理チャネルグループ識別子に基づいて、そのUEにリソースを割り当てた後に、基地局は、そのUEのグループ識別子を使用することによって、割り当てられたリソースをそのUEに通知する。そのUEは、割り当てられたリソースに基づいて、そのサービスを転送する、すなわち、図2、図3、又は図4に対応するリソース割り当て方法を使用することによって、ステップ704を実行する。
【０１４６】
上記の実施形態に基づいて、本発明の1つの実施形態は、さらに、ProSeネットワークアーキテクチャに適用可能なリソース割り当て方法を提供し、ProSeネットワークアーキテクチャにおいては、ProSeサービスを実装することが可能である。図8を参照すると、上記の方法の1つの特定の手順は、以下のステップを含む。
【０１４７】
ステップ801a:  アプリケーションサーバは、基地局に、転送優先順位と論理チャネルグループとの間の各々のUEに特有の対応関係を送信する。代替的に、ステップ801b:  近接サービス機能エンティティは、基地局に、転送優先順位と論理チャネルグループとの間の各々のUEに特有の対応関係を送信する。
【０１４８】
選択的に、近接サービス機能エンティティが、基地局に、転送優先順位と論理チャネルグループとの間の各々のUEに特有の対応関係を送信する場合に、その対応関係は、HSS及びMMEによる転送が成功した後に、基地局に到達してもよく、又は、MMEを使用することによって基地局に到達してもよい。
【０１４９】
ステップ802a:  アプリケーションサーバは、UEに、転送優先順位と論理チャネルグループとの間のそのUEに特有の対応関係を送信する。代替的に、ステップ802b:  近接サービス機能エンティティは、UEに、転送優先順位と論理チャネルグループとの間のそのUEに特有の対応関係を送信する。
【０１５０】
ステップ801及びステップ802の順序は、限定されない。ステップ801が最初に実行されてもよく、又は、ステップ802が最初に実行されてもよく、又は、2つのステップが同時に実行されてもよい。このことは、本発明においては、限定されない。
【０１５１】
ステップ803:  UEは、サービスのために基地局からリソースを要求し、基地局がそのUEにリソースを割り当てた後に、そのUEは、そのサービスを転送する。
【０１５２】
特に、あるサービスについて、UEは、そのサービスのサービス優先順位を最初に決定し、サービス優先順位と転送優先順位との間の表1に示されている対応関係にしたがって、そのサービスのサービス優先順位に対応する転送優先順位が第1の転送優先順位であるということを決定し、転送優先順位と論理チャネルグループとの間の取得した対応関係にしたがって、第1の転送優先順位に対応する論理チャネルグループが第1の論理チャネルグループであるということを決定し、第1の論理チャネルグループを示す第1の論理チャネルグループ識別子を搬送するリソース要求メッセージを基地局に送信する。その第1の論理チャネルグループ識別子に基づいて、そのUEにリソースを割り当てた後に、基地局は、割り当てられたリソースをそのUEに通知する。そのUEは、割り当てられたリソースに基づいて、そのサービスを転送する、すなわち、図2、図3、又は図4に対応するリソース割り当て方法を使用することによって、ステップ803を実行する。
【０１５３】
上記の実施形態に基づいて、本発明の1つの実施形態は、さらに、ProSeネットワークアーキテクチャに適用可能なリソース割り当て方法を提供し、ProSeネットワークアーキテクチャにおいては、ProSeサービスを実装することが可能である。図9を参照すると、上記の方法の1つの特定の手順は、以下のステップを含む。
【０１５４】
ステップ901a:  アプリケーションサーバは、基地局に、転送優先順位と論理チャネルグループ識別子との間の各々のUEに特有の対応関係及び各々のUEのグループ識別子を送信する。代替的に、ステップ901b:  近接サービス機能エンティティは、基地局に、転送優先順位と論理チャネルグループ識別子との間の各々のUEに特有の対応関係及び各々のUEのグループ識別子を送信する。
【０１５５】
選択的に、近接サービス機能エンティティが、基地局に、転送優先順位と論理チャネルグループとの間の各々のUEに特有の対応関係及び各々のUEのグループ識別子を送信する場合に、その対応関係及びそのグループ識別子は、HSS及びMMEによる転送が成功した後に、基地局に到達してもよく、又は、MMEを使用することによって基地局に到達してもよい。
【０１５６】
ステップ902a:  アプリケーションサーバは、UEに、転送優先順位と論理チャネルグループとの間のそのUEに特有の対応関係及びそのUEのグループ識別子を送信する。代替的に、ステップ902b:  近接サービス機能エンティティは、UEに、転送優先順位と論理チャネルグループとの間のそのUEに特有の対応関係及びそのUEのグループ識別子を送信する。
【０１５７】
ステップ901及びステップ902の順序は、限定されない。ステップ901が最初に実行されてもよく、又は、ステップ902が最初に実行されてもよく、又は、2つのステップが同時に実行されてもよい。このことは、本発明においては、限定されない。
【０１５８】
ステップ903:  UEは、サービスのために基地局からリソースを要求し、基地局がそのUEにリソースを割り当てた後に、そのUEは、そのサービスを転送する。
【０１５９】
特に、あるサービスについて、UEは、そのサービスのサービス優先順位を最初に決定し、サービス優先順位と転送優先順位との間の表1に示されている対応関係にしたがって、そのサービスのサービス優先順位に対応する転送優先順位が第1の転送優先順位であるということを決定し、転送優先順位と論理チャネルグループとの間の取得した対応関係にしたがって、第1の転送優先順位に対応する論理チャネルグループが第1の論理チャネルグループであるということを決定し、第1の論理チャネルグループを示す第1の論理チャネルグループ識別子及びそのUEのグループ識別子を搬送するリソース要求メッセージを基地局に送信する。その第1の論理チャネルグループ識別子に基づいて、そのUEにリソースを割り当てた後に、基地局は、そのUEのグループ識別子を使用することによって、割り当てられたリソースをそのUEに通知する。そのUEは、割り当てられたリソースに基づいて、そのサービスを転送する、すなわち、図2、図3、又は図4に対応するリソース割り当て方法を使用することによって、ステップ903を実行する。
【０１６０】
上記の実施形態に基づいて、本発明の1つの実施形態は、さらに、ProSeネットワークアーキテクチャに適用可能なリソース割り当て方法を提供し、ProSeネットワークアーキテクチャにおいては、ProSeサービスを実装することが可能である。図10を参照すると、上記の方法の1つの特定の手順は、以下のステップを含む。
【０１６１】
ステップ1001a:  アプリケーションサーバは、UEに、転送優先順位と論理チャネルグループとの間のそのUEに特有の対応関係を送信する。代替的に、ステップ1001b:  近接サービス機能エンティティは、UEに、転送優先順位と論理チャネルグループとの間のそのUEに特有の対応関係を送信する。
【０１６２】
ステップ1002:  UEは、RRCシグナリングを使用することによって、基地局に、転送優先順位と論理チャネルグループとの間のそのUEに特有の対応関係を送信する。
【０１６３】
ステップ1003:  UEは、サービスのために基地局からリソースを要求し、基地局がそのUEにリソースを割り当てた後に、そのUEは、そのサービスを転送する。
【０１６４】
特に、あるサービスについて、UEは、そのサービスのサービス優先順位を最初に決定し、サービス優先順位と転送優先順位との間の表1に示されている対応関係にしたがって、そのサービスのサービス優先順位に対応する転送優先順位が第1の転送優先順位であるということを決定し、転送優先順位と論理チャネルグループとの間の取得した対応関係にしたがって、第1の転送優先順位に対応する論理チャネルグループが第1の論理チャネルグループであるということを決定し、第1の論理チャネルグループを示す第1の論理チャネルグループ識別子を搬送するリソース要求メッセージを基地局に送信する。その第1の論理チャネルグループ識別子に基づいて、そのUEにリソースを割り当てた後に、基地局は、割り当てられたリソースをそのUEに通知する。そのUEは、割り当てられたリソースに基づいて、そのサービスを転送する、すなわち、図2、図3、又は図4に対応するリソース割り当て方法を使用することによって、ステップ1003を実行する。
【０１６５】
上記の実施形態に基づいて、本発明の1つの実施形態は、さらに、ProSeネットワークアーキテクチャに適用可能なリソース割り当て方法を提供し、ProSeネットワークアーキテクチャにおいては、ProSeサービスを実装することが可能である。図11を参照すると、上記の方法の1つの特定の手順は、以下のステップを含む。
【０１６６】
ステップ1101a:  アプリケーションサーバは、UEに、転送優先順位と論理チャネルグループとの間のそのUEに特有の対応関係及びそのUEのグループ識別子を送信する。代替的に、ステップ1101b:  近接サービス機能エンティティは、UEに、転送優先順位と論理チャネルグループとの間のそのUEに特有の対応関係及びそのUEのグループ識別子を送信する。
【０１６７】
ステップ1102:  UEは、RRCシグナリングを使用することによって、基地局に、転送優先順位と論理チャネルグループとの間のそのUEに特有の対応関係及びそのUEのグループ識別子を送信する。
【０１６８】
ステップ1103:  UEは、サービスのために基地局からリソースを要求し、基地局がそのUEにリソースを割り当てた後に、そのUEは、そのサービスを転送する。
【０１６９】
特に、あるサービスについて、UEは、そのサービスのサービス優先順位を最初に決定し、サービス優先順位と転送優先順位との間の表1に示されている対応関係にしたがって、そのサービスのサービス優先順位に対応する転送優先順位が第1の転送優先順位であるということを決定し、転送優先順位と論理チャネルグループとの間の取得した対応関係にしたがって、第1の転送優先順位に対応する論理チャネルグループが第1の論理チャネルグループであるということを決定し、第1の論理チャネルグループを示す第1の論理チャネルグループ識別子及びそのUEのグループ識別子を搬送するリソース要求メッセージを基地局に送信する。その第1の論理チャネルグループ識別子に基づいて、そのUEにリソースを割り当てた後に、基地局は、そのUEのグループ識別子を使用することによって、割り当てられたリソースをそのUEに通知する。そのUEは、割り当てられたリソースに基づいて、そのサービスを転送する、すなわち、図2、図3、又は図4に対応するリソース割り当て方法を使用することによって、ステップ1103を実行する。
【０１７０】
基地局が、各々のUEに関する決定された最も高い転送優先順位を使用することによって、UEにリソースを割り当てる実施形態においては、基地局は、HSS、アプリケーションサーバ、又は近接サービス機能エンティティが送信するそのUEに関する最も高い転送優先順位を受信して、各々のUEに関する最も高い転送優先順位を決定してもよい。
【０１７１】
基地局が、HSSが送信する各々のUEに関する最も高い転送優先順位を受信する場合には、図12を参照すると、HSSは、MMEにそのもっとも高い転送優先順位を最初に送信してもよく、その次に、MMEは、従来技術にしたがったアタッチ手順又はトラッキングエリアの更新(Tracking  Area  Update,  TAU)手順を使用することによって、基地局にそのもっとも高い転送優先順位を送信してもよい。
【０１７２】
ステップ1201:  規格TS  23.401にしたがったアタッチ手順のうちのステップ1乃至10が実行された後に、HSSは、位置更新応答メッセージ(Update  Location  ACK)を使用することによって、MMEに、UEに関する最も高い転送優先順位を送信する。
【０１７３】
ステップ1202:  規格TS  23.401にしたがったアタッチ手順のうちのステップ12乃至16が実行された後に、MMEは、初期コンテキスト設定要求(Initial  Context  Setup  Request)又はアタッチ完了(Attach  Accept)メッセージを使用することによって、基地局に、そのUEに関する最も高い転送優先順位を送信し、規格TS  23.401にしたがったアタッチ手順のうちのステップ18乃至26が実行された後に、最終的に、アタッチ手順を完了させる。
【０１７４】
近接サービス機能エンティティが、各々のUEに関する最も高い転送優先順位を送信する場合に、各々のUEに関するその最も高い転送優先順位は、HSS又はMMEによる転送が成功した後に、基地局に到達してもよく、又は、各々のUEに関するその最も高い転送優先順位は、MMEによる転送の後に、基地局に転送される。
【０１７５】
上記の実施形態に基づいて、図13を参照すると、本発明の1つの実施形態は、さらに、ProSeネットワークアーキテクチャに適用可能なUE1300を提供し、ProSeネットワークアーキテクチャにおいては、ProSeサービスを実装することが可能である。UE1300は、第1の決定ユニット1301、第2の決定ユニット1302、及び通信ユニット1303を含む。
【０１７６】
第1の決定ユニット1301は、第1のサービスの転送優先順位が第1の転送優先順位であるということを決定するように構成される。
【０１７７】
第2の決定ユニット1302は、転送優先順位と論理チャネルグループとの間の対応関係にしたがって、第1の転送優先順位に対応する論理チャネルグループが第1の論理チャネルグループであるということを決定するように構成される。
【０１７８】
通信ユニット1303は、第1の論理チャネルグループ識別子を搬送するリソース要求メッセージを基地局に送信するように構成され、第1の論理チャネルグループ識別子は、第1の論理チャネルグループを示すのに使用され、基地局が送信する通知メッセージを受信するように構成され、通知メッセージは、基地局がUE1300に割り当てたリソースに関する情報を搬送し、そして、リソースを使用することによって第1のサービスを転送する、ように構成される。
【０１７９】
選択的に、第1の決定ユニット1301は、
第1のサービスのサービス優先順位を決定し、
サービス優先順位と転送優先順位との間の対応関係にしたがって、第1のサービスのサービス優先順位に対応する転送優先順位を決定し、そして、
第1の転送優先順位として第1のサービスのサービス優先順位に対応する転送優先順位を使用する、ように構成される。
【０１８０】
選択的に、通信ユニット1303は、さらに、
第1の決定ユニット1301が、第1のサービスのサービス優先順位に対応する転送優先順位を決定する前に、近接サービス機能エンティティ又はアプリケーションサーバが送信するサービス優先順位と転送優先順位との間の対応関係を受信するように構成される。
【０１８１】
選択的に、転送優先順位と論理チャネルグループとの間の対応関係が、ネットワーク側によって送信されるか、又は、
転送優先順位と論理チャネルグループとの間の対応関係が、UE1300によって決定されるか、又は、
転送優先順位と論理チャネルグループとの間の対応関係が、UE1300によってあらかじめ設定される。
【０１８２】
選択的に、通信ユニット1303は、さらに、
第2の決定ユニット1302が、第1の転送優先順位に対応する論理チャネルグループが第1の論理チャネルグループであるということを決定する前に、無線リソース制御RRCシグナリングを使用することによって基地局が送信する転送優先順位と論理チャネルグループとの間の対応関係を受信するか、又は、
近接サービス機能エンティティ又はアプリケーションサーバが送信する転送優先順位と論理チャネルグループとの間の対応関係を受信する、ように構成される。
【０１８３】
選択的に、通信ユニット1303は、さらに、
UE1300がグループ通信を実行する場合に、第1の論理チャネルグループ識別子を搬送するリソース要求メッセージを基地局に送信する前に、ネットワーク側が送信したグループ識別子を受信するように構成され、グループ識別子は、UE1300が、グループ識別子に対応するグループの中で通信を実行するように構成されるということを示すのに使用される。
【０１８４】
選択的に、通信ユニット1303が、ネットワーク側が送信したグループ識別子を受信することは、
RRCシグナリングを使用することによって基地局が送信するグループ識別子を受信すること、又は、
近接サービス機能エンティティ又はアプリケーションサーバが送信するグループ識別子を受信すること、を含む。
【０１８５】
選択的に、通信ユニット1303は、
第1の論理チャネルグループ識別子及びグループ識別子を搬送するリソース要求メッセージを基地局に送信するように構成される。
【０１８６】
上記の実施形態に基づいて、図14を参照すると、本発明の1つの実施形態は、さらに、ProSeネットワークアーキテクチャに適用可能な基地局1400を提供し、ProSeネットワークアーキテクチャにおいては、ProSeサービスを実装することが可能である。基地局1400は、受信ユニット1401、決定ユニット1402、及び処理ユニット1403を含む。
【０１８７】
受信ユニット1401は、ユーザ機器UEによって送信されて論理チャネルグループ識別子を搬送するリソース要求メッセージを受信するように構成される。
【０１８８】
決定ユニット1402は、論理チャネルグループ識別子にしたがってUEに関する転送優先順位を決定するように構成される。
【０１８９】
処理ユニット1403は、UEに関する転送優先順位にしたがってUEにリソースを割り当て、割り当てられたリソースをUEに通知するように構成される。
【０１９０】
選択的に、決定ユニット1402は、
UEに関する転送優先順位と論理チャネルグループとの間の対応関係にしたがって、論理チャネルグループ識別子によって示される論理チャネルグループに対応する転送優先順位を決定するように構成される。
【０１９１】
選択的に、UEに関する転送優先順位と論理チャネルグループとの間の対応関係が、基地局1400によって決定されるか、又は、
UEに関する転送優先順位と論理チャネルグループとの間の対応関係が、基地局1400によってあらかじめ設定されるか、又は、
UEに関する転送優先順位と論理チャネルグループとの間の対応関係が、無線リソース制御RRCシグナリングを使用することによって、UEによって送信されるか、又は、
UEに関する転送優先順位と論理チャネルグループとの間の対応関係が、近接サービス機能エンティティ又はアプリケーションサーバによって送信される。
【０１９２】
選択的に、決定ユニット1402は、さらに、
論理チャネルグループ識別子にしたがってUEに関する転送優先順位を決定する前に、UEに関する転送優先順位と論理チャネルグループとの間の対応関係を決定するように構成される。
【０１９３】
選択的に、UEに関する転送優先順位と論理チャネルグループとの間の対応関係を決定する場合に、決定ユニット1402は、
UEがサポートするとともに近接サービス機能エンティティ又はアプリケーションサーバが送信する転送優先順位を受信し、そして、
UEがサポートする転送優先順位にしたがって、UEに関する転送優先順位と論理チャネルグループとの間の対応関係を決定する、ように構成される。
【０１９４】
選択的に、リソース要求メッセージは、さらに、UEのグループ識別子を搬送する。
【０１９５】
選択的に、割り当てられたリソースをUEに通知する場合に、処理ユニット1403は、
UEのグループ識別子にしたがって、割り当てられたリソースをUEに通知するように構成される。
【０１９６】
選択的に、UEに関する転送優先順位にしたがってUEにリソースを割り当てる場合に、処理ユニット1403は、
転送優先順位の高い順にUEにリソースを割り当てるように構成される。
【０１９７】
上記の実施形態に基づいて、図15を参照すると、本発明の1つの実施形態は、さらに、ProSeネットワークアーキテクチャに適用可能な基地局1500を提供し、ProSeネットワークアーキテクチャにおいては、ProSeサービスを実装することが可能である。基地局1500は、受信ユニット1501、決定ユニット1502、及び処理ユニット1503を含む。
【０１９８】
受信ユニット1501は、ユーザ機器UEによって送信されて論理チャネルグループ識別子を搬送するリソース要求メッセージを受信するように構成される。
【０１９９】
決定ユニット1502は、論理チャネルグループ識別子にしたがってUEに関する転送優先順位を決定するように構成される。
【０２００】
処理ユニット1503は、UEに関する転送優先順位がUEに関する最も高い転送優先順位よりも低い場合に、UEに関する転送優先順位にしたがってUEにリソースを割り当て、割り当てられたリソースをUEに通知するように構成される。
【０２０１】
選択的に、受信ユニット1501は、さらに、
ホームサブスクライバーサーバHSSが送信するUEに関する最も高い転送優先順位を受信するか、又は、
近接サービス機能エンティティ又はアプリケーションサーバが送信するUEに関する最も高い転送優先順位を受信する、ように構成される。
【０２０２】
選択的に、UEに関する転送優先順位にしたがってUEにリソースを割り当てる場合に、処理ユニット1503は、
転送優先順位の高い順にUEに前記リソースを割り当てるように構成される。
【０２０３】
選択的に、決定ユニット1502は、
UEに関する転送優先順位と論理チャネルグループとの間の対応関係にしたがって、論理チャネルグループ識別子によって示される論理チャネルグループに対応する転送優先順位を決定するように構成される。
【０２０４】
選択的に、UEに関する転送優先順位と論理チャネルグループとの間の対応関係が、基地局1500によって決定されるか、又は、
UEに関する転送優先順位と論理チャネルグループとの間の対応関係が、基地局1500によってあらかじめ設定されるか、又は、
UEに関する転送優先順位と論理チャネルグループとの間の対応関係が、無線リソース制御RRCシグナリングを使用することによって、UEによって送信されるか、又は、
UEに関する転送優先順位と論理チャネルグループとの間の対応関係が、近接サービス機能エンティティ又はアプリケーションサーバによって送信される。
【０２０５】
選択的に、決定ユニット1502は、さらに、
論理チャネルグループ識別子にしたがってUEに関する転送優先順位を決定する前に、UEに関する転送優先順位と論理チャネルグループとの間の対応関係を決定するように構成される。
【０２０６】
選択的に、UEに関する転送優先順位と論理チャネルグループとの間の対応関係を決定する場合に、決定ユニット1502は、
UEがサポートするとともに近接サービス機能エンティティ又はアプリケーションサーバが送信する転送優先順位を受信し、そして、
UEがサポートする転送優先順位にしたがって、UEに関する転送優先順位と論理チャネルグループとの間の対応関係を決定する、ように構成される。
【０２０７】
選択的に、リソース要求メッセージは、さらに、UEのグループ識別子を搬送する。
【０２０８】
選択的に、割り当てられたリソースをUEに通知する場合に、処理ユニット1503は、
UEのグループ識別子にしたがって、割り当てられたリソースをUEに通知するように構成される。
【０２０９】
上記の実施形態に基づいて、本発明の1つの実施形態は、さらに、ProSeネットワークアーキテクチャに適用可能なUE1600を提供し、ProSeネットワークアーキテクチャにおいては、ProSeサービスを実装することが可能である。図16を参照すると、UE1600は、トランシーバー1601、プロセッサ1602、バス1603、及びメモリ1604を含む。
【０２１０】
トランシーバー1601、プロセッサ1602、及びメモリ1604は、バス1603を使用することによって、互いに接続される。バス1603は、周辺機器構成要素相互接続(peripheral  component  interconnect,  PCI)バス、拡張業界標準アーキテクチャ(extended  industry  standard  architecture,  EISA)バス、又はその他の同様のバスであってもよい。バスは、アドレスバス、データバス、制御バス等に分類されてもよい。図示を容易にするため、図16においては、バス1603は、1つの太線のみを使用することによって示される。しかしながら、このことは、1つのみのバスが存在する、又は1つのタイプのバスのみが存在するということを意味するものではない。
【０２１１】
トランシーバー1601は、例えば、基地局にリソース要求メッセージを送信し、基地局が送信した通知メッセージを受信し、そして、他のUEにサービスを転送するといったように、他のデバイスとの間で通信するように構成される。
【０２１２】
プロセッサ1602は、本発明の実施形態にしたがった図2に示されているリソース割り当て方法を実装するように構成される。その方法は、
第1のサービスの転送優先順位が第1の転送優先順位であるということを決定するステップと、
転送優先順位と論理チャネルグループとの間の対応関係にしたがって、第1の転送優先順位に対応する論理チャネルグループが第1の論理チャネルグループであるということを決定するステップと、
第1の論理チャネルグループ識別子を搬送するリソース要求メッセージを基地局に送信するステップであって、第1の論理チャネルグループ識別子は、第1の論理チャネルグループを示すのに使用される、ステップと、
基地局が送信した通知メッセージを受信するステップであって、通知メッセージは、基地局がUE1600に割り当てたリソースに関する情報を搬送する、ステップと、
リソースを使用することによって第1のサービスを転送するステップと、を含む。
【０２１３】
UE1600は、プログラムを格納するように構成されるメモリ1604をさらに含む。特に、そのプログラムは、プログラムコードを含んでもよく、そのプログラムコードは、コンピュータ動作命令を含む。メモリ1604は、ランダムアクセスメモリ(random  access  memory,  RAM)を含んでもよく、又は少なくとも1つの磁気ディスクメモリ等の不揮発性メモリ(non-volatile  memory)を含んでもよい。プロセッサ1602は、メモリ1604の中に格納されているアプリケーションプログラムを実行して、上記で説明されたリソース割り当て方法を実装する。
【０２１４】
上記の実施形態に基づいて、本発明の1つの実施形態は、さらに、ProSeネットワークアーキテクチャに適用可能な基地局1700を提供し、ProSeネットワークアーキテクチャにおいては、ProSeサービスを実装することが可能である。図17を参照すると、基地局1700は、トランシーバー1701、プロセッサ1702、バス1703、及びメモリ1704を含む。
【０２１５】
トランシーバー1701、プロセッサ1702、及びメモリ1704は、バス1703を使用することによって、互いに接続される。バス1703は、周辺機器構成要素相互接続(peripheral  component  interconnect,  PCI)バス、拡張業界標準アーキテクチャ(extended  industry  standard  architecture,  EISA)バス、又はその他の同様のバスであってもよい。バスは、アドレスバス、データバス、制御バス等に分類されてもよい。図示を容易にするため、図17においては、バス1703は、1つの太線のみを使用することによって示される。しかしながら、このことは、1つのみのバスが存在する、又は1つのタイプのバスのみが存在するということを意味するものではない。
【０２１６】
トランシーバー1701は、例えば、UEが送信したリソース要求メッセージを受信し、そして、UEに通知メッセージを送信するといったように、他のデバイスとの間で通信するように構成される。
【０２１７】
プロセッサ1702は、本発明の実施形態にしたがった図3に示されているリソース割り当て方法を実装するように構成される。その方法は、
ユーザ機器UEによって送信されて論理チャネルグループ識別子を搬送するリソース要求メッセージを受信するステップと、
論理チャネルグループ識別子にしたがってUEに関する転送優先順位を決定するステップと、
UEに関する転送優先順位にしたがってUEにリソースを割り当て、割り当てられたリソースをUEに通知するステップと、を含む。
【０２１８】
基地局1700は、プログラムを格納するように構成されるメモリ1704をさらに含む。特に、そのプログラムは、プログラムコードを含んでもよく、そのプログラムコードは、コンピュータ動作命令を含む。メモリ1704は、ランダムアクセスメモリ(random  access  memory,  RAM)を含んでもよく、又は少なくとも1つの磁気ディスクメモリ等の不揮発性メモリ(non-volatile  memory)を含んでもよい。プロセッサ1702は、メモリ1704の中に格納されているアプリケーションプログラムを実行して、上記で説明されたリソース割り当て方法を実装する。
【０２１９】
上記の実施形態に基づいて、本発明の1つの実施形態は、さらに、ProSeネットワークアーキテクチャに適用可能な基地局1800を提供し、ProSeネットワークアーキテクチャにおいては、ProSeサービスを実装することが可能である。図18を参照すると、基地局1800は、トランシーバー1801、プロセッサ1802、バス1803、及びメモリ1804を含む。
【０２２０】
トランシーバー1801、プロセッサ1802、及びメモリ1804は、バス1803を使用することによって、互いに接続される。バス1803は、周辺機器構成要素相互接続(peripheral  component  interconnect,  PCI)バス、拡張業界標準アーキテクチャ(extended  industry  standard  architecture,  EISA)バス、又はその他の同様のバスであってもよい。バスは、アドレスバス、データバス、制御バス等に分類されてもよい。図示を容易にするため、図18においては、バス1803は、1つの太線のみを使用することによって示される。しかしながら、このことは、1つのみのバスが存在する、又は1つのタイプのバスのみが存在するということを意味するものではない。
【０２２１】
トランシーバー1801は、例えば、UEが送信したリソース要求メッセージを受信し、そして、UEに通知メッセージを送信するといったように、他のデバイスとの間で通信するように構成される。
【０２２２】
プロセッサ1802は、本発明の実施形態にしたがった図4に示されているリソース割り当て方法を実装するように構成される。その方法は、
ユーザ機器UEによって送信されて論理チャネルグループ識別子を搬送するリソース要求メッセージを受信するステップと、
論理チャネルグループ識別子にしたがってUEに関する転送優先順位を決定するステップと、
UEに関する転送優先順位がUEに関する最も高い転送優先順位よりも低い場合に、UEに関する転送優先順位にしたがってUEにリソースを割り当て、割り当てられたリソースをUEに通知するステップと、を含む。
【０２２３】
基地局1800は、プログラムを格納するように構成されるメモリ1804をさらに含む。特に、そのプログラムは、プログラムコードを含んでもよく、そのプログラムコードは、コンピュータ動作命令を含む。メモリ1804は、ランダムアクセスメモリ(random  access  memory,  RAM)を含んでもよく、又は少なくとも1つの磁気ディスクメモリ等の不揮発性メモリ(non-volatile  memory)を含んでもよい。プロセッサ1802は、メモリ1804の中に格納されているアプリケーションプログラムを実行して、上記で説明されたリソース割り当て方法を実装する。
【０２２４】
上記の記載に基づいて、本発明の複数の実施形態にしたがって提供されるリソース割り当て方法、UE、及び基地局によれば、あるサービスについて、UEは、そのサービスの第1の転送優先順位にしたがって、対応する第1の論理チャネルグループを決定し、その第1の論理チャネルグループを示す第1の論理チャネルグループ識別子を搬送するリソース要求メッセージを基地局に送信する。基地局は、そのリソース要求メッセージの中で搬送される第1の論理チャネルグループ識別子にしたがって、UEの転送優先順位を決定して、そのUEにリソースを割り当ててもよい。この手法により、UEは、論理チャネルグループ識別子を使用することによって、あるサービスの転送優先順位を基地局に通知してもよく、基地局は、その論理チャネルグループ識別子を使用することによって、そのUEに関する転送優先順位を知ることが可能であり、それによって、その転送優先順位にしたがってそのUEにリソースを割り当てる。リソースは、転送優先順位にしたがって割り当てられて、リソースが、高い転送優先順位を持つサービスに優先的に割り当てられるということを保証する。このことは、データ転送効率を改善するとともに、ユーザイクスペアリアンスを改善する。
【０２２５】
当業者は、本発明の複数の実施形態を、方法、システム、又はコンピュータプログラム製品として提供することが可能であるということを理解するはずである。したがって、本発明は、ハードウェアのみの実施形態、ソフトウェアのみの実施形態、又はソフトウェア及びハードウェアの組み合わせによる実施形態の形態を利用してもよい。さらに、本発明は、コンピュータプログラム製品の形態を利用してもよく、そのコンピュータプログラム製品は、(これらには限定されないが、ディスクメモリ、CD-ROM、光メモリ等を含む)1つ又は複数のコンピュータによって使用可能な記憶媒体によって実装され、それらのコンピュータによって使用可能な記憶媒体は、コンピュータによって使用可能なプログラムコードを含む。
【０２２６】
本発明は、本発明の複数の実施形態にしたがった方法、デバイス(システム)、及びコンピュータプログラム製品のフローチャート及び/又はブロック図を参照して説明される。それらのフローチャート及び/又はそれらのブロック図の中の各々のプロセス及び/又は各々のブロック、及びそれらのフローチャート及び/又はそれらのブロック図の中のプロセス及び/又はブロックの組み合わせを実装するのに、複数のコンピュータプログラム命令を使用してもよいということを理解すべきである。汎用コンピュータ、専用コンピュータ、埋め込み型プロセッサ、又はいずれかの他のプログラム可能なデータ処理デバイスのプロセッサにこれらのコンピュータプログラム命令を提供して、機械を生成してもよく、それによって、コンピュータ又はいずれかの他のプログラム可能なデータ処理デバイスによって実行される複数の命令は、それらのフローチャートの中の1つ又は複数のプロセスにしたがった及び/又はそれらのブロック図の中の1つ又は複数のブロックにしたがったある特定の機能を実装する装置を生成する。
【０２２７】
コンピュータ読み取り可能なメモリの中にこれらのコンピュータプログラム命令を格納してもよく、そのコンピュータ読み取り可能なメモリは、ある特定の手法にしたがって動作するように、コンピュータ又はいずれかの他のプログラム可能なデータ処理デバイスに指示してもよく、それによって、そのコンピュータ読み取り可能なメモリの中に格納されている複数の命令は、指示装置を含む人工的な結果物を生成する。その指示装置は、それらのフローチャートの中の1つ又は複数のプロセスにしたがった及び/又はそれらのブロック図の中の1つ又は複数のブロックにしたがったある特定の機能を実装する。
【０２２８】
コンピュータ又は他のプログラム可能なデータ処理デバイスにこれらのコンピュータプログラム命令をロードしてもよく、それによって、そのコンピュータ又は他のプログラム可能なデバイスによって一連の動作及びステップを実行し、結果として、コンピュータによって実装された処理を生じさせる。したがって、そのコンピュータ又は他のプログラム可能なデバイスによって実行される複数の命令は、それらのフローチャートの中の1つ又は複数のプロセスにしたがった及び/又はそれらのブロック図の中の1つ又は複数のブロックにしたがったある特定の機能を実装する複数のステップを実現する。
【０２２９】
本発明の複数の好ましい実施形態を説明してきたが、当業者が基本となる独創的な概念を理解すると、それらの当業者は、これらの複数の実施形態に変更及び修正を行うことが可能である。したがって、以下の特許請求の範囲は、本発明の範囲に属する上記の複数の好ましい実施形態、及び変更及び修正のすべてを対象とするものとして解釈されることを意図している。
【０２３０】
当然のことながら、当業者は、本発明の複数の実施形態の趣旨及び範囲から離れることなく、本発明のそれらの複数の実施形態にさまざまな修正及び変形を行うことが可能である。それらの修正及び変形が、以下の特許請求の範囲によって規定される保護の範囲及びそれらの等価な技術に属する限り、本発明は、それらの修正及び変形を対象とするように意図される。
【図１】
2018518917.tif 000005
【図２】
2018518917.tif 000006
【図３】
2018518917.tif 000007
【図４】
2018518917.tif 000008
【図５】
2018518917.tif 000009
【図６】
2018518917.tif 000010
【図７】
2018518917.tif 000011
【図８】
2018518917.tif 000012
【図９】
2018518917.tif 000013
【図１０】
2018518917.tif 000014
【図１１】
2018518917.tif 000015
【図１２】
2018518917.tif 000016
【図１３】
2018518917.tif 000017
【図１４】
2018518917.tif 000018
【図１５】
2018518917.tif 000019
【図１６】
2018518917.tif 000020
【図１７】
2018518917.tif 000021
【図１８】
2018518917.tif 000022
【手続補正書】
【提出日】平成30年3月8日(2018.3.8)
【手続補正１】
【補正対象書類名】特許請求の範囲
【補正対象項目名】全文
【補正方法】変更
【補正の内容】
【特許請求の範囲】
【請求項１】
リソース割り当て方法であって、
第1のサービスの転送優先順位が第1の転送優先順位であるということをユーザ機器(UE)によって決定するステップと、
転送優先順位と論理チャネルグループとの間の対応関係にしたがって、前記第1の転送優先順位に対応する論理チャネルグループが第1の論理チャネルグループであるということを前記UEによって決定するステップと、
第1の論理チャネルグループ識別子を搬送するリソース要求メッセージを前記UEによって基地局に送信するステップであって、前記第1の論理チャネルグループ識別子は、前記第1の論理チャネルグループを示すのに使用される、ステップと、
前記基地局からの通知メッセージを前記UEによって受信するステップであって、前記通知メッセージは、前記基地局が前記UEに割り当てたリソースに関する情報を搬送する、ステップと、
前記UEによって、前記リソースを使用することによって前記第1のサービスを転送するステップと、を含む、
方法。
【請求項２】
第1のサービスの転送優先順位が第1の転送優先順位であるということをUEによって決定するステップは、
前記UEによって、前記第1のサービスのサービス優先順位を決定するステップと、
前記UEによって、サービス優先順位と転送優先順位との間の対応関係にしたがって、前記第1のサービスの前記サービス優先順位に対応する転送優先順位を前記第1の転送優先順位として決定するステップと、を含む、請求項１に記載の方法。
【請求項３】
前記第1のサービスの前記サービス優先順位に対応する転送優先順位を決定するステップの前に、当該方法は、
近接サービス機能エンティティ又はアプリケーションサーバからのサービス優先順位と転送優先順位との間の前記対応関係を前記UEによって受信するステップをさらに含む、請求項２に記載の方法。
【請求項４】
転送優先順位と論理チャネルグループとの間の前記対応関係が、ネットワーク側からの対応関係であるか、又は、
転送優先順位と論理チャネルグループとの間の前記対応関係が、前記UEによって決定されるか、又は、
転送優先順位と論理チャネルグループとの間の前記対応関係が、前記UEによってあらかじめ設定される、請求項１乃至３のうちのいずれか１項に記載の方法。
【請求項５】
前記UEがグループ通信を実行する場合に、第1の論理チャネルグループ識別子を搬送するリソース要求メッセージを前記UEによって基地局に送信するステップの前に、当該方法は、
前記ネットワーク側からのグループ識別子を前記UEによって受信するステップをさらに含み、前記グループ識別子は、前記UEが、前記グループ識別子に対応するグループの中で通信を実行するように構成されるということを示すのに使用される、請求項１乃至５４のうちのいずれか１項に記載の方法。
【請求項６】
リソース割り当て方法であって、
ユーザ機器(UE)からのリソース要求メッセージを基地局によって受信するステップであって、前記リソース要求メッセージは、論理チャネルグループ識別子を搬送する、ステップと、
前記基地局によって、前記論理チャネルグループ識別子にしたがって前記UEに関する転送優先順位を決定するステップと、
前記基地局によって、前記UEに関する前記転送優先順位にしたがって前記UEにリソースを割り当て、前記割り当てられたリソースを前記UEに通知するステップと、を含む、
方法。
【請求項７】
前記基地局によって、前記論理チャネルグループ識別子にしたがって前記UEに関する転送優先順位を決定するステップは、
前記基地局によって、前記UEに関する前記転送優先順位と論理チャネルグループとの間の対応関係にしたがって、前記論理チャネルグループ識別子によって示される論理チャネルグループに対応する転送優先順位を決定するステップを含む、請求項６に記載の方法。
【請求項８】
前記UEに関する前記転送優先順位と論理チャネルグループとの間の前記対応関係が、前記基地局によって決定されるか、又は、
前記UEに関する前記転送優先順位と論理チャネルグループとの間の前記対応関係が、前記基地局によってあらかじめ設定されるか、又は、
前記UEに関する前記転送優先順位と論理チャネルグループとの間の前記対応関係が、無線リソース制御(RRC)シグナリングを使用することによって、前記UEによって送信されるか、又は、
前記UEに関する前記転送優先順位と論理チャネルグループとの間の前記対応関係が、近接サービス機能エンティティ又はアプリケーションサーバによって送信される、請求項７に記載の方法。
【請求項９】
リソース割り当て方法であって、
ユーザ機器(UE)からのリソース要求メッセージを基地局によって受信するステップであって、前記リソース要求メッセージは、論理チャネルグループ識別子を搬送する、ステップと、
前記基地局によって、前記論理チャネルグループ識別子にしたがって前記UEに関する転送優先順位を決定するステップと、
前記UEに関する前記転送優先順位が前記UEに関する最も高い転送優先順位よりも低い場合に、前記基地局によって、前記UEに関する前記転送優先順位にしたがって前記UEにリソースを割り当て、前記割り当てられたリソースを前記UEに通知するステップと、を含む、
方法。
【請求項１０】
当該方法は、
ホームサブスクライバーサーバ(HSS)からの前記UEに関する前記最も高い転送優先順位を前記基地局によって受信するステップ、又は、
近接サービス機能エンティティ又はアプリケーションサーバからの前記UEに関する前記最も高い転送優先順位を前記基地局によって受信するステップ、をさらに含む、請求項９に記載の方法。
【請求項１１】
前記基地局によって、前記論理チャネルグループ識別子にしたがって前記UEに関する転送優先順位を決定するステップは、
前記基地局によって、前記UEに関する前記転送優先順位と論理チャネルグループとの間の対応関係にしたがって、前記論理チャネルグループ識別子によって示される論理チャネルグループに対応する転送優先順位を決定するステップを含む、請求項９又は１０に記載の方法。
【請求項１２】
装置であって、
第1のサービスの転送優先順位が第1の転送優先順位であるということを決定するように構成される第1の決定ユニットと、
転送優先順位と論理チャネルグループとの間の対応関係にしたがって、前記第1の転送優先順位に対応する論理チャネルグループが第1の論理チャネルグループであるということを決定するように構成される第2の決定ユニットと、
第1の論理チャネルグループ識別子を搬送するリソース要求メッセージを基地局に送信するように構成され、前記第1の論理チャネルグループ識別子は、前記第1の論理チャネルグループを示すのに使用され、前記基地局からの通知メッセージを受信するように構成され、前記通知メッセージは、前記基地局がUEに割り当てたリソースに関する情報を搬送し、そして、前記リソースを使用することによって前記第1のサービスを転送するように構成される通信ユニットと、を含む、
装置。
【請求項１３】
前記第1の決定ユニットは、
前記第1のサービスのサービス優先順位を決定し、
サービス優先順位と転送優先順位との間の対応関係にしたがって、前記第1のサービスの前記サービス優先順位に対応する転送優先順位を決定し、そして、
前記第1の転送優先順位として、前記第1のサービスの前記サービス優先順位に対応する前記転送優先順位を使用する、ように構成される、請求項１２に記載の装置。
【請求項１４】
前記通信ユニットは、さらに、
前記第1の決定ユニットが、前記第1のサービスの前記サービス優先順位に対応する前記転送優先順位を決定する前に、近接サービス機能エンティティ又はアプリケーションサーバからのサービス優先順位と転送優先順位との間の前記対応関係を受信するように構成される、請求項１３に記載の装置。
【請求項１５】
前記通信ユニットは、さらに、
前記UEがグループ通信を実行する場合に、前記第1の論理チャネルグループ識別子を搬送する前記リソース要求メッセージを前記基地局に送信する前に、前記ネットワーク側からのグループ識別子を受信するように構成され、前記グループ識別子は、前記グループ識別子に対応するグループの中で通信を実行するように前記UEに指示するのに使用される、請求項１３又は１４に記載の装置。
【請求項１６】
装置であって、
ユーザ機器(UE)からのリソース要求メッセージを受信するように構成される受信ユニットであって、前記リソース要求メッセージは、論理チャネルグループ識別子を搬送する、受信ユニットと、
前記論理チャネルグループ識別子にしたがって前記UEに関する転送優先順位を決定するように構成される決定ユニットと、
前記UEに関する前記転送優先順位にしたがって前記UEにリソースを割り当て、前記割り当てられたリソースを前記UEに通知するように構成される処理ユニットと、を含む、
装置。
【請求項１７】
前記決定ユニットは、
前記UEに関する前記転送優先順位と論理チャネルグループとの間の対応関係にしたがって、前記論理チャネルグループ識別子によって示される論理チャネルグループに対応する転送優先順位を決定するように構成される、請求項１６に記載の装置。
【請求項１８】
前記UEに関する前記転送優先順位と論理チャネルグループとの間の前記対応関係が、基地局によって決定されるか、又は、
前記UEに関する前記転送優先順位と論理チャネルグループとの間の前記対応関係が、基地局によってあらかじめ設定されるか、又は、
前記UEに関する前記転送優先順位と論理チャネルグループとの間の前記対応関係が、無線リソース制御(RRC)シグナリングを使用することによって、前記UEによって送信されるか、又は、
前記UEに関する前記転送優先順位と論理チャネルグループとの間の前記対応関係が、近接サービス機能エンティティ又はアプリケーションサーバによって送信される、請求項１７に記載の装置。
【請求項１９】
前記決定ユニットは、さらに、
前記論理チャネルグループ識別子にしたがって前記UEに関する前記転送優先順位を決定する前に、前記UEに関する前記転送優先順位と論理チャネルグループとの間の前記対応関係を決定するように構成される、請求項１７又は１８に記載の装置。
【請求項２０】
前記リソース要求メッセージは、さらに、前記UEのグループ識別子を搬送する、請求項１６乃至１９のうちのいずれか１項に記載の装置。
【請求項２１】
前記割り当てられたリソースを前記UEに通知する場合に、前記処理ユニットは、
前記UEの前記グループ識別子にしたがって、前記割り当てられたリソースを前記UEに通知するように構成される、請求項２０に記載の装置。
【請求項２２】
装置であって、
ユーザ機器(UE)からのリソース要求メッセージを受信するように構成される受信ユニットであって、前記リソース要求メッセージは、論理チャネルグループ識別子を搬送する、受信ユニットと、
前記論理チャネルグループ識別子にしたがって前記UEに関する転送優先順位を決定するように構成される決定ユニットと、
前記UEに関する前記転送優先順位が前記UEに関する最も高い転送優先順位よりも低い場合に、前記UEに関する前記転送優先順位にしたがって前記UEにリソースを割り当て、前記割り当てられたリソースを前記UEに通知するように構成される処理ユニットと、を含む、
装置。
【請求項２３】
前記受信ユニットは、さらに、
ホームサブスクライバーサーバ(HSS)からの前記UEに関する前記最も高い転送優先順位を受信するか、又は、
近接サービス機能エンティティ又はアプリケーションサーバからの前記UEに関する前記最も高い転送優先順位を受信する、ように構成される、請求項２２に記載の装置。
【請求項２４】
前記UEに関する前記転送優先順位にしたがって前記UEに前記リソースを割り当てる場合に、前記処理ユニットは、
転送優先順位の高い順に前記UEに前記リソースを割り当てるように構成される、請求項２２又は２３に記載の装置。
【請求項２５】
前記決定ユニットは、
前記UEに関する前記転送優先順位と論理チャネルグループとの間の対応関係にしたがって、前記論理チャネルグループ識別子によって示される論理チャネルグループに対応する転送優先順位を決定するように構成される、請求項２２乃至２４のうちのいずれか１項に記載の装置。
【請求項２６】
前記決定ユニットは、さらに、
前記論理チャネルグループ識別子にしたがって前記UEに関する前記転送優先順位を決定する前に、前記UEに関する前記転送優先順位と論理チャネルグループとの間の前記対応関係を決定するように構成される、請求項２２乃至２４のうちのいずれか１項に記載の装置。
【請求項２７】
前記リソース要求メッセージは、さらに、前記UEのグループ識別子を搬送する、請求項２２乃至２６のうちのいずれか１項に記載の装置。
【請求項２８】
前記割り当てられたリソースを前記UEに通知する場合に、前記処理ユニットは、
前記UEの前記グループ識別子にしたがって、前記割り当てられたリソースを前記UEに通知するように構成される、請求項２７に記載の装置。
【請求項２９】
プログラムが記録されているコンピュータ読み取り可能な記憶媒体であって、前記プログラムは、コンピュータに、請求項１乃至５のうちのいずれか１項に記載の方法を実行させる、コンピュータ読み取り可能な記憶媒体。
【請求項３０】
プログラムが記録されているコンピュータ読み取り可能な記憶媒体であって、前記プログラムは、コンピュータに、請求項６乃至８のうちのいずれか１項に記載の方法を実行させる、コンピュータ読み取り可能な記憶媒体。
【請求項３１】
プログラムが記録されているコンピュータ読み取り可能な記憶媒体であって、前記プログラムは、コンピュータに、請求項９乃至１１のうちのいずれか１項に記載の方法を実行させる、コンピュータ読み取り可能な記憶媒体。
【請求項３２】
コンピュータ実行可能な命令を含むコンピュータプログラムであって、前記コンピュータ実行可能な命令は、ユーザ機器(UE)のプロセッサで実行されると、前記UEにリソース割り当て方法を実行させ、前記方法は、
第1のサービスの転送優先順位が第1の転送優先順位であるということを決定するステップと、
転送優先順位と論理チャネルグループとの間の対応関係にしたがって、前記第1の転送優先順位に対応する論理チャネルグループが第1の論理チャネルグループであるということを決定するステップと、
基地局にリソース要求メッセージを送信するステップであって、前記リソース要求メッセージは、第1の論理チャネルグループ識別子を搬送し、前記第1の論理チャネルグループ識別子は、前記第1の論理チャネルグループを示すのに使用される、ステップと、
前記基地局からの通知メッセージを受信するステップであって、前記通知メッセージは、前記基地局が前記UEに割り当てたリソースに関する情報を搬送する、ステップと、
前記リソースを使用することによって前記第1のサービスを転送するステップと、を含む、
コンピュータプログラム。
【請求項３３】
コンピュータ実行可能な命令を含むコンピュータプログラムであって、前記コンピュータ実行可能な命令は、基地局のプロセッサで実行されると、前記基地局にリソース割り当て方法を実行させ、前記方法は、
ユーザ機器(UE)からのリソース要求メッセージを受信するステップであって、前記リソース要求メッセージは、論理チャネルグループ識別子を搬送する、ステップと、
前記論理チャネルグループ識別子にしたがって前記UEに関する転送優先順位を決定するステップと、
前記UEに関する前記転送優先順位にしたがって前記UEにリソースを割り当て、前記割り当てられたリソースを前記UEに通知するステップと、を含む、
コンピュータプログラム。
【請求項３４】
コンピュータ実行可能な命令を含むコンピュータプログラムであって、前記コンピュータ実行可能な命令は、基地局のプロセッサで実行されると、前記基地局にリソース割り当て方法を実行させ、前記方法は、
ユーザ機器(UE)からのリソース要求メッセージを受信するステップであって、前記リソース要求メッセージは、論理チャネルグループ識別子を搬送する、ステップと、
前記論理チャネルグループ識別子にしたがって前記UEに関する転送優先順位を決定するステップと、
前記UEに関する前記転送優先順位が前記UEに関する最も高い転送優先順位よりも低い場合に、前記UEに関する前記転送優先順位にしたがって前記UEにリソースを割り当て、前記割り当てられたリソースを前記UEに通知するステップと、を含む、
コンピュータプログラム。
【手続補正２】
【補正対象書類名】明細書
【補正対象項目名】全文
【補正方法】変更
【補正の内容】
【発明の詳細な説明】
【技術分野】
【０００１】
本発明は、通信技術の分野に関し、特に、リソース割り当て方法、UE、及び基地局に関する。
【背景技術】
【０００２】
近接サービス(Proximity  Service,  ProSe)通信又はデバイス・トゥ・デバイス(Device  to  Device,  D2D)通信は、複数のユーザ機器(User  Equipment,  UE)が、互いに直接的に通信する1つの技術である。2つのUEの間のデータ転送及びシグナリング・インターラクションは、ネットワークを使用することなく、それらの2つのUEの間のインターフェイスによって直接的に行われてもよい。第3世代パートナーシッププロジェクト(3rd  Generation  Partnership  Project,  3GPP)におけるサービス及びシステム態様2(Service  and  System  Aspect,  SA2)は、図1に示されているProSeネットワークアーキテクチャを規定している。近接サービス機能(ProSe  Function)エンティティ及びアプリケーションサーバ(ProSe  Application  Service)は、ProSeサービスのための定義されるネットワークエンティティであり、サービス認証、パラメータ設定等に使用される。UE  A及びUE  Bが、ProSe通信を実行する場合に、基地局(eNodeB,  eNB)は、UE  A及びUE  Bにリソースを割り当てる必要がある。リソースを割り当てた後に、UE  A及びUE  Bは、直接的にデータを転送することが可能である。
【０００３】
UEは、ProSe通信によって複数の異なるサービスタイプのデータを転送し、これらのサービスタイプは、例えば、通常のデータ、音声、動画、及びメッセージを含む。複数の異なるサービスタイプは、複数の異なる転送優先順位を有している。例えば、音声又はリアルタイムで転送される必要がある動画等のサービスタイプの転送優先順位は、通常のデータ等のサービスタイプの転送優先順位よりも高い。従来技術においては、サービスタイプの転送優先順位にしたがってリソースを割り当てることが不可能であるため、相対的に高い転送優先順位を有するサービスタイプに対応するデータが低い効率で転送され、ユーザイクスペアリアンスが損なわれている。
【発明の概要】
【０００４】
本発明の複数の実施形態は、リソース割り当て方法、UE、及び基地局を提供して、サービスタイプの転送優先順位にしたがってリソースを割り当てることが不可能であるということに起因して、相対的に高い転送優先順位を有するサービスタイプに対応するデータが低い効率で転送され、ユーザイクスペアリアンスが損なわれているという従来技術の問題を解決する。
【０００５】
第1の態様によれば、リソース割り当て方法であって、
第1のサービスの転送優先順位が第1の転送優先順位であるということをユーザ機器(UE)によって決定するステップと、
転送優先順位と論理チャネルグループとの間の対応関係にしたがって、前記第1の転送優先順位に対応する論理チャネルグループが第1の論理チャネルグループであるということを前記UEによって決定するステップと、
第1の論理チャネルグループ識別子を搬送するリソース要求メッセージを前記UEによって基地局に送信するステップであって、前記第1の論理チャネルグループ識別子は、前記第1の論理チャネルグループを示すのに使用される、ステップと、
前記基地局が送信した通知メッセージを前記UEによって受信するステップであって、前記通知メッセージは、前記基地局が前記UEに割り当てたリソースに関する情報を搬送する、ステップと、
前記UEによって、前記リソースを使用することによって前記第1のサービスを転送するステップと、を含むリソース割り当て方法を提供する。
【０００６】
第1の態様に関して、第1の可能な実装において、第1のサービスの転送優先順位が第1の転送優先順位であるということをUEによって決定するステップは、
前記UEによって、前記第1のサービスのサービス優先順位を決定するステップと、
前記UEによって、サービス優先順位と転送優先順位との間の対応関係にしたがって、前記第1のサービスの前記サービス優先順位に対応する転送優先順位を決定するステップと、
前記第1の転送優先順位として前記第1のサービスの前記サービス優先順位に対応する前記転送優先順位を使用するステップと、を含む。
【０００７】
第1の態様の第1の可能な実装に関して、第2の可能な実装において、前記第1のサービスの前記サービス優先順位に対応する転送優先順位を決定するステップの前に、当該方法は、
近接サービス機能エンティティ又はアプリケーションサーバが送信するサービス優先順位と転送優先順位との間の対応関係を前記UEによって受信するステップをさらに含む。
【０００８】
第1の態様、又は第1の態様の第1又は第2の可能な実装のうちのいずれか1つに関して、第3の可能な実装において、転送優先順位と論理チャネルグループとの間の前記対応関係が、ネットワーク側によって送信されるか、又は、
転送優先順位と論理チャネルグループとの間の前記対応関係が、前記UEによって決定されるか、又は、
転送優先順位と論理チャネルグループとの間の前記対応関係が、前記UEによってあらかじめ設定される。
【０００９】
第1の態様、又は第1の態様の第1乃至第3の可能な実装のうちのいずれか1つに関して、第4の可能な実装において、前記第1の転送優先順位に対応する論理チャネルグループが第1の論理チャネルグループであるということを決定するステップの前に、当該方法は、
無線リソース制御(RRC)シグナリングを使用することによって前記基地局が送信する転送優先順位と論理チャネルグループとの間の前記対応関係を前記UEによって受信するステップ、又は、
前記近接サービス機能エンティティ又は前記アプリケーションサーバが送信する転送優先順位と論理チャネルグループとの間の前記対応関係を前記UEによって受信するステップ、をさらに含む。
【００１０】
第1の態様、又は第1の態様の第1乃至第4の可能な実装のうちのいずれか1つに関して、第5の可能な実装において、前記UEがグループ通信を実行する場合に、第1の論理チャネルグループ識別子を搬送するリソース要求メッセージを前記UEによって基地局に送信するステップの前に、当該方法は、
前記ネットワーク側が送信したグループ識別子を前記UEによって受信するステップをさらに含み、前記グループ識別子は、前記UEが、前記グループ識別子に対応するグループの中で通信を実行するように構成されるということを示すのに使用される。
【００１１】
第1の態様の第5の可能な実装に関して、第6の可能な実装において、前記ネットワーク側が送信したグループ識別子を前記UEによって受信するステップは、
RRCシグナリングを使用することによって前記基地局が送信するグループ識別子を受信するステップ、又は、
前記近接サービス機能エンティティ又は前記アプリケーションサーバが送信するグループ識別子を受信するステップ、を含む。
【００１２】
第1の態様の第5又は第6の可能な実装に関して、第7の可能な実装において、第1の論理チャネルグループ識別子を搬送するリソース要求メッセージを前記UEによって基地局に送信するステップは、
前記第1の論理チャネルグループ識別子及び前記グループ識別子を搬送する前記リソース要求メッセージを前記UEによって前記基地局に送信するステップを含む。
【００１３】
第2の態様によれば、リソース割り当て方法であって、
ユーザ機器(UE)によって送信されて論理チャネルグループ識別子を搬送するリソース要求メッセージを基地局によって受信するステップと、
前記基地局によって、前記論理チャネルグループ識別子にしたがって前記UEに関する転送優先順位を決定するステップと、
前記基地局によって、前記UEに関する前記転送優先順位にしたがって前記UEにリソースを割り当て、前記割り当てられたリソースを前記UEに通知するステップと、を含むソース割り当て方法を提供する。
【００１４】
第2の態様に関して、第1の可能な実装において、前記基地局によって、前記論理チャネルグループ識別子にしたがって前記UEに関する転送優先順位を決定するステップは、
前記基地局によって、前記UEに関する前記転送優先順位と論理チャネルグループとの間の対応関係にしたがって、前記論理チャネルグループ識別子によって示される論理チャネルグループに対応する転送優先順位を決定するステップを含む。
【００１５】
第2の態様の第1の可能な実装に関して、第2の可能な実装において、前記UEに関する前記転送優先順位と論理チャネルグループとの間の前記対応関係が、前記基地局によって決定されるか、又は、
前記UEに関する前記転送優先順位と論理チャネルグループとの間の前記対応関係が、前記基地局によってあらかじめ設定されるか、又は、
前記UEに関する前記転送優先順位と論理チャネルグループとの間の前記対応関係が、無線リソース制御(RRC)シグナリングを使用することによって、前記UEによって送信されるか、又は、
前記UEに関する前記転送優先順位と論理チャネルグループとの間の前記対応関係が、近接サービス機能エンティティ又はアプリケーションサーバによって送信される。
【００１６】
第2の態様又は第2の態様の第1の可能な実装に関して、第3の可能な実装において、前記基地局によって、前記論理チャネルグループ識別子にしたがって前記UEに関する転送優先順位を決定するステップの前に、当該方法は、
前記基地局によって、前記UEに関する前記転送優先順位と論理チャネルグループとの間の前記対応関係を決定するステップをさらに含む。
【００１７】
第2の態様の第3の可能な実装に関して、第4の可能な実装において、前記基地局によって、前記UEに関する前記転送優先順位と論理チャネルグループとの間の前記対応関係を決定するステップは、
前記UEがサポートするとともに近接サービス機能エンティティ又はアプリケーションサーバが送信する転送優先順位を前記基地局によって受信するステップと、
前記UEがサポートする前記転送優先順位にしたがって、前記UEに関する前記転送優先順位と論理チャネルグループとの間の前記対応関係を前記基地局によって決定するステップと、を含む。
【００１８】
第2の態様又は第2の態様の第1乃至第4の可能な実装のうちのいずれか1つに関して、第5の可能な実装において、前記リソース要求メッセージは、さらに、前記UEのグループ識別子を搬送する。
【００１９】
第2の態様の第5の可能な実装に関して、第6の可能な実装において、前記基地局によって、前記割り当てられたリソースを前記UEに通知するステップは、
前記UEの前記グループ識別子にしたがって前記割り当てられたリソースを前記UEに通知するステップを含む。
【００２０】
第2の態様又は第2の態様の第1乃至第6の可能な実装のうちのいずれか1つに関して、第7の可能な実装において、前記基地局によって、前記UEに関する前記転送優先順位にしたがって前記UEにリソースを割り当てるステップは、
前記基地局によって、転送優先順位の高い順に前記UEに前記リソースを割り当てるステップを含む。
【００２１】
第3の態様によれば、リソース割り当て方法であって、
ユーザ機器(UE)によって送信されて論理チャネルグループ識別子を搬送するリソース要求メッセージを基地局によって受信するステップと、
前記基地局によって、前記論理チャネルグループ識別子にしたがって前記UEに関する転送優先順位を決定するステップと、
前記UEに関する前記転送優先順位が前記UEに関する最も高い転送優先順位よりも低い場合に、前記基地局によって、前記UEに関する前記転送優先順位にしたがって前記UEにリソースを割り当て、前記割り当てられたリソースを前記UEに通知するステップと、を含むリソース割り当て方法を提供する。
【００２２】
第3の態様に関して、第1の可能な実装において、当該方法は、
ホームサブスクライバーサーバ(HSS)が送信する前記UEに関する前記最も高い転送優先順位を前記基地局によって受信するステップ、又は、
近接サービス機能エンティティ又はアプリケーションサーバが送信する前記UEに関する前記最も高い転送優先順位を基地局によって受信するステップ、をさらに含む。
【００２３】
第3の態様又は第3の態様の第1の可能な実装に関して、第2の可能な実装において、前記基地局によって、前記UEに関する前記転送優先順位にしたがって前記UEにリソースを割り当てるステップは、
前記基地局によって、転送優先順位の高い順に前記UEに前記リソースを割り当てるステップを含む。
【００２４】
第3の態様、又は第3の態様の第1及び第2の可能な実装のうちのいずれか1つに関して、第3の可能な実装において、前記基地局によって、前記論理チャネルグループ識別子にしたがって前記UEに関する転送優先順位を決定するステップは、
前記基地局によって、前記UEに関する前記転送優先順位と論理チャネルグループとの間の対応関係にしたがって、前記論理チャネルグループ識別子によって示される論理チャネルグループに対応する転送優先順位を決定するステップを含む。
【００２５】
第3の態様の第3の可能な実装に関して、第4の可能な実装において、前記UEに関する前記転送優先順位と論理チャネルグループとの間の前記対応関係が、前記基地局によって決定されるか、又は、
前記UEに関する前記転送優先順位と論理チャネルグループとの間の前記対応関係が、前記基地局によってあらかじめ設定されるか、又は、
前記UEに関する前記転送優先順位と論理チャネルグループとの間の前記対応関係が、無線リソース制御(RRC)シグナリングを使用することによって、前記UEによって送信されるか、又は、
前記UEに関する前記転送優先順位と論理チャネルグループとの間の前記対応関係が、前記近接サービス機能エンティティ又は前記アプリケーションサーバによって送信される。
【００２６】
第3の態様又は第3の態様の第1乃至第3の可能な実装のうちのいずれか1つに関して、第5の可能な実装において、前記基地局によって、前記論理チャネルグループ識別子にしたがって前記UEに関する転送優先順位を決定するステップの前に、当該方法は、
前記基地局によって、前記UEに関する前記転送優先順位と論理チャネルグループとの間の前記対応関係を決定するステップをさらに含む。
【００２７】
第3の態様の第5の可能な実装に関して、第6の可能な実装において、前記基地局によって、前記UEに関する前記転送優先順位と論理チャネルグループとの間の前記対応関係を決定するステップは、
前記UEがサポートするとともに前記近接サービス機能エンティティ又は前記アプリケーションサーバが送信する転送優先順位を前記基地局によって受信するステップと、
前記UEがサポートする前記転送優先順位にしたがって、前記UEに関する前記転送優先順位と論理チャネルグループとの間の前記対応関係を前記基地局によって決定するステップと、を含む。
【００２８】
第3の態様又は第3の態様の第1乃至第6の可能な実装のうちのいずれか1つに関して、第7の可能な実装において、前記リソース要求メッセージは、さらに、前記UEのグループ識別子を搬送する。
【００２９】
第3の態様の第7の可能な実装に関して、第8の可能な実装において、前記基地局によって、前記割り当てられたリソースを前記UEに通知するステップは、
前記UEの前記グループ識別子にしたがって前記割り当てられたリソースを前記UEに通知するステップを含む。
【００３０】
第4の態様によれば、UEであって、
第1のサービスの転送優先順位が第1の転送優先順位であるということを決定するように構成される第1の決定ユニットと、
転送優先順位と論理チャネルグループとの間の対応関係にしたがって、前記第1の転送優先順位に対応する論理チャネルグループが第1の論理チャネルグループであるということを決定するように構成される第2の決定ユニットと、
第1の論理チャネルグループ識別子を搬送するリソース要求メッセージを基地局に送信するように構成され、前記第1の論理チャネルグループ識別子は、前記第1の論理チャネルグループを示すのに使用され、前記基地局が送信する通知メッセージを受信するように構成され、前記通知メッセージは、前記基地局が前記UEに割り当てたリソースに関する情報を搬送し、そして、前記リソースを使用することによって前記第1のサービスを転送するように構成される通信ユニットと、を含むUEが提供される。
【００３１】
第4の態様に関して、第1の可能な実装において、前記第1の決定ユニットは、
前記第1のサービスのサービス優先順位を決定し、
サービス優先順位と転送優先順位との間の対応関係にしたがって、前記第1のサービスの前記サービス優先順位に対応する転送優先順位を決定し、そして、
前記第1の転送優先順位として前記第1のサービスの前記サービス優先順位に対応する前記転送優先順位を使用する、ように構成される。
【００３２】
第4の態様の第1の可能な実装に関して、第2の可能な実装において、前記通信ユニットは、さらに、
前記第1の決定ユニットが、前記第1のサービスの前記サービス優先順位に対応する前記転送優先順位を決定する前に、近接サービス機能エンティティ又はアプリケーションサーバが送信するサービス優先順位と転送優先順位との間の前記対応関係を受信するように構成される。
【００３３】
第4の態様又は第4の態様の第1及び第2の可能な実装のうちのいずれか1つに関して、第3の可能な実装において、転送優先順位と論理チャネルグループとの間の前記対応関係が、ネットワーク側によって送信されるか、又は、
転送優先順位と論理チャネルグループとの間の前記対応関係が、前記UEによって決定されるか、又は、
転送優先順位と論理チャネルグループとの間の前記対応関係が、前記UEによってあらかじめ設定される。
【００３４】
第4の態様又は第4の態様の第1乃至第3の可能な実装のうちのいずれか1つに関して、第4の可能な実装において、前記通信ユニットは、さらに、
前記第2の決定ユニットが、前記第1の転送優先順位に対応する論理チャネルグループが前記第1の論理チャネルグループであるということを決定する前に、無線リソース制御(RRC)シグナリングを使用することによって前記基地局が送信する転送優先順位と論理チャネルグループとの間の前記対応関係を受信するか、又は、
前記近接サービス機能エンティティ又は前記アプリケーションサーバが送信する転送優先順位と論理チャネルグループとの間の前記対応関係を受信する、ように構成される。
【００３５】
第4の態様又は第4の態様の第1乃至第4の可能な実装のうちのいずれか1つに関して、第5の可能な実装において、前記通信ユニットは、さらに、
前記UEがグループ通信を実行する場合に、前記第1の論理チャネルグループ識別子を搬送する前記リソース要求メッセージを前記基地局に送信する前に、前記ネットワーク側が送信したグループ識別子を受信するように構成され、前記グループ識別子は、前記UEが、前記グループ識別子に対応するグループの中で通信を実行するように構成されるということを示すのに使用される。
【００３６】
第4の態様の第5の可能な実装に関して、第6の可能な実装において、前記通信ユニットが、前記ネットワーク側が送信したグループ識別子を受信することは、
RRCシグナリングを使用することによって前記基地局が送信するグループ識別子を受信すること、又は、
前記近接サービス機能エンティティ又は前記アプリケーションサーバが送信するグループ識別子を受信すること、を含む。
【００３７】
第4の態様の第5又は第6の可能な実装に関して、第7の可能な実装において、前記通信ユニットは、
前記第1の論理チャネルグループ識別子及び前記グループ識別子を搬送する前記リソース要求メッセージを前記基地局に送信するように構成される。
【００３８】
第5の態様によれば、基地局であって、
ユーザ機器(UE)によって送信されて論理チャネルグループ識別子を搬送するリソース要求メッセージを受信するように構成される受信ユニットと、
前記論理チャネルグループ識別子にしたがって前記UEに関する転送優先順位を決定するように構成される決定ユニットと、
前記UEに関する前記転送優先順位にしたがって前記UEにリソースを割り当て、前記割り当てられたリソースを前記UEに通知するように構成される処理ユニットと、を含む基地局が提供される。
【００３９】
第5の態様に関して、第1の可能な実装において、前記決定ユニットは、
前記UEに関する前記転送優先順位と論理チャネルグループとの間の対応関係にしたがって、前記論理チャネルグループ識別子によって示される論理チャネルグループに対応する転送優先順位を決定するように構成される。
【００４０】
第5の態様の第1の可能な実装に関して、第2の可能な実装において、前記UEに関する前記転送優先順位と論理チャネルグループとの間の前記対応関係が、前記基地局によって決定されるか、又は、
前記UEに関する前記転送優先順位と論理チャネルグループとの間の前記対応関係が、前記基地局によってあらかじめ設定されるか、又は、
前記UEに関する前記転送優先順位と論理チャネルグループとの間の前記対応関係が、無線リソース制御(RRC)シグナリングを使用することによって、前記UEによって送信されるか、又は、
前記UEに関する前記転送優先順位と論理チャネルグループとの間の前記対応関係が、近接サービス機能エンティティ又はアプリケーションサーバによって送信される。
【００４１】
第5の態様又は第5の態様の第1の可能な実装に関して、第3の可能な実装において、前記決定ユニットは、さらに、
前記論理チャネルグループ識別子にしたがって前記UEに関する前記転送優先順位を決定する前に、前記UEに関する前記転送優先順位と論理チャネルグループとの間の前記対応関係を決定するように構成される。
【００４２】
第5の態様の第3の可能な実装に関して、第4の可能な実装において、前記UEに関する前記転送優先順位と論理チャネルグループとの間の前記対応関係を決定する場合に、前記決定ユニットは、
前記UEがサポートするとともに近接サービス機能エンティティ又はアプリケーションサーバが送信する転送優先順位を受信し、そして、
前記UEがサポートする前記転送優先順位にしたがって、前記UEに関する前記転送優先順位と論理チャネルグループとの間の前記対応関係を決定する、ように構成される。
【００４３】
第5の態様又は第5の態様の第1乃至第4の可能な実装のうちのいずれか1つに関して、第5の可能な実装において、前記リソース要求メッセージは、さらに、前記UEのグループ識別子を搬送する。
【００４４】
第5の態様の第5の可能な実装に関して、第6の可能な実装において、前記割り当てられたリソースを前記UEに通知する場合に、前記処理ユニットは、
前記UEの前記グループ識別子にしたがって前記割り当てられたリソースを前記UEに通知するように構成される。
【００４５】
第5の態様又は第5の態様の第1乃至第6の可能な実装のうちのいずれか1つに関して、第7の可能な実装において、前記UEに関する前記転送優先順位にしたがって前記UEにリソースを割り当てる場合に、前記処理ユニットは、
転送優先順位の高い順に前記UEに前記リソースを割り当てるように構成される。
【００４６】
第6の態様によれば、基地局であって、
ユーザ機器(UE)によって送信されて論理チャネルグループ識別子を搬送するリソース要求メッセージを受信するように構成される受信ユニットと、
前記論理チャネルグループ識別子にしたがって前記UEに関する転送優先順位を決定するように構成される決定ユニットと、
前記UEに関する前記転送優先順位が前記UEに関する最も高い転送優先順位よりも低い場合に、前記UEに関する前記転送優先順位にしたがって前記UEにリソースを割り当て、前記割り当てられたリソースを前記UEに通知するように構成される処理ユニットと、を含む基地局が提供される。
【００４７】
第6の態様に関して、第1の可能な実装において、前記受信ユニットは、さらに、
ホームサブスクライバーサーバ(HSS)が送信する前記UEに関する前記最も高い転送優先順位を受信するか、又は、
近接サービス機能エンティティ又はアプリケーションサーバが送信する前記UEに関する前記最も高い転送優先順位を受信する、ように構成される。
【００４８】
第6の態様又は第6の態様の第1の可能な実装に関して、第2の可能な実装において、前記UEに関する前記転送優先順位にしたがって前記UEに前記リソースを割り当てる場合に、前記処理ユニットは、
転送優先順位の高い順に前記UEに前記リソースを割り当てるように構成される。
【００４９】
第6の態様又は第6の態様の第1及び第2の可能な実装のうちのいずれか1つに関して、第3の可能な実装において、前記決定ユニットは、
前記UEに関する前記転送優先順位と論理チャネルグループとの間の対応関係にしたがって、前記論理チャネルグループ識別子によって示される論理チャネルグループに対応する転送優先順位を決定するように構成される。
【００５０】
第6の態様の第3の可能な実装に関して、第4の可能な実装において、前記UEに関する前記転送優先順位と論理チャネルグループとの間の前記対応関係が、前記基地局によって決定されるか、又は、
前記UEに関する前記転送優先順位と論理チャネルグループとの間の前記対応関係が、前記基地局によってあらかじめ設定されるか、又は、
前記UEに関する前記転送優先順位と論理チャネルグループとの間の前記対応関係が、無線リソース制御(RRC)シグナリングを使用することによって、前記UEによって送信されるか、又は、
前記UEに関する前記転送優先順位と論理チャネルグループとの間の前記対応関係が、前記近接サービス機能エンティティ又は前記アプリケーションサーバによって送信される。
【００５１】
第6の態様又は第6の態様の第1乃至第3の可能な実装のうちのいずれか1つに関して、第5の可能な実装において、前記決定ユニットは、さらに、
前記論理チャネルグループ識別子にしたがって前記UEに関する前記転送優先順位を決定する前に、前記UEに関する前記転送優先順位と論理チャネルグループとの間の前記対応関係を決定するように構成される。
【００５２】
第6の態様の第5の可能な実装に関して、第6の可能な実装において、前記UEに関する前記転送優先順位と論理チャネルグループとの間の前記対応関係を決定する場合に、前記決定ユニットは、
前記UEがサポートするとともに前記近接サービス機能エンティティ又は前記アプリケーションサーバが送信する転送優先順位を受信し、そして、
前記UEがサポートする前記転送優先順位にしたがって、前記UEに関する前記転送優先順位と論理チャネルグループとの間の前記対応関係を決定する、ように構成される。
【００５３】
第6の態様又は第6の態様の第1乃至第6の可能な実装のうちのいずれか1つに関して、第7の可能な実装において、前記リソース要求メッセージは、さらに、前記UEのグループ識別子を搬送する。
【００５４】
第6の態様の第7の可能な実装に関して、第8の可能な実装において、前記割り当てられたリソースを前記UEに通知する場合に、前記処理ユニットは、
前記UEの前記グループ識別子にしたがって前記割り当てられたリソースを前記UEに通知するように構成される。
【００５５】
本発明の複数の実施形態において、UEは、第1のサービスの転送優先順位が第1の転送優先順位であるということを決定し、そのサービスの第1の転送優先順位にしたがって、対応する第1の論理チャネルグループを決定し、そして、その第1の論理チャネルグループを示す第1の論理チャネルグループ識別子を搬送するリソース要求メッセージを基地局に送信する。基地局は、リソース要求メッセージの中で搬送される第1の論理チャネルグループ識別子にしたがって、そのUEに関する転送優先順位を決定して、そのUEにリソースを割り当ててもよい。この手法により、UEは、論理チャネルグループ識別子を使用することによって、あるサービスの転送優先順位を基地局に通知してもよく、基地局は、その論理チャネルグループを使用することによって、そのUEに関する転送優先順位を知ることが可能であり、それによって、その転送優先順位にしたがってそのUEにリソースを割り当てる。リソースは、転送優先順位にしたがって割り当てられて、リソースが、高い転送優先順位を持つサービスに優先的に割り当てられるということを保証する。このことは、データ転送効率を改善するとともに、ユーザイクスペアリアンスを改善する。
【図面の簡単な説明】
【００５６】
【図１】従来技術にしたがったProSeネットワークアーキテクチャの概略的な図である。
【図２】本発明の1つの実施形態にしたがった第1のリソース割り当て方法のフローチャートである。
【図３】本発明の1つの実施形態にしたがった第2のリソース割り当て方法のフローチャートである。
【図４】本発明の1つの実施形態にしたがった第2のリソース割り当て方法のフローチャートである。
【図５】本発明の1つの実施形態にしたがった第1のリソース割り当て方法の1つの特定のフローチャートである。
【図６】本発明の1つの実施形態にしたがった第2のリソース割り当て方法の1つの特定のフローチャートである。
【図７】本発明の1つの実施形態にしたがった第3のリソース割り当て方法の1つの特定のフローチャートである。
【図８】本発明の1つの実施形態にしたがった第4のリソース割り当て方法の1つの特定のフローチャートである。
【図９】本発明の1つの実施形態にしたがった第5のリソース割り当て方法の1つの特定のフローチャートである。
【図１０】本発明の1つの実施形態にしたがった第6のリソース割り当て方法の1つの特定のフローチャートである。
【図１１】本発明の1つの実施形態にしたがった第7のリソース割り当て方法の1つの特定のフローチャートである。
【図１２】本発明の1つの実施形態にしたがってUEの最も高い優先順位を取得する1つの特定のフローチャートである。
【図１３】本発明の1つの実施形態にしたがったUEの概略的な構成図である。
【図１４】本発明の1つの実施形態にしたがった基地局の概略的な構成図である。
【図１５】本発明の1つの実施形態にしたがった基地局の概略的な構成図である。
【図１６】本発明の1つの実施形態にしたがったUEの構成図である。
【図１７】本発明の1つの実施形態にしたがった基地局の構成図である。
【図１８】本発明の1つの実施形態にしたがった基地局の構成図である。
【発明を実施するための形態】
【００５７】
本発明の目的、技術的解決方法、及び利点をより明確にするために、以下の記載は、複数の添付の図面を参照して、本発明をさらに詳細に説明する。明らかなことではあるが、それらの説明される複数の実施形態は、本発明の複数の実施形態のすべてではなく、むしろそれらの一部にすぎない。創造的な努力を行うことなく本発明の複数の実施形態に基づいて当業者が得ることができるすべての他の実施形態は、本発明の保護範囲に属するものとする。
【００５８】
本発明の複数の実施形態は、リソース割り当て方法、UE、及び基地局を提供して、従来技術の1つの問題を解決し、その従来技術の問題は、サービスタイプに関する転送優先順位にしたがってリソースを割り当てることが不可能であるということに起因して、相対的に高い転送優先順位を持つサービスタイプに対応するデータが、低い効率で転送され、ユーザイクスペアリアンスが損なわれるということである。方法の実施形態及び装置の実施形態は、同じ独創的な概念に基づいている。上記の問題を解決する方法の実施形態及び装置の実施形態の原理は同様であるので、装置の実施形態及び方法の実施形態の実装を相互に参照してもよい。いずれの説明も反復しては行われない。
【００５９】
本発明の複数の技術的解決方法によれば、UEは、第1のサービスの転送優先順位が第1の転送優先順位であるということを決定し、第1の転送優先順位に対応する第1の論理チャネルグループを決定し、そして、その第1の論理チャネルグループを示す第1の論理チャネルグループ識別子を搬送するリソース要求メッセージを基地局に送信する。基地局は、リソース要求メッセージの中で搬送される第1の論理チャネルグループ識別子にしたがって、そのUEに関する転送優先順位を決定して、そのUEにリソースを割り当ててもよい。この手法により、UEは、論理チャネルグループ識別子を使用することによって、あるサービスの転送優先順位を基地局に通知してもよく、基地局は、その論理チャネルグループ識別子を使用することによって、そのUEに関する転送優先順位を知ることが可能であり、それによって、その転送優先順位にしたがってそのUEにリソースを割り当てる。リソースは、転送優先順位にしたがって割り当てられて、リソースが、高い転送優先順位を持つサービスに優先的に割り当てられるということを保証する。このことは、データ転送効率を改善するとともに、ユーザイクスペアリアンスを改善する。
【００６０】
本発明の複数の実施形態は、リソース割り当て方法、UE、及び基地局を提供し、それらのリソース割り当て方法、UE、及び基地局は、ProSeネットワークアーキテクチャに適用可能であり、ProSeネットワークアーキテクチャにおいては、ProSeサービスを実装することが可能である。以下の記載は、複数の添付の図面を参照して、本発明の複数の実施形態を詳細に説明する。
【００６１】
本発明の1つの実施形態は、リソース割り当て方法を提供し、その方法は、UE側に適用可能である。図2を参照すると、その方法の1つの特定の手順は、以下のステップを含む。
【００６２】
ステップ201:  UEは、第1のサービスの転送優先順位が第1の転送優先順位であるということを決定する。
【００６３】
選択的に、第1のサービスは、そのUEによって起動されるサービスであり、そのUEは、他のUEとの間で通信する必要がある。
【００６４】
選択的に、UEが、第1のサービスの転送優先順位が第1の転送優先順位であるということを決定することは、
UEによって、第1のサービスのサービス優先順位を決定することと、
UEによって、サービス優先順位と転送優先順位との間の対応関係にしたがって、第1のサービスのサービス優先順位に対応する転送優先順位を決定することと、
第1の転送優先順位として第1のサービスのサービス優先順位に対応する決定された転送優先順位を使用することと、を含む。
【００６５】
UEは、第1のサービスのサービスタイプ、第1のサービスのサービス情報、又はサービスとサービス優先順位との間の対応関係にしたがって、第1のサービスのサービス優先順位を決定してもよい。このことは、本発明においては限定されない。例えば、サービスapp[1]のサービス優先順位は、service  priority[0]として決定され、サービスapp[2]のサービス優先順位は、service  priority[0]として決定され、サービスapp[3]のサービス優先順位は、service  priority[1]として決定される。
【００６６】
選択的に、サービス優先順位と転送優先順位との間の対応関係は、ネットワーク側によって送信されるか、又は、
サービス優先順位と転送優先順位との間の対応関係は、UEによってあらかじめ設定される。
【００６７】
選択的に、サービス優先順位と転送優先順位との間の対応関係がネットワーク側によって送信される場合には、ステップ201が実行される前に、上記の方法は、ネットワーク側が送信するサービス優先順位と転送優先順位との間の対応関係をUEによって受信するステップをさらに含み、そのステップは、特に、
近接サービス機能エンティティ又はアプリケーションサーバが送信するサービス優先順位と転送優先順位との間の対応関係をUEによって受信するステップをさらに含む。
【００６８】
ステップ202:  UEは、転送優先順位と論理チャネルグループとの間の対応関係にしたがって、第1の転送優先順位に対応する論理チャネルグループが第1の論理チャネルグループであるということを決定する。
【００６９】
選択的に、転送優先順位と論理チャネルグループとの間の対応関係は、ネットワーク側によって送信されるか、又は、
転送優先順位と論理チャネルグループとの間の対応関係は、UEによって決定されるか、又は、
転送優先順位と論理チャネルグループとの間の対応関係は、UEによってあらかじめ設定される。
【００７０】
選択的に、ステップ202が実行される前に、上記の方法は、ネットワーク側が送信する転送優先順位と論理チャネルグループとの間の対応関係をUEによって受信するステップをさらに含み、そのステップは、
無線リソース制御(Radio  Resource  Control,  RRC)シグナリングを使用することによって基地局が送信する転送優先順位と論理チャネルグループとの間の対応関係をUEによって受信するステップ、又は、
近接サービス機能エンティティ又はアプリケーションサーバが送信する転送優先順位と論理チャネルグループとの間の対応関係をUEによって受信するステップ、を含む。
【００７１】
選択的に、転送優先順位と論理チャネルグループとの間の対応関係が、UEによって決定される場合に、ステップ202が実行される前に、上記の方法は、転送優先順位と論理チャネルグループとの間の対応関係をUEによって決定するステップをさらに含み、そのステップは、
例えば、transfer  priority[0]、transfer  priority[1]、transfer  priority[2]、又はtransfer  priority[3]等の、UEがサポートするとともに近接サービス機能エンティティ又はアプリケーションサーバが送信する転送優先順位をUEによって受信するステップと、
UEがサポートする転送優先順位にしたがって、転送優先順位と論理チャネルグループとの間の対応関係をUEによって決定するステップと、を含む。UEは、あらかじめ設定された規則にしたがって、UEがサポートする転送優先順位を論理チャネルグループにマッピングしてもよく、転送優先順位と論理チャネルグループとの間の対応関係を決定してもよい。例えば、UEは、transfer  priority[0]又はtransfer  priority[1]とLCG[0]との間の対応関係を確立し、そして、transfer  priority[2]又はtransfer  priority[3]とLCG[1]との間の対応関係を確立する。
【００７２】
UEがグループ通信を実行する場合に、ステップ203が実行される前に、上記の方法は、
ネットワーク側が送信したグループ識別子をUEによって受信するステップをさらに含み、グループ識別子は、UEが、グループ識別子に対応するグループの中で通信を実行するように構成されるということを示すのに使用される。
【００７３】
選択的に、ネットワーク側が送信したグループ識別子をUEによって受信するステップは、
RRCシグナリングを使用することによって基地局が送信するグループ識別子を受信するステップ、又は、
近接サービス機能エンティティ又はアプリケーションサーバが送信するグループ識別子を受信するステップ、を含む。
【００７４】
現在に仕様においては、4つの論理チャネルグループが定義され、論理チャネルグループ識別子は、LCG[0]、LCG[1]、LCG[2]、及びLCG[3]である。論理チャネルグループの各々に対応する転送優先順位は、特に、複数の異なる実際のシナリオにしたがって設定されてもよい。このことは、本発明においては限定されない。
【００７５】
ステップ203:  UEは、第1の論理チャネルグループ識別子を搬送するリソース要求メッセージを基地局に送信し、第1の論理チャネルグループ識別子は、第1の論理チャネルグループを示すのに使用される。
【００７６】
ステップ203を実行することによって、UEは、第1の論理チャネルグループ識別子を搬送するリソース要求メッセージを基地局に送信して、その第1の論理チャネルグループ識別子にしたがってそのUEにリソースを割り当てることをその基地局に要求する。
【００７７】
UEが、ネットワーク側が送信したグループ識別子を受信した後に、UEが、第1の論理チャネルグループ識別子を搬送するリソース要求メッセージを基地局に送信することは、
第1の論理チャネルグループ識別子及びグループ識別子を搬送するリソース要求メッセージをUEによって基地局に送信して、第1の論理チャネルグループ識別子及びグループ識別子に基づいて、UEにリソースを割り当てることを基地局に要求することを含む。
【００７８】
ステップ204:  UEは、基地局が送信した通知メッセージを受信し、通知メッセージは、基地局がUEに割り当てたリソースに関する情報を搬送し、UEは、そのリソースを使用することによって第1のサービスを転送する。
【００７９】
基地局が、第1の論理チャネルグループ識別子に基づいて、UEにリソースを割り当てた後に、基地局は、そのUEに通知メッセージを送信し、それによって、UEは、その通知メッセージを使用することによって、基地局がUEに割り当てたリソースを決定する。
【００８０】
本発明の上記の実施形態にしたがったリソース割り当て方法によれば、UEは、第1のサービスの第1の転送優先順位を決定し、第1の転送優先順位に対応する第1の論理チャネルグループを決定し、そして、第1の論理チャネルグループ識別子を搬送するリソース要求メッセージを基地局に送信する。基地局は、リソース要求メッセージの中で搬送される第1の論理チャネルグループ識別子にしたがって、そのUEに関する転送優先順位を決定して、そのUEにリソースを割り当ててもよい。この手法により、UEは、論理チャネルグループ識別子を使用することによって、あるサービスの転送優先順位を基地局に通知してもよく、基地局は、その論理チャネルグループ識別子を使用することによって、そのUEに関する転送優先順位を知ることが可能であり、それによって、その転送優先順位にしたがってそのUEにリソースを割り当てる。リソースは、転送優先順位にしたがって割り当てられて、リソースが、高い転送優先順位を持つサービスに優先的に割り当てられるということを保証する。このことは、データ転送効率を改善するとともに、ユーザイクスペアリアンスを改善する。
【００８１】
本発明の1つの実施形態は、リソース割り当て方法を提供し、その方法は、基地局側に適用することが可能である。図3を参照すると、その方法の1つの特定の手順は、以下のステップを含む。
【００８２】
ステップ301:  基地局は、UEによって送信されて論理チャネルグループ識別子を搬送するリソース要求メッセージを受信する。
【００８３】
論理チャネルグループ識別子は、リソース要求メッセージを報告するUEが第1のサービスのために決定した論理チャネルグループを示すのに使用される。特に、UEが第1のサービスの論理チャネルグループを決定する1つの特定の手順は、上記の実施形態におけるステップ201及びステップ202である。
【００８４】
ステップ302:  基地局は、論理チャネルグループ識別子にしたがってUEに関する転送優先順位を決定する。
【００８５】
選択的に、ステップ302が実行される場合に、上記の方法は、
基地局によって、UEに関する転送優先順位と論理チャネルグループとの間の対応関係にしたがって、論理チャネルグループ識別子によって示される論理チャネルグループに対応する転送優先順位を決定するステップを含む。
【００８６】
UEに関する転送優先順位と論理チャネルグループとの間の対応関係が、基地局によって決定されるか、又は、
UEに関する転送優先順位と論理チャネルグループとの間の対応関係が、基地局によってあらかじめ設定されるか、又は、
UEに関する転送優先順位と論理チャネルグループとの間の対応関係が、無線リソース制御RRCシグナリングを使用することによって、UEによって送信されるか、又は、
UEに関する転送優先順位と論理チャネルグループとの間の対応関係が、近接サービス機能エンティティ又はアプリケーションサーバによって送信される。
【００８７】
基地局によって、UEに関する転送優先順位と論理チャネルグループ識別子との間の対応関係を決定する場合には、ステップ302が実行される前に、上記の方法は、
基地局によって、UEに関する転送優先順位と論理チャネルグループとの間の対応関係を決定するステップをさらに含み、そのステップは、特に、
例えば、transfer  priority[0]、transfer  priority[1]、transfer  priority[2]、又はtransfer  priority[3]等の、UEがサポートするとともに近接サービス機能エンティティ又はアプリケーションサーバが送信する転送優先順位を基地局によって受信するステップと、
UEがサポートする転送優先順位にしたがって、UEに関する転送優先順位と論理チャネルグループとの間の対応関係を基地局によって決定するステップと、を含む。基地局は、あらかじめ設定された規則にしたがって、UEがサポートする転送優先順位を論理チャネルグループにマッピングしてもよく、転送優先順位と論理チャネルグループとの間の対応関係を決定してもよい。例えば、基地局は、transfer  priority[0]又はtransfer  priority[1]とLCG[0]との間の対応関係を確立し、そして、transfer  priority[2]又はtransfer  priority[3]とLCG[1]との間の対応関係を確立する。
【００８８】
ステップ303:  基地局は、UEに関する転送優先順位にしたがってUEにリソースを割り当て、割り当てられたリソースをUEに通知する。
【００８９】
基地局は、通常、複数のUEが送信するリソース要求メッセージを受信して、それらの複数のUEに関する複数の転送優先順位を決定する。したがって、ステップ303が実行される場合には、基地局は、転送優先順位の高い順にそれらの複数のUEの各々にリソースを割り当てる。
【００９０】
例えば、第1のUEに関する転送優先順位は、第1のUEが送信した論理チャネルグループ識別子にしたがって、transfer  priority[2]として決定され、第2のUEの転送優先順位は、第2のUEが送信した論理チャネルグループ識別子にしたがって、transfer  priority[1]として決定され、transfer  priority[1]は、transfer  priority[2]よりも高い。この場合には、リソースは、第2のUEに優先的に割り当てられ、その次に、リソースは、第1のUEに割り当てられる。
【００９１】
選択的に、そのUEに関する複数の転送優先順位が存在してもよい。そのUEに関する複数の転送優先順位が存在する場合には、そのUEに関するそれらの複数の転送優先順位から最も高い転送優先順位又は最も低い転送優先順位を選択してもよく、その後、リソースは、そのUEに関する選択されたもっとも高い転送優先順位又は選択されたもっとも低い転送優先順位に基づいて、転送優先順位の高い順にUEに割り当てられる。このことは、本発明においては限定されない。
【００９２】
選択的に、ステップ301において、基地局が受信するリソース要求メッセージは、さらに、グループ識別子を搬送する。
【００９３】
基地局が、割り当てられたリソースをUEに通知することは、
そのUEのグループ識別子にしたがって割り当てられたリソースをそのUEに通知することを含む。
【００９４】
特に、基地局は、割り当てられたリソースを、UEのグループ識別子に対応するグループの中のすべてのUEに通知する。そのUEは、そのグループ識別子に対応するグループの中に存在するため、そのUEは、基地局が送信するとともに割り当てられたリソースに関する通知を受信してもよい。
【００９５】
本発明の上記の実施形態にしたがったリソース割り当て方法によれば、基地局は、UEによって報告されるとともに論理チャネルグループ識別子を搬送するリソース要求メッセージを受信し、その論理チャネルグループ識別子にしたがってそのUEに関する転送優先順位を決定し、そのUEに関する転送優先順位にしたがってそのUEにリソースを割り当て、そして、割り当てられたリソースをそのUEに通知する。この手法により、基地局は、そのUEが報告した論理チャネルグループ識別子を使用することによって、そのUEに関する転送優先順位を知ることが可能であり、その転送優先順位にしたがってそのUEにリソースを割り当てる。リソースは、転送優先順位にしたがって割り当てられて、リソースが、高い転送優先順位を持つサービスに優先的に割り当てられるということを保証する。このことは、データ転送効率を改善するとともに、ユーザイクスペアリアンスを改善する。
【００９６】
本発明の1つの実施形態は、リソース割り当て方法を提供し、その方法は、基地局側に適用可能である。図4を参照すると、その方法の1つの特定の手順は、以下のステップを含む。
【００９７】
ステップ401:  基地局は、UEによって報告されて論理チャネルグループ識別子を搬送するリソース要求メッセージを受信する。
【００９８】
論理チャネルグループ識別子は、リソース要求メッセージを報告するUEが第1のサービスのために決定した論理チャネルグループを示すのに使用される。特に、UEが第1のサービスの論理チャネルグループを決定する1つの特定の手順は、上記の実施形態におけるステップ201及びステップ202である。
【００９９】
ステップ402:  基地局は、論理チャネルグループ識別子にしたがってUEに関する転送優先順位を決定する。
【０１００】
選択的に、ステップ402が実行される場合に、上記の方法は、
基地局によって、UEに関する転送優先順位と論理チャネルグループとの間の対応関係にしたがって、論理チャネルグループ識別子によって示される論理チャネルグループに対応する転送優先順位を決定するステップを含む。
【０１０１】
選択的に、UEに関する転送優先順位と論理チャネルグループとの間の対応関係が、基地局によって決定されるか、又は、
UEに関する転送優先順位と論理チャネルグループとの間の対応関係が、基地局によってあらかじめ設定されるか、又は、
UEに関する転送優先順位と論理チャネルグループとの間の対応関係が、無線リソース制御(RRC)シグナリングを使用することによって、UEによって送信されるか、又は、
UEに関する転送優先順位と論理チャネルグループとの間の対応関係が、近接サービス機能エンティティ又はアプリケーションサーバによって送信される。
【０１０２】
UEに関する転送優先順位と論理チャネルグループとの間の対応関係が、基地局によって決定される場合には、ステップ402が実行される前に、上記の方法は、
基地局によって、UEに関する転送優先順位と論理チャネルグループとの間の対応関係を決定するステップをさらに含み、そのステップは、特に、
UEがサポートするとともに近接サービス機能エンティティ又はアプリケーションサーバが送信する転送優先順位を基地局によって受信するステップと、
UEがサポートする転送優先順位にしたがって、UEに関する転送優先順位と論理チャネルグループとの間の対応関係を基地局によって決定するステップと、を含む。
【０１０３】
ステップ403:  UEに関する転送優先順位がUEに関する最も高い転送優先順位よりも低い場合に、基地局は、UEに関する転送優先順位にしたがってUEにリソースを割り当て、割り当てられたリソースをUEに通知する。
【０１０４】
選択的に、ステップ403が実行される前に、上記の方法は、基地局によって、UEに関する最も高い転送優先順位を決定するステップをさらに含み、そのステップは、
ホームサブスクライバーサーバ(Home  Subscriber  Server,  HSS)が送信するUEに関する最も高い転送優先順位を基地局によって受信するステップ、又は、
近接サービス機能エンティティ又はアプリケーションサーバが送信するUEに関する最も高い転送優先順位を基地局によって受信するステップ、を含む。
【０１０５】
HSSが送信する各々のUEに関する最も高い転送優先順位を受信する場合に、選択的に、その最も高い転送優先順位は、最初に、MMEに送信され、次に、MMEによって基地局に送信される。
【０１０６】
選択的に、ステップ403が実行される場合に、上記の方法は、
そのUEに関する転送優先順位とそのUEに関する最も高い転送優先順位とを比較し、そのUEに関する転送優先順位がそのUEに関する最も高い転送優先順位よりも低い場合に、そのUEにリソースを割り当てるステップを含む。
【０１０７】
選択的に、そのUEに関する複数の転送優先順位が存在してもよい。そのUEに関する複数の決定された転送優先順位が存在する場合には、そのUEに関するそれらの複数の転送優先順位の各々が、そのUEに関する最も高い転送優先順位よりも低いときに、リソースは、そのUEに割り当てられてもよい。
【０１０８】
選択的に、基地局が、UEに関する転送優先順位にしたがってUEにリソースを割り当てることは、
基地局によって、転送優先順位の高い順にUEにリソースを割り当てることを含む。
【０１０９】
基地局は、通常、複数のUEが送信するリソース要求メッセージを受信して、それらの複数のUEに関する複数の転送優先順位を決定する。したがって、ステップ403が実行される場合には、基地局は、転送優先順位の高い順にそれらの複数のUEの各々にリソースを割り当てる。
【０１１０】
選択的に、そのUEに関する複数の転送優先順位が存在してもよい。そのUEに関する複数の転送優先順位が存在する場合には、そのUEに関するそれらの複数の転送優先順位から最も高い転送優先順位又は最も低い転送優先順位を選択してもよく、その後、リソースは、そのUEに関する選択されたもっとも高い転送優先順位又は選択されたもっとも低い転送優先順位に基づいて、転送優先順位の高い順にそのUEに割り当てられる。このことは、本発明においては限定されない。
【０１１１】
選択的に、ステップ401において、基地局が受信するリソース要求メッセージは、さらに、グループ識別子を搬送する。
【０１１２】
基地局が、割り当てられたリソースをUEに通知することは、
そのUEのグループ識別子にしたがって、割り当てられたリソースをそのUEに通知することを含む。特に、基地局は、割り当てられたリソースを、そのUEのグループ識別子に対応するグループの中のすべてのUEに通知する。そのUEは、そのグループ識別子に対応するグループの中に存在するため、そのUEは、基地局が送信するとともに割り当てられたリソースに関する通知を受信してもよい。
【０１１３】
本発明の上記の実施形態にしたがったリソース割り当て方法によれば、基地局は、UEによって報告されるとともに論理チャネルグループ識別子を搬送するリソース要求メッセージを受信し、その論理チャネルグループ識別子にしたがってそのUEに関する転送優先順位を決定し、そのUEに関する転送優先順位が、そのUEに関する最も高い転送優先順位よりも低い場合に、そのUEに関する転送優先順位にしたがってそのUEにリソースを割り当て、そして、割り当てられたリソースをそのUEに通知する。この手法により、基地局は、そのUEが報告した論理チャネルグループ識別子を使用することによって、そのUEに関する転送優先順位を知ることが可能であり、そのUEにリソースを割り当てるべきであるか否かを、そのUEに関する最も高い転送優先順位に基づいて決定する。リソースは、転送優先順位にしたがって割り当てられて、リソースが、高い転送優先順位を持つサービスに優先的に割り当てられるということを保証する。このことは、データ転送効率を改善するとともに、ユーザイクスペアリアンスを改善する。
【０１１４】
上記の実施形態に基づいて、本発明の1つの実施形態は、ProSeネットワークアーキテクチャに適用可能なリソース割り当て方法を提供し、ProSeネットワークアーキテクチャにおいては、ProSeサービスを実装することが可能である。図5を参照すると、上記の方法の1つの特定の手順は、以下のステップを含む。
【０１１５】
ステップ501a:  アプリケーションサーバは、UEにサービス優先順位と転送優先順位との間の対応関係を送信する。代替的に、ステップ501b:  近接サービス機能エンティティは、UEにサービス優先順位と転送優先順位との間の対応関係を送信する。
【０１１６】
例えば、サービス優先順位と転送優先順位との間の対応関係は、表1に示されている。
【０１１７】
【表１】
2018518917.tif 000023
【０１１８】
各々のサービス優先順位は、サービス優先順位と転送優先順位との間の対応関係にしたがって、1つの転送優先順位に一意に対応しているということを、表1から理解することが可能である。
【０１１９】
ステップ502:  UEは、転送優先順位と論理チャネルグループとの間の対応関係を決定する。
【０１２０】
UEは、複数の異なる転送優先順位を複数の異なる論理チャネルグループにマッピングしてもよい。現在の仕様においては、4つの論理チャネルグループが定義されている。
【０１２１】
転送優先順位と論理チャネルグループとの間の対応関係は、表2に示され、UEによってあらかじめ設定されるか、又は、あらかじめ設定された規則に従って決定されてもよい。このことは、本発明においては限定されない。
【０１２２】
【表２】
2018518917.tif 000024
【０１２３】
各々の転送優先順位は、転送優先順位と論理チャネルグループとの間の対応関係にしたがって、1つの論理チャネルグループに一意に対応しているということを、表2から理解することが可能である。
【０１２４】
ステップ503:  UEは、サービスのために基地局からリソースを要求し、基地局がUEにリソースを割り当てた後に、UEは、そのサービスを転送する。
【０１２５】
特に、あるサービスについて、UEは、そのサービスのサービス優先順位を最初に決定し、サービス優先順位と転送優先順位との間の対応関係にしたがって、そのサービスのサービス優先順位に対応する転送優先順位が第1の転送優先順位であるということを決定し、転送優先順位と論理チャネルグループとの間の対応関係にしたがって、第1の転送優先順位に対応する論理チャネルグループが第1の論理チャネルグループであるということを決定し、第1の論理チャネルグループを示す第1の論理チャネルグループ識別子を搬送するリソース要求メッセージを基地局に送信する。その第1の論理チャネルグループ識別子に基づいて、そのUEにリソースを割り当てた後に、基地局は、割り当てられたリソースをそのUEに通知する。そのUEは、割り当てられたリソースに基づいて、そのサービスを転送する、すなわち、図2、図3、又は図4に対応するリソース割り当て方法を使用することによって、ステップ503を実行する。
【０１２６】
上記の実施形態に基づいて、本発明の1つの実施形態は、さらに、ProSeネットワークアーキテクチャに適用可能なリソース割り当て方法を提供し、ProSeネットワークアーキテクチャにおいては、ProSeサービスを実装することが可能である。図6を参照すると、上記の方法の1つの特定の手順は、以下のステップを含む。
【０１２７】
ステップ601a:  アプリケーションサーバは、基地局に、各々のUEが使用する転送優先順位を送信する。代替的に、ステップ601b:  近接サービス機能エンティティは、基地局に、各々のUEが使用する転送優先順位を送信する。
【０１２８】
選択的に、近接サービス機能エンティティが、基地局に、各々のUEが使用する転送優先順位を送信する場合に、その転送優先順位は、HSS及び移動性管理エンティティ(Mobile  Management  Entity,  MME)による転送が成功した後に、基地局に到達してもよく、又は、MMEを使用することによって基地局に到達してもよい。
【０１２９】
ステップ602:  基地局は、転送優先順位と論理チャネルグループとの間の各々のUEに特有の対応関係を決定する。
【０１３０】
基地局は、各々のUEが使用する複数の異なる転送優先順位を各々のUEについての複数の異なる論理チャネルグループにマッピングしてもよい。現在の仕様においては、4つの論理チャネルグループが定義されている。
【０１３１】
転送優先順位と論理チャネルグループとの間の対応関係は、表2に示され、UEによってあらかじめ設定されるか、又は、あらかじめ設定された規則に従って決定されてもよい。このことは、本発明においては限定されない。
【０１３２】
各々の転送優先順位は、転送優先順位と論理チャネルグループとの間の対応関係にしたがって、1つの論理チャネルグループに一意に対応しているということを、表2から理解することが可能である。
【０１３３】
ステップ603:  基地局は、RRCシグナリングを使用することによって、各々のUEに、転送優先順位と論理チャネルグループとの間の各々のUEに特有の対応関係を送信する。
【０１３４】
ステップ604:  UEは、サービスのために基地局からリソースを要求し、基地局がそのUEにリソースを割り当てた後に、そのUEは、そのサービスを転送する。
【０１３５】
特に、あるサービスについて、UEは、そのサービスのサービス優先順位を最初に決定し、サービス優先順位と転送優先順位との間の表1に示されている対応関係にしたがって、そのサービスのサービス優先順位に対応する転送優先順位が第1の転送優先順位であるということを決定し、転送優先順位と論理チャネルグループとの間の取得した対応関係にしたがって、第1の転送優先順位に対応する論理チャネルグループが第1の論理チャネルグループであるということを決定し、第1の論理チャネルグループを示す第1の論理チャネルグループ識別子を搬送するリソース要求メッセージを基地局に送信する。その第1の論理チャネルグループ識別子に基づいて、そのUEにリソースを割り当てた後に、基地局は、割り当てられたリソースをそのUEに通知する。そのUEは、割り当てられたリソースに基づいて、そのサービスを転送する、すなわち、図2、図3、又は図4に対応するリソース割り当て方法を使用することによって、ステップ604を実行する。
【０１３６】
上記の実施形態に基づいて、本発明の1つの実施形態は、さらに、ProSeネットワークアーキテクチャに適用可能なリソース割り当て方法を提供し、ProSeネットワークアーキテクチャにおいては、ProSeサービスを実装することが可能である。図7を参照すると、上記の方法の1つの特定の手順は、以下のステップを含む。
【０１３７】
ステップ701a:  アプリケーションサーバは、基地局に、各々のUEが使用する転送優先順位及び各々のUEのグループ識別子を送信する。代替的に、ステップ701b:  近接サービス機能エンティティは、基地局に、各々のUEが使用する転送優先順位及び各々のUEのグループ識別子を送信する。
【０１３８】
選択的に、近接サービス機能エンティティが、基地局に、グループ識別子及び各々のUEが使用する転送優先順位を送信する場合に、その転送優先順位及びそのグループ識別子は、HSS及びMMEによる転送が成功した後に、基地局に到達してもよく、又は、MMEを使用することによって基地局に到達してもよい。
【０１３９】
ステップ702:  基地局は、転送優先順位と論理チャネルグループとの間の各々のUEに特有の対応関係を決定する。
【０１４０】
基地局は、各々のUEが使用する複数の異なる転送優先順位を各々のUEについての複数の異なる論理チャネルグループにマッピングしてもよい。現在の仕様においては、4つの論理チャネルグループが定義されている。
【０１４１】
転送優先順位と論理チャネルグループとの間の対応関係は、表2に示され、UEによってあらかじめ設定されるか、又は、あらかじめ設定された規則に従って決定されてもよい。このことは、本発明においては限定されない。
【０１４２】
各々の転送優先順位は、転送優先順位と論理チャネルグループとの間の対応関係にしたがって、1つの論理チャネルグループに一意に対応しているということを、表2から理解することが可能である。
【０１４３】
ステップ703:  基地局は、RRCシグナリングを使用することによって、各々のUEに、転送優先順位と論理チャネルグループとの間の各々のUEに特有の対応関係及びグループ識別子を送信する。
【０１４４】
ステップ704:  UEは、サービスのために基地局からリソースを要求し、基地局がそのUEにリソースを割り当てた後に、そのUEは、そのサービスを転送する。
【０１４５】
特に、あるサービスについて、UEは、そのサービスのサービス優先順位を最初に決定し、サービス優先順位と転送優先順位との間の表1に示されている対応関係にしたがって、そのサービスのサービス優先順位に対応する転送優先順位が第1の転送優先順位であるということを決定し、転送優先順位と論理チャネルグループとの間の取得した対応関係にしたがって、第1の転送優先順位に対応する論理チャネルグループが第1の論理チャネルグループであるということを決定し、第1の論理チャネルグループを示す第1の論理チャネルグループ識別子及びそのUEのグループ識別子を搬送するリソース要求メッセージを基地局に送信する。その第1の論理チャネルグループ識別子に基づいて、そのUEにリソースを割り当てた後に、基地局は、そのUEのグループ識別子を使用することによって、割り当てられたリソースをそのUEに通知する。そのUEは、割り当てられたリソースに基づいて、そのサービスを転送する、すなわち、図2、図3、又は図4に対応するリソース割り当て方法を使用することによって、ステップ704を実行する。
【０１４６】
上記の実施形態に基づいて、本発明の1つの実施形態は、さらに、ProSeネットワークアーキテクチャに適用可能なリソース割り当て方法を提供し、ProSeネットワークアーキテクチャにおいては、ProSeサービスを実装することが可能である。図8を参照すると、上記の方法の1つの特定の手順は、以下のステップを含む。
【０１４７】
ステップ801a:  アプリケーションサーバは、基地局に、転送優先順位と論理チャネルグループとの間の各々のUEに特有の対応関係を送信する。代替的に、ステップ801b:  近接サービス機能エンティティは、基地局に、転送優先順位と論理チャネルグループとの間の各々のUEに特有の対応関係を送信する。
【０１４８】
選択的に、近接サービス機能エンティティが、基地局に、転送優先順位と論理チャネルグループとの間の各々のUEに特有の対応関係を送信する場合に、その対応関係は、HSS及びMMEによる転送が成功した後に、基地局に到達してもよく、又は、MMEを使用することによって基地局に到達してもよい。
【０１４９】
ステップ802a:  アプリケーションサーバは、UEに、転送優先順位と論理チャネルグループとの間のそのUEに特有の対応関係を送信する。代替的に、ステップ802b:  近接サービス機能エンティティは、UEに、転送優先順位と論理チャネルグループとの間のそのUEに特有の対応関係を送信する。
【０１５０】
ステップ801及びステップ802の順序は、限定されない。ステップ801が最初に実行されてもよく、又は、ステップ802が最初に実行されてもよく、又は、2つのステップが同時に実行されてもよい。このことは、本発明においては、限定されない。
【０１５１】
ステップ803:  UEは、サービスのために基地局からリソースを要求し、基地局がそのUEにリソースを割り当てた後に、そのUEは、そのサービスを転送する。
【０１５２】
特に、あるサービスについて、UEは、そのサービスのサービス優先順位を最初に決定し、サービス優先順位と転送優先順位との間の表1に示されている対応関係にしたがって、そのサービスのサービス優先順位に対応する転送優先順位が第1の転送優先順位であるということを決定し、転送優先順位と論理チャネルグループとの間の取得した対応関係にしたがって、第1の転送優先順位に対応する論理チャネルグループが第1の論理チャネルグループであるということを決定し、第1の論理チャネルグループを示す第1の論理チャネルグループ識別子を搬送するリソース要求メッセージを基地局に送信する。その第1の論理チャネルグループ識別子に基づいて、そのUEにリソースを割り当てた後に、基地局は、割り当てられたリソースをそのUEに通知する。そのUEは、割り当てられたリソースに基づいて、そのサービスを転送する、すなわち、図2、図3、又は図4に対応するリソース割り当て方法を使用することによって、ステップ803を実行する。
【０１５３】
上記の実施形態に基づいて、本発明の1つの実施形態は、さらに、ProSeネットワークアーキテクチャに適用可能なリソース割り当て方法を提供し、ProSeネットワークアーキテクチャにおいては、ProSeサービスを実装することが可能である。図9を参照すると、上記の方法の1つの特定の手順は、以下のステップを含む。
【０１５４】
ステップ901a:  アプリケーションサーバは、基地局に、転送優先順位と論理チャネルグループ識別子との間の各々のUEに特有の対応関係及び各々のUEのグループ識別子を送信する。代替的に、ステップ901b:  近接サービス機能エンティティは、基地局に、転送優先順位と論理チャネルグループ識別子との間の各々のUEに特有の対応関係及び各々のUEのグループ識別子を送信する。
【０１５５】
選択的に、近接サービス機能エンティティが、基地局に、転送優先順位と論理チャネルグループとの間の各々のUEに特有の対応関係及び各々のUEのグループ識別子を送信する場合に、その対応関係及びそのグループ識別子は、HSS及びMMEによる転送が成功した後に、基地局に到達してもよく、又は、MMEを使用することによって基地局に到達してもよい。
【０１５６】
ステップ902a:  アプリケーションサーバは、UEに、転送優先順位と論理チャネルグループとの間のそのUEに特有の対応関係及びそのUEのグループ識別子を送信する。代替的に、ステップ902b:  近接サービス機能エンティティは、UEに、転送優先順位と論理チャネルグループとの間のそのUEに特有の対応関係及びそのUEのグループ識別子を送信する。
【０１５７】
ステップ901及びステップ902の順序は、限定されない。ステップ901が最初に実行されてもよく、又は、ステップ902が最初に実行されてもよく、又は、2つのステップが同時に実行されてもよい。このことは、本発明においては、限定されない。
【０１５８】
ステップ903:  UEは、サービスのために基地局からリソースを要求し、基地局がそのUEにリソースを割り当てた後に、そのUEは、そのサービスを転送する。
【０１５９】
特に、あるサービスについて、UEは、そのサービスのサービス優先順位を最初に決定し、サービス優先順位と転送優先順位との間の表1に示されている対応関係にしたがって、そのサービスのサービス優先順位に対応する転送優先順位が第1の転送優先順位であるということを決定し、転送優先順位と論理チャネルグループとの間の取得した対応関係にしたがって、第1の転送優先順位に対応する論理チャネルグループが第1の論理チャネルグループであるということを決定し、第1の論理チャネルグループを示す第1の論理チャネルグループ識別子及びそのUEのグループ識別子を搬送するリソース要求メッセージを基地局に送信する。その第1の論理チャネルグループ識別子に基づいて、そのUEにリソースを割り当てた後に、基地局は、そのUEのグループ識別子を使用することによって、割り当てられたリソースをそのUEに通知する。そのUEは、割り当てられたリソースに基づいて、そのサービスを転送する、すなわち、図2、図3、又は図4に対応するリソース割り当て方法を使用することによって、ステップ903を実行する。
【０１６０】
上記の実施形態に基づいて、本発明の1つの実施形態は、さらに、ProSeネットワークアーキテクチャに適用可能なリソース割り当て方法を提供し、ProSeネットワークアーキテクチャにおいては、ProSeサービスを実装することが可能である。図10を参照すると、上記の方法の1つの特定の手順は、以下のステップを含む。
【０１６１】
ステップ1001a:  アプリケーションサーバは、UEに、転送優先順位と論理チャネルグループとの間のそのUEに特有の対応関係を送信する。代替的に、ステップ1001b:  近接サービス機能エンティティは、UEに、転送優先順位と論理チャネルグループとの間のそのUEに特有の対応関係を送信する。
【０１６２】
ステップ1002:  UEは、RRCシグナリングを使用することによって、基地局に、転送優先順位と論理チャネルグループとの間のそのUEに特有の対応関係を送信する。
【０１６３】
ステップ1003:  UEは、サービスのために基地局からリソースを要求し、基地局がそのUEにリソースを割り当てた後に、そのUEは、そのサービスを転送する。
【０１６４】
特に、あるサービスについて、UEは、そのサービスのサービス優先順位を最初に決定し、サービス優先順位と転送優先順位との間の表1に示されている対応関係にしたがって、そのサービスのサービス優先順位に対応する転送優先順位が第1の転送優先順位であるということを決定し、転送優先順位と論理チャネルグループとの間の取得した対応関係にしたがって、第1の転送優先順位に対応する論理チャネルグループが第1の論理チャネルグループであるということを決定し、第1の論理チャネルグループを示す第1の論理チャネルグループ識別子を搬送するリソース要求メッセージを基地局に送信する。その第1の論理チャネルグループ識別子に基づいて、そのUEにリソースを割り当てた後に、基地局は、割り当てられたリソースをそのUEに通知する。そのUEは、割り当てられたリソースに基づいて、そのサービスを転送する、すなわち、図2、図3、又は図4に対応するリソース割り当て方法を使用することによって、ステップ1003を実行する。
【０１６５】
上記の実施形態に基づいて、本発明の1つの実施形態は、さらに、ProSeネットワークアーキテクチャに適用可能なリソース割り当て方法を提供し、ProSeネットワークアーキテクチャにおいては、ProSeサービスを実装することが可能である。図11を参照すると、上記の方法の1つの特定の手順は、以下のステップを含む。
【０１６６】
ステップ1101a:  アプリケーションサーバは、UEに、転送優先順位と論理チャネルグループとの間のそのUEに特有の対応関係及びそのUEのグループ識別子を送信する。代替的に、ステップ1101b:  近接サービス機能エンティティは、UEに、転送優先順位と論理チャネルグループとの間のそのUEに特有の対応関係及びそのUEのグループ識別子を送信する。
【０１６７】
ステップ1102:  UEは、RRCシグナリングを使用することによって、基地局に、転送優先順位と論理チャネルグループとの間のそのUEに特有の対応関係及びそのUEのグループ識別子を送信する。
【０１６８】
ステップ1103:  UEは、サービスのために基地局からリソースを要求し、基地局がそのUEにリソースを割り当てた後に、そのUEは、そのサービスを転送する。
【０１６９】
特に、あるサービスについて、UEは、そのサービスのサービス優先順位を最初に決定し、サービス優先順位と転送優先順位との間の表1に示されている対応関係にしたがって、そのサービスのサービス優先順位に対応する転送優先順位が第1の転送優先順位であるということを決定し、転送優先順位と論理チャネルグループとの間の取得した対応関係にしたがって、第1の転送優先順位に対応する論理チャネルグループが第1の論理チャネルグループであるということを決定し、第1の論理チャネルグループを示す第1の論理チャネルグループ識別子及びそのUEのグループ識別子を搬送するリソース要求メッセージを基地局に送信する。その第1の論理チャネルグループ識別子に基づいて、そのUEにリソースを割り当てた後に、基地局は、そのUEのグループ識別子を使用することによって、割り当てられたリソースをそのUEに通知する。そのUEは、割り当てられたリソースに基づいて、そのサービスを転送する、すなわち、図2、図3、又は図4に対応するリソース割り当て方法を使用することによって、ステップ1103を実行する。
【０１７０】
基地局が、各々のUEに関する決定された最も高い転送優先順位を使用することによって、UEにリソースを割り当てる実施形態においては、基地局は、HSS、アプリケーションサーバ、又は近接サービス機能エンティティが送信するそのUEに関する最も高い転送優先順位を受信して、各々のUEに関する最も高い転送優先順位を決定してもよい。
【０１７１】
基地局が、HSSが送信する各々のUEに関する最も高い転送優先順位を受信する場合には、図12を参照すると、HSSは、MMEにそのもっとも高い転送優先順位を最初に送信してもよく、その次に、MMEは、従来技術にしたがったアタッチ手順又はトラッキングエリアの更新(Tracking  Area  Update,  TAU)手順を使用することによって、基地局にそのもっとも高い転送優先順位を送信してもよい。
【０１７２】
ステップ1201:  規格TS  23.401にしたがったアタッチ手順のうちのステップ1乃至10が実行された後に、HSSは、位置更新応答メッセージ(Update  Location  ACK)を使用することによって、MMEに、UEに関する最も高い転送優先順位を送信する。
【０１７３】
ステップ1202:  規格TS  23.401にしたがったアタッチ手順のうちのステップ12乃至16が実行された後に、MMEは、初期コンテキスト設定要求(Initial  Context  Setup  Request)又はアタッチ完了(Attach  Accept)メッセージを使用することによって、基地局に、そのUEに関する最も高い転送優先順位を送信し、規格TS  23.401にしたがったアタッチ手順のうちのステップ18乃至26が実行された後に、最終的に、アタッチ手順を完了させる。
【０１７４】
近接サービス機能エンティティが、各々のUEに関する最も高い転送優先順位を送信する場合に、各々のUEに関するその最も高い転送優先順位は、HSS又はMMEによる転送が成功した後に、基地局に到達してもよく、又は、各々のUEに関するその最も高い転送優先順位は、MMEによる転送の後に、基地局に転送される。
【０１７５】
上記の実施形態に基づいて、図13を参照すると、本発明の1つの実施形態は、さらに、ProSeネットワークアーキテクチャに適用可能なUE1300を提供し、ProSeネットワークアーキテクチャにおいては、ProSeサービスを実装することが可能である。UE1300は、第1の決定ユニット1301、第2の決定ユニット1302、及び通信ユニット1303を含む。
【０１７６】
第1の決定ユニット1301は、第1のサービスの転送優先順位が第1の転送優先順位であるということを決定するように構成される。
【０１７７】
第2の決定ユニット1302は、転送優先順位と論理チャネルグループとの間の対応関係にしたがって、第1の転送優先順位に対応する論理チャネルグループが第1の論理チャネルグループであるということを決定するように構成される。
【０１７８】
通信ユニット1303は、第1の論理チャネルグループ識別子を搬送するリソース要求メッセージを基地局に送信するように構成され、第1の論理チャネルグループ識別子は、第1の論理チャネルグループを示すのに使用され、基地局が送信する通知メッセージを受信するように構成され、通知メッセージは、基地局がUE1300に割り当てたリソースに関する情報を搬送し、そして、リソースを使用することによって第1のサービスを転送する、ように構成される。
【０１７９】
選択的に、第1の決定ユニット1301は、
第1のサービスのサービス優先順位を決定し、
サービス優先順位と転送優先順位との間の対応関係にしたがって、第1のサービスのサービス優先順位に対応する転送優先順位を決定し、そして、
第1の転送優先順位として第1のサービスのサービス優先順位に対応する転送優先順位を使用する、ように構成される。
【０１８０】
選択的に、通信ユニット1303は、さらに、
第1の決定ユニット1301が、第1のサービスのサービス優先順位に対応する転送優先順位を決定する前に、近接サービス機能エンティティ又はアプリケーションサーバが送信するサービス優先順位と転送優先順位との間の対応関係を受信するように構成される。
【０１８１】
選択的に、転送優先順位と論理チャネルグループとの間の対応関係が、ネットワーク側によって送信されるか、又は、
転送優先順位と論理チャネルグループとの間の対応関係が、UE1300によって決定されるか、又は、
転送優先順位と論理チャネルグループとの間の対応関係が、UE1300によってあらかじめ設定される。
【０１８２】
選択的に、通信ユニット1303は、さらに、
第2の決定ユニット1302が、第1の転送優先順位に対応する論理チャネルグループが第1の論理チャネルグループであるということを決定する前に、無線リソース制御(RRC)シグナリングを使用することによって基地局が送信する転送優先順位と論理チャネルグループとの間の対応関係を受信するか、又は、
近接サービス機能エンティティ又はアプリケーションサーバが送信する転送優先順位と論理チャネルグループとの間の対応関係を受信する、ように構成される。
【０１８３】
選択的に、通信ユニット1303は、さらに、
UE1300がグループ通信を実行する場合に、第1の論理チャネルグループ識別子を搬送するリソース要求メッセージを基地局に送信する前に、ネットワーク側が送信したグループ識別子を受信するように構成され、グループ識別子は、UE1300が、グループ識別子に対応するグループの中で通信を実行するように構成されるということを示すのに使用される。
【０１８４】
選択的に、通信ユニット1303が、ネットワーク側が送信したグループ識別子を受信することは、
RRCシグナリングを使用することによって基地局が送信するグループ識別子を受信すること、又は、
近接サービス機能エンティティ又はアプリケーションサーバが送信するグループ識別子を受信すること、を含む。
【０１８５】
選択的に、通信ユニット1303は、
第1の論理チャネルグループ識別子及びグループ識別子を搬送するリソース要求メッセージを基地局に送信するように構成される。
【０１８６】
上記の実施形態に基づいて、図14を参照すると、本発明の1つの実施形態は、さらに、ProSeネットワークアーキテクチャに適用可能な基地局1400を提供し、ProSeネットワークアーキテクチャにおいては、ProSeサービスを実装することが可能である。基地局1400は、受信ユニット1401、決定ユニット1402、及び処理ユニット1403を含む。
【０１８７】
受信ユニット1401は、ユーザ機器(UE)によって送信されて論理チャネルグループ識別子を搬送するリソース要求メッセージを受信するように構成される。
【０１８８】
決定ユニット1402は、論理チャネルグループ識別子にしたがってUEに関する転送優先順位を決定するように構成される。
【０１８９】
処理ユニット1403は、UEに関する転送優先順位にしたがってUEにリソースを割り当て、割り当てられたリソースをUEに通知するように構成される。
【０１９０】
選択的に、決定ユニット1402は、
UEに関する転送優先順位と論理チャネルグループとの間の対応関係にしたがって、論理チャネルグループ識別子によって示される論理チャネルグループに対応する転送優先順位を決定するように構成される。
【０１９１】
選択的に、UEに関する転送優先順位と論理チャネルグループとの間の対応関係が、基地局1400によって決定されるか、又は、
UEに関する転送優先順位と論理チャネルグループとの間の対応関係が、基地局1400によってあらかじめ設定されるか、又は、
UEに関する転送優先順位と論理チャネルグループとの間の対応関係が、無線リソース制御(RRC)シグナリングを使用することによって、UEによって送信されるか、又は、
UEに関する転送優先順位と論理チャネルグループとの間の対応関係が、近接サービス機能エンティティ又はアプリケーションサーバによって送信される。
【０１９２】
選択的に、決定ユニット1402は、さらに、
論理チャネルグループ識別子にしたがってUEに関する転送優先順位を決定する前に、UEに関する転送優先順位と論理チャネルグループとの間の対応関係を決定するように構成される。
【０１９３】
選択的に、UEに関する転送優先順位と論理チャネルグループとの間の対応関係を決定する場合に、決定ユニット1402は、
UEがサポートするとともに近接サービス機能エンティティ又はアプリケーションサーバが送信する転送優先順位を受信し、そして、
UEがサポートする転送優先順位にしたがって、UEに関する転送優先順位と論理チャネルグループとの間の対応関係を決定する、ように構成される。
【０１９４】
選択的に、リソース要求メッセージは、さらに、UEのグループ識別子を搬送する。
【０１９５】
選択的に、割り当てられたリソースをUEに通知する場合に、処理ユニット1403は、
UEのグループ識別子にしたがって、割り当てられたリソースをUEに通知するように構成される。
【０１９６】
選択的に、UEに関する転送優先順位にしたがってUEにリソースを割り当てる場合に、処理ユニット1403は、
転送優先順位の高い順にUEにリソースを割り当てるように構成される。
【０１９７】
上記の実施形態に基づいて、図15を参照すると、本発明の1つの実施形態は、さらに、ProSeネットワークアーキテクチャに適用可能な基地局1500を提供し、ProSeネットワークアーキテクチャにおいては、ProSeサービスを実装することが可能である。基地局1500は、受信ユニット1501、決定ユニット1502、及び処理ユニット1503を含む。
【０１９８】
受信ユニット1501は、ユーザ機器(UE)によって送信されて論理チャネルグループ識別子を搬送するリソース要求メッセージを受信するように構成される。
【０１９９】
決定ユニット1502は、論理チャネルグループ識別子にしたがってUEに関する転送優先順位を決定するように構成される。
【０２００】
処理ユニット1503は、UEに関する転送優先順位がUEに関する最も高い転送優先順位よりも低い場合に、UEに関する転送優先順位にしたがってUEにリソースを割り当て、割り当てられたリソースをUEに通知するように構成される。
【０２０１】
選択的に、受信ユニット1501は、さらに、
ホームサブスクライバーサーバ(HSS)が送信するUEに関する最も高い転送優先順位を受信するか、又は、
近接サービス機能エンティティ又はアプリケーションサーバが送信するUEに関する最も高い転送優先順位を受信する、ように構成される。
【０２０２】
選択的に、UEに関する転送優先順位にしたがってUEにリソースを割り当てる場合に、処理ユニット1503は、
転送優先順位の高い順にUEに前記リソースを割り当てるように構成される。
【０２０３】
選択的に、決定ユニット1502は、
UEに関する転送優先順位と論理チャネルグループとの間の対応関係にしたがって、論理チャネルグループ識別子によって示される論理チャネルグループに対応する転送優先順位を決定するように構成される。
【０２０４】
選択的に、UEに関する転送優先順位と論理チャネルグループとの間の対応関係が、基地局1500によって決定されるか、又は、
UEに関する転送優先順位と論理チャネルグループとの間の対応関係が、基地局1500によってあらかじめ設定されるか、又は、
UEに関する転送優先順位と論理チャネルグループとの間の対応関係が、無線リソース制御(RRC)シグナリングを使用することによって、UEによって送信されるか、又は、
UEに関する転送優先順位と論理チャネルグループとの間の対応関係が、近接サービス機能エンティティ又はアプリケーションサーバによって送信される。
【０２０５】
選択的に、決定ユニット1502は、さらに、
論理チャネルグループ識別子にしたがってUEに関する転送優先順位を決定する前に、UEに関する転送優先順位と論理チャネルグループとの間の対応関係を決定するように構成される。
【０２０６】
選択的に、UEに関する転送優先順位と論理チャネルグループとの間の対応関係を決定する場合に、決定ユニット1502は、
UEがサポートするとともに近接サービス機能エンティティ又はアプリケーションサーバが送信する転送優先順位を受信し、そして、
UEがサポートする転送優先順位にしたがって、UEに関する転送優先順位と論理チャネルグループとの間の対応関係を決定する、ように構成される。
【０２０７】
選択的に、リソース要求メッセージは、さらに、UEのグループ識別子を搬送する。
【０２０８】
選択的に、割り当てられたリソースをUEに通知する場合に、処理ユニット1503は、
UEのグループ識別子にしたがって、割り当てられたリソースをUEに通知するように構成される。
【０２０９】
上記の実施形態に基づいて、本発明の1つの実施形態は、さらに、ProSeネットワークアーキテクチャに適用可能なUE1600を提供し、ProSeネットワークアーキテクチャにおいては、ProSeサービスを実装することが可能である。図16を参照すると、UE1600は、トランシーバー1601、プロセッサ1602、バス1603、及びメモリ1604を含む。
【０２１０】
トランシーバー1601、プロセッサ1602、及びメモリ1604は、バス1603を使用することによって、互いに接続される。バス1603は、周辺機器構成要素相互接続(peripheral  component  interconnect,  PCI)バス、拡張業界標準アーキテクチャ(extended  industry  standard  architecture,  EISA)バス、又はその他の同様のバスであってもよい。バスは、アドレスバス、データバス、制御バス等に分類されてもよい。図示を容易にするため、図16においては、バス1603は、1つの太線のみを使用することによって示される。しかしながら、このことは、1つのみのバスが存在する、又は1つのタイプのバスのみが存在するということを意味するものではない。
【０２１１】
トランシーバー1601は、例えば、基地局にリソース要求メッセージを送信し、基地局が送信した通知メッセージを受信し、そして、他のUEにサービスを転送するといったように、他のデバイスとの間で通信するように構成される。
【０２１２】
プロセッサ1602は、本発明の実施形態にしたがった図2に示されているリソース割り当て方法を実装するように構成される。その方法は、
第1のサービスの転送優先順位が第1の転送優先順位であるということを決定するステップと、
転送優先順位と論理チャネルグループとの間の対応関係にしたがって、第1の転送優先順位に対応する論理チャネルグループが第1の論理チャネルグループであるということを決定するステップと、
第1の論理チャネルグループ識別子を搬送するリソース要求メッセージを基地局に送信するステップであって、第1の論理チャネルグループ識別子は、第1の論理チャネルグループを示すのに使用される、ステップと、
基地局が送信した通知メッセージを受信するステップであって、通知メッセージは、基地局がUE1600に割り当てたリソースに関する情報を搬送する、ステップと、
リソースを使用することによって第1のサービスを転送するステップと、を含む。
【０２１３】
UE1600は、プログラムを格納するように構成されるメモリ1604をさらに含む。特に、そのプログラムは、プログラムコードを含んでもよく、そのプログラムコードは、コンピュータ動作命令を含む。メモリ1604は、ランダムアクセスメモリ(random  access  memory,  RAM)を含んでもよく、又は少なくとも1つの磁気ディスクメモリ等の不揮発性メモリ(non-volatile  memory)を含んでもよい。プロセッサ1602は、メモリ1604の中に格納されているアプリケーションプログラムを実行して、上記で説明されたリソース割り当て方法を実装する。
【０２１４】
上記の実施形態に基づいて、本発明の1つの実施形態は、さらに、ProSeネットワークアーキテクチャに適用可能な基地局1700を提供し、ProSeネットワークアーキテクチャにおいては、ProSeサービスを実装することが可能である。図17を参照すると、基地局1700は、トランシーバー1701、プロセッサ1702、バス1703、及びメモリ1704を含む。
【０２１５】
トランシーバー1701、プロセッサ1702、及びメモリ1704は、バス1703を使用することによって、互いに接続される。バス1703は、周辺機器構成要素相互接続(peripheral  component  interconnect,  PCI)バス、拡張業界標準アーキテクチャ(extended  industry  standard  architecture,  EISA)バス、又はその他の同様のバスであってもよい。バスは、アドレスバス、データバス、制御バス等に分類されてもよい。図示を容易にするため、図17においては、バス1703は、1つの太線のみを使用することによって示される。しかしながら、このことは、1つのみのバスが存在する、又は1つのタイプのバスのみが存在するということを意味するものではない。
【０２１６】
トランシーバー1701は、例えば、UEが送信したリソース要求メッセージを受信し、そして、UEに通知メッセージを送信するといったように、他のデバイスとの間で通信するように構成される。
【０２１７】
プロセッサ1702は、本発明の実施形態にしたがった図3に示されているリソース割り当て方法を実装するように構成される。その方法は、
ユーザ機器UEによって送信されて論理チャネルグループ識別子を搬送するリソース要求メッセージを受信するステップと、
論理チャネルグループ識別子にしたがってUEに関する転送優先順位を決定するステップと、
UEに関する転送優先順位にしたがってUEにリソースを割り当て、割り当てられたリソースをUEに通知するステップと、を含む。
【０２１８】
基地局1700は、プログラムを格納するように構成されるメモリ1704をさらに含む。特に、そのプログラムは、プログラムコードを含んでもよく、そのプログラムコードは、コンピュータ動作命令を含む。メモリ1704は、ランダムアクセスメモリ(random  access  memory,  RAM)を含んでもよく、又は少なくとも1つの磁気ディスクメモリ等の不揮発性メモリ(non-volatile  memory)を含んでもよい。プロセッサ1702は、メモリ1704の中に格納されているアプリケーションプログラムを実行して、上記で説明されたリソース割り当て方法を実装する。
【０２１９】
上記の実施形態に基づいて、本発明の1つの実施形態は、さらに、ProSeネットワークアーキテクチャに適用可能な基地局1800を提供し、ProSeネットワークアーキテクチャにおいては、ProSeサービスを実装することが可能である。図18を参照すると、基地局1800は、トランシーバー1801、プロセッサ1802、バス1803、及びメモリ1804を含む。
【０２２０】
トランシーバー1801、プロセッサ1802、及びメモリ1804は、バス1803を使用することによって、互いに接続される。バス1803は、周辺機器構成要素相互接続(peripheral  component  interconnect,  PCI)バス、拡張業界標準アーキテクチャ(extended  industry  standard  architecture,  EISA)バス、又はその他の同様のバスであってもよい。バスは、アドレスバス、データバス、制御バス等に分類されてもよい。図示を容易にするため、図18においては、バス1803は、1つの太線のみを使用することによって示される。しかしながら、このことは、1つのみのバスが存在する、又は1つのタイプのバスのみが存在するということを意味するものではない。
【０２２１】
トランシーバー1801は、例えば、UEが送信したリソース要求メッセージを受信し、そして、UEに通知メッセージを送信するといったように、他のデバイスとの間で通信するように構成される。
【０２２２】
プロセッサ1802は、本発明の実施形態にしたがった図4に示されているリソース割り当て方法を実装するように構成される。その方法は、
ユーザ機器(UE)によって送信されて論理チャネルグループ識別子を搬送するリソース要求メッセージを受信するステップと、
論理チャネルグループ識別子にしたがってUEに関する転送優先順位を決定するステップと、
UEに関する転送優先順位がUEに関する最も高い転送優先順位よりも低い場合に、UEに関する転送優先順位にしたがってUEにリソースを割り当て、割り当てられたリソースをUEに通知するステップと、を含む。
【０２２３】
基地局1800は、プログラムを格納するように構成されるメモリ1804をさらに含む。特に、そのプログラムは、プログラムコードを含んでもよく、そのプログラムコードは、コンピュータ動作命令を含む。メモリ1804は、ランダムアクセスメモリ(random  access  memory,  RAM)を含んでもよく、又は少なくとも1つの磁気ディスクメモリ等の不揮発性メモリ(non-volatile  memory)を含んでもよい。プロセッサ1802は、メモリ1804の中に格納されているアプリケーションプログラムを実行して、上記で説明されたリソース割り当て方法を実装する。
【０２２４】
上記の記載に基づいて、本発明の複数の実施形態にしたがって提供されるリソース割り当て方法、UE、及び基地局によれば、あるサービスについて、UEは、そのサービスの第1の転送優先順位にしたがって、対応する第1の論理チャネルグループを決定し、その第1の論理チャネルグループを示す第1の論理チャネルグループ識別子を搬送するリソース要求メッセージを基地局に送信する。基地局は、そのリソース要求メッセージの中で搬送される第1の論理チャネルグループ識別子にしたがって、UEの転送優先順位を決定して、そのUEにリソースを割り当ててもよい。この手法により、UEは、論理チャネルグループ識別子を使用することによって、あるサービスの転送優先順位を基地局に通知してもよく、基地局は、その論理チャネルグループ識別子を使用することによって、そのUEに関する転送優先順位を知ることが可能であり、それによって、その転送優先順位にしたがってそのUEにリソースを割り当てる。リソースは、転送優先順位にしたがって割り当てられて、リソースが、高い転送優先順位を持つサービスに優先的に割り当てられるということを保証する。このことは、データ転送効率を改善するとともに、ユーザイクスペアリアンスを改善する。
【０２２５】
当業者は、本発明の複数の実施形態を、方法、システム、又はコンピュータプログラム製品として提供することが可能であるということを理解するはずである。したがって、本発明は、ハードウェアのみの実施形態、ソフトウェアのみの実施形態、又はソフトウェア及びハードウェアの組み合わせによる実施形態の形態を利用してもよい。さらに、本発明は、コンピュータプログラム製品の形態を利用してもよく、そのコンピュータプログラム製品は、(これらには限定されないが、ディスクメモリ、CD-ROM、光メモリ等を含む)1つ又は複数のコンピュータによって使用可能な記憶媒体によって実装され、それらのコンピュータによって使用可能な記憶媒体は、コンピュータによって使用可能なプログラムコードを含む。
【０２２６】
本発明は、本発明の複数の実施形態にしたがった方法、デバイス(システム)、及びコンピュータプログラム製品のフローチャート及び/又はブロック図を参照して説明される。それらのフローチャート及び/又はそれらのブロック図の中の各々のプロセス及び/又は各々のブロック、及びそれらのフローチャート及び/又はそれらのブロック図の中のプロセス及び/又はブロックの組み合わせを実装するのに、複数のコンピュータプログラム命令を使用してもよいということを理解すべきである。汎用コンピュータ、専用コンピュータ、埋め込み型プロセッサ、又はいずれかの他のプログラム可能なデータ処理デバイスのプロセッサにこれらのコンピュータプログラム命令を提供して、機械を生成してもよく、それによって、コンピュータ又はいずれかの他のプログラム可能なデータ処理デバイスによって実行される複数の命令は、それらのフローチャートの中の1つ又は複数のプロセスにしたがった及び/又はそれらのブロック図の中の1つ又は複数のブロックにしたがったある特定の機能を実装する装置を生成する。
【０２２７】
コンピュータ読み取り可能なメモリの中にこれらのコンピュータプログラム命令を格納してもよく、そのコンピュータ読み取り可能なメモリは、ある特定の手法にしたがって動作するように、コンピュータ又はいずれかの他のプログラム可能なデータ処理デバイスに指示してもよく、それによって、そのコンピュータ読み取り可能なメモリの中に格納されている複数の命令は、指示装置を含む人工的な結果物を生成する。その指示装置は、それらのフローチャートの中の1つ又は複数のプロセスにしたがった及び/又はそれらのブロック図の中の1つ又は複数のブロックにしたがったある特定の機能を実装する。
【０２２８】
コンピュータ又は他のプログラム可能なデータ処理デバイスにこれらのコンピュータプログラム命令をロードしてもよく、それによって、そのコンピュータ又は他のプログラム可能なデバイスによって一連の動作及びステップを実行し、結果として、コンピュータによって実装された処理を生じさせる。したがって、そのコンピュータ又は他のプログラム可能なデバイスによって実行される複数の命令は、それらのフローチャートの中の1つ又は複数のプロセスにしたがった及び/又はそれらのブロック図の中の1つ又は複数のブロックにしたがったある特定の機能を実装する複数のステップを実現する。
【０２２９】
本発明の複数の実施形態を説明してきたが、当業者が基本となる独創的な概念を理解すると、それらの当業者は、これらの複数の実施形態に変更及び修正を行うことが可能である。したがって、以下の特許請求の範囲は、本発明の範囲に属する上記の複数の実施形態、及び変更及び修正のすべてを対象とするものとして解釈されることを意図している。
【０２３０】
当然のことながら、当業者は、本発明の複数の実施形態の趣旨及び範囲から離れることなく、本発明のそれらの複数の実施形態にさまざまな修正及び変形を行うことが可能である。それらの修正及び変形が、以下の特許請求の範囲によって規定される保護の範囲及びそれらの等価な技術に属する限り、本発明は、それらの修正及び変形を対象とするように意図される。
【手続補正３】
【補正対象書類名】図面
【補正対象項目名】図５
【補正方法】変更
【補正の内容】
【図５】
2018518917.tif 000025
【手続補正４】
【補正対象書類名】図面
【補正対象項目名】図６
【補正方法】変更
【補正の内容】
【図６】
2018518917.tif 000026
【手続補正５】
【補正対象書類名】図面
【補正対象項目名】図７
【補正方法】変更
【補正の内容】
【図７】
2018518917.tif 000027
【手続補正６】
【補正対象書類名】図面
【補正対象項目名】図８
【補正方法】変更
【補正の内容】
【図８】
2018518917.tif 000028
【手続補正７】
【補正対象書類名】図面
【補正対象項目名】図９
【補正方法】変更
【補正の内容】
【図９】
2018518917.tif 000029
【手続補正８】
【補正対象書類名】図面
【補正対象項目名】図１０
【補正方法】変更
【補正の内容】
【図１０】
2018518917.tif 000030
【手続補正９】
【補正対象書類名】図面
【補正対象項目名】図１１
【補正方法】変更
【補正の内容】
【図１１】
2018518917.tif 000031
【国際調査報告】
2018518917.tif 000032
2018518917.tif 000033
2018518917.tif 000034
2018518917.tif 000035